(57)【特許請求の範囲】
【請求項１】
無線通信システムにおける上りリンク伝送と下りリンク受信を行う端末において、
上りリンク無線信号を基地局に伝送するか、下りリンク無線信号を前記基地局から受信するように構成される通信モジュールと、
プロセッサと、を含み、
前記プロセッサは、
スロットの構成に関するスロット構成情報を受信し、
前記スロット構成情報に基づいて、少なくとも一つの連続したギャップシンボルの位置および個数を決定し、
上りリンク信号の伝送または下りリンク信号の受信が前記スロットにおいて不可能であるか否かを判断し、
前記スロットは、下りリンク伝送のための下りリンクシンボル、フレキシブルシンボル、または上りリンク伝送のための上りリンクシンボルの少なくとも一つで構成され、
前記上りリンク信号の伝送または前記下りリンク信号の受信が前記スロットにおいて不可能であるか否かは、前記少なくとも一つの連続したギャップシンボルの位置および個数に応じて判断され、
前記判断の結果に応じて、前記スロットにおける前記上りリンク信号の伝送または前記下りリンク信号の受信を行うように構成される、端末。
【請求項２】
前記上りリンク信号の伝送が前記スロットにおいて不可能であるか否かは、前記上りリンク信号が割り当てられたシンボルのうち、前記下りリンクシンボルの最後のシンボルから前記少なくとも一つの連続したギャップシンボルの個数よりも後に位置する最初のシンボルに基づいて判断されることを特徴とする、請求項１に記載の端末。
【請求項３】
前記スロットにおいて、前記上りリンク信号が割り当てられたシンボルのうち最初のシンボルが、前記下りリンクシンボル、前記下りリンク信号の受信のために割り当てられたシンボル、または前記下りリンクシンボルの最後のシンボル以降の前記少なくとも一つの連続したギャップシンボルの個数のうち少なくとも一つと重なれば、前記上りリンク信号の伝送は不可能であることを特徴とする、請求項１に記載の端末。
【請求項４】
前記上りリンク信号は、物理上りリンク制御チャネル、物理上りリンク共有チャネル、物理ランダムアクセスチャネル、及びＳＲＳ（ｓｏｕｎｄｉｎｇ  ｒｅｆｅｒｅｎｃｅ  ｓｉｇｎａｌ）のうち少なくとも一つを含むことを特徴とする、請求項２または請求項３に記載の端末。
【請求項５】
前記上りリンク信号が割り当てられたシンボルのうち少なくとも一つのシンボルはフレキシブルシンボルであることを特徴とする、請求項２または請求項３に記載の端末。
【請求項６】
前記下りリンク信号はＳＳ／ＰＢＣＨ（ｓｙｎｃｈｒｏｎｉｚａｔｉｏｎ  ｓｉｇｎａｌ／ｐｈｙｓｉｃａｌ  ｂｒｏａｄｃａｓｔ  ｃｈａｎｎｅｌ）ブロック、物理下りリンク共有チャネル、物理下りリンク制御チャネル、またはＣＳＩ−ＲＳ（ｃｈａｎｎｅｌ  ｓｔａｔｅ  ｉｎｆｏｒｍａｔｉｏｎ  ｒｅｆｅｒｅｎｃｅ  ｓｉｇｎａｌ）のうち少なくとも一つを含むことを特徴とする、請求項３に記載の端末。
【請求項７】
前記少なくとも一つの連続したギャップシンボルの個数が、前記下りリンクシンボルの最後のシンボルと前記上りリンクシンボルが属するシンボルのうちの最初のシンボルとの間に位置すれば、前記上りリンク信号の伝送が可能であることを特徴とする、請求項１に記載の端末。
【請求項８】
前記スロットにおいて、前記下りリンク信号が割り当てられたシンボルのうち最後のシンボルが、前記少なくとも一つの連続したギャップシンボルの個数の前に位置すれば、前記下りリンク信号が受信されることを特徴とする、請求項１に記載の端末。
【請求項９】
前記スロットにおいて、前記下りリンク信号が割り当てられたシンボルのうち最後のシンボルが、前記少なくとも一つの連続したギャップシンボルのいずれかのシンボルと重なれば、前記下りリンク信号の受信が不可能であることを特徴とする、請求項１に記載の端末。
【請求項１０】
前記下りリンク信号は物理下りリンク共有チャネル、物理下りリンク制御チャネル、またはＣＳＩ−ＲＳのうち少なくとも一つを含むことを特徴とする、請求項８または請求項９に記載の端末。
【請求項１１】
前記下りリンク信号が割り当てられたシンボルのうち少なくとも一つのシンボルはフレキシブルシンボルであることを特徴とする、請求項８または請求項９に記載の端末。
【請求項１２】
前記上りリンク信号は物理ランダムアクセスチャネルであることを特徴とする、請求項９に記載の端末。
【請求項１３】
前記スロットは前記基地局によって提供されるスロット構成に関する情報によって構成されるが、
前記スロット構成に関する情報は、ＲＲＣ階層で生成されるセル特定（ｃｅｌｌ−ｓｐｅｃｉｆｉｃ）ＲＲＣメッセージ、端末特定（ＵＥ−ｓｐｅｃｉｆｉｃ）ＲＲＣメッセージ、または物理階層で生成される動的スロットフォーマット情報のうち少なくとも一つを含むことを特徴とする、請求項１に記載の端末。
【請求項１４】
無線通信システムにおける端末による上りリンク伝送と下りリンク受信を行う方法において、
スロットの構成に関するスロット構成情報を受信するステップと、
前記スロット構成情報に基づいて、少なくとも一つの連続したギャップシンボルの位置および個数を決定するステップと、
上りリンク信号の伝送または下りリンク信号の受信が前記スロットにおいて不可能であるか否かを判断するステップと、
前記スロットは、下りリンク伝送のための下りリンクシンボル、フレキシブルシンボル、及び上りリンク伝送のための上りリンクシンボルの少なくとも一つで構成され、
前記上りリンク信号の伝送または前記下りリンク信号の受信が前記スロットにおいて不可能であるか否かは、前記少なくとも一つの連続したギャップシンボルの位置および個数に応じて判断され、
前記判断の結果に応じて、前記スロットにおける前記上りリンク信号の伝送または前記下りリンク信号の受信を行うステップと、を含む方法。
【請求項１５】
前記上りリンク信号の伝送が前記スロットにおいて不可能であるか否かは、前記上りリンク信号が割り当てられたシンボルのうち、前記下りリンクシンボルの最後のシンボルから前記少なくとも一つの連続したギャップシンボルの個数よりも後に位置する最初のシンボルに基づいて判断されることを特徴とする、請求項１４に記載の方法。
【請求項１６】
前記スロットにおいて、前記上りリンク信号が割り当てられたシンボルのうち最初のシンボルが、前記下りリンクシンボル、前記下りリンク信号の受信のために割り当てられたシンボル、または前記下りリンクシンボルの最後のシンボル以降の前記少なくとも一つの連続したギャップシンボルの個数のうち少なくとも一つと重なれば、前記上りリンク信号の伝送は不可能であることを特徴とする、請求項１４に記載の方法。
【請求項１７】
前記上りリンク信号は、物理上りリンク制御チャネル、物理上りリンク共有チャネル、物理ランダムアクセスチャネル、及びＳＲＳのうち少なくとも一つを含むことを特徴とする、請求項１５または請求項１６に記載の方法。
【請求項１８】
前記上りリンク信号が割り当てられたシンボルのうち少なくとも一つのシンボルはフレキシブルシンボルであることを特徴とする、請求項１５または請求項１６に記載の方法。
【請求項１９】
前記下りリンク信号はＳＳ／ＰＢＣＨブロック、物理下りリンク共有チャネル、物理下りリンク制御チャネル、またはＣＳＩ−ＲＳのうち少なくとも一つを含むことを特徴とする、請求項１６に記載の方法。
【請求項２０】
前記少なくとも一つの連続したギャップシンボルの個数が、前記下りリンクシンボルの最後のシンボルと前記上りリンクシンボルが属するシンボルのうちの最初のシンボルとの間に位置すれば、前記上りリンク信号の伝送が可能であることを特徴とする、請求項１４に記載の方法。
【請求項２１】
前記スロットにおいて、前記下りリンク信号が割り当てられたシンボルのうち最後のシンボルが、前記少なくとも一つの連続したギャップシンボルの個数の前に位置すれば、前記下りリンク信号が受信されることを特徴とする、請求項１４に記載の方法。
【請求項２２】
前記スロットにおいて、前記下りリンク信号が割り当てられたシンボルのうち最後のシンボルが、前記少なくとも一つの連続したギャップシンボルのいずれかのシンボルと重なれば、前記下りリンク信号の受信が不可能であることを特徴とする、請求項１４に記載の方法。
【請求項２３】
前記下りリンク信号は物理下りリンク共有チャネル、物理下りリンク制御チャネル、またはＣＳＩ−ＲＳのうち少なくとも一つを含むことを特徴とする、請求項２１または請求項２２に記載の方法。
【請求項２４】
前記下りリンク信号が割り当てられたシンボルのうち少なくとも一つのシンボルはフレキシブルシンボルであることを特徴とする、請求項２１または請求項２２に記載の方法。
【請求項２５】
前記上りリンク信号は物理ランダムアクセスチャネルであることを特徴とする、請求項２２に記載の方法。
【請求項２６】
前記スロットは基地局によって提供されるスロット構成に関する情報によって構成されるが、
前記スロット構成に関する情報は、ＲＲＣ階層で生成されるセル特定ＲＲＣメッセージ、端末特定ＲＲＣメッセージ、または物理階層で生成される動的スロットフォーマット情報とのうち少なくとも一つを含むことを特徴とする、請求項１４に記載の方法。
【発明の詳細な説明】
【技術分野】
【０００１】
本発明は無線通信に関し、より詳しくは、無線通信システムにおける上りリンク信号及びチャンネルの伝送及び下りリンク信号及びチャンネルの受信方法、装置、及びシステムに関する。
【背景技術】
【０００２】
４Ｇ（４ｔｈ  ｇｅｎｅｒａｔｉｏｎ）通信システムの商用化後、増加する無線データトラフィック需要を充足するために、新たな５Ｇ（５ｔｈ  ｇｅｎｅｒａｔｉｏｎ）通信システムを開発するための努力が行われている。５Ｇ通信システムは、４Ｇネットワーク以降（ｂｅｙｏｎｄ  ４Ｇ  ｎｅｔｗｏｒｋ）の通信システム、ＬＴＥシステム以降（ｐｏｓｔ  ＬＴＥ）のシステム、またはＮＲ（ｎｅｗ  ｒａｄｉｏ）システムと称されている。高いデータ伝送率を達成するために、５Ｇ通信システムは、６ＧＨｚ以上の超高周波（ｍｍＷａｖｅ）帯域を使用して運用されるシステムを含み、また、カバレッジを確保し得る側面から６ＧＨｚ以下の周波数帯域を使用して運用される通信システムを含んで、基地局と端末における具現が考慮されている。
【０００３】
３ＧＰＰ（３ｒｄ  ｇｅｎｅｒａｔｉｏｎ  ｐａｒｔｎｅｒｓｈｉｐ  ｐｒｏｊｅｃｔ）  ＮＲシステムは、ネットワークスペクトルの効率を向上させて、通信事業者が与えられた帯域幅でより多くのデータ及び音声サービスを提供し得るようにする。よって、３ＧＰＰ  ＮＲシステムは、大容量音声支援以外にも、高速データ及びメディア伝送に対する要求を充足するように設計される。ＮＲシステムの長所は、同じプラットフォームで高い処理量、低い待機時間、ＦＤＤ（ｆｒｅｑｕｅｎｃｙ  ｄｉｖｉｓｉｏｎ  ｄｕｐｌｅｘ）、及びＴＤＤ（ｔｉｍｅ  ｄｉｖｉｓｉｏｎ  ｄｕｐｌｅｘ）支援、向上された最終ユーザ環境、及び簡単なアーキテクチャで低い運営コストを有するという点である。
【０００４】
より効率的なデータ処理のために、ＮＲシステムのダイナミックＴＤＤは、セルのユーザのデータトラフィック方向に応じて上りリンク及び下りリンクに使用し得るＯＦＤＭ（ｏｒｔｈｏｇｏａｌ  ｆｒｅｑｕｅｎｃｙ  ｄｉｖｉｓｉｏｎ  ｍｕｌｔｉｐｌｅｘｉｎｇ）シンボルの数を可変する方式を使用する。例えば、セルの下りリンクトラフィックが上りリンクトラフィックより多ければ、基地局はスロット（またはサブフレーム）に多数の下りリンクＯＦＤＭシンボルを割り当てる。スロット構成に関する情報は端末に伝送されるべきである。
【０００５】
超高周波帯域における電波の経路損失の緩和、及び電波の伝達距離の増加のために、５Ｇ通信システムではビームフォーミング（ｂｅａｍｆｏｒｍｉｎｇ）、巨大配列体重入出力（ｍａｓｓｉｖｅ  ＭＩＭＯ）、全次元多重入出力（ｆｕｌｌ  ｄｉｍｅｎｓｉｏｎ  ＭＩＭＯ、ＦＤ−ＭＩＭＯ）、アレイアンテナ（ａｒｒａｙ  ａｎｔｅｎｎａ）、アナログビームフォーミング（ａｎａｌｏｇ  ｂｅａｍ−ｆｏｒｍｉｎｇ）、アナログビームフォーミングとデジタルビームフォーミングを組み合わせるハイブリッドビームフォーミング、及び大規模アンテナ（ｌａｒｇｅ  ｓｃａｌｅ  ａｎｔｅｎｎａ）技術が論議されている。また、システムネットワークを改善するために、５Ｇ通信システムでは進化した小型セル、改善された小型セル（ａｄｖａｎｃｅｄ  ｓｍａｌｌ  ｃｅｌｌ）、クラウド無線アクセスネットワーク（ｃｌｏｕｄ  ｒａｄｉｏ  ａｃｃｅｓｓ  ｎｅｔｗｏｒｋ：ｃｌｏｕｄ  ＲＡＮ）、超高密度ネットワーク（ｕｌｔｒａ−ｄｅｎｓｅ  ｎｅｔｗｏｒｋ）、機器間通信（ｄｅｖｉｃｅ  ｔｏ  ｄｅｖｉｃｅ  ｃｏｍｍｕｎｉｃａｔｉｏｎ：Ｄ２Ｄ）、車両を利用する通信（ｖｅｈｉｃｌｅ  ｔｏ  ｅｖｅｒｙｔｈｉｎｇ  ｃｏｍｍｕｎｉｃａｔｉｏｎ：Ｖ２Ｘ）、無線バックホール（ｗｉｒｅｌｅｓｓ  ｂａｃｋｈａｕｌ）、非地上波ネットワーク通信（ｎｏｎ−ｔｅｒｒｅｓｔｒｉａｌ  ｎｅｔｗｏｒｋ  ｃｏｍｍｕｎｉｃａｔｉｏｎ、ＮＴＮ）、移動ネットワーク（ｍｏｖｉｎｇ  ｎｅｔｗｏｒｋ）、協力通信（ｃｏｏｐｅｒａｔｉｖｅ  ｃｏｍｍｕｎｉｃａｔｉｏｎ）、ＣｏＭＰ（ｃｏｏｒｄｉｎａｔｅｄ  ｍｕｌｔｉ−ｐｏｉｎｔｓ）、及び受信干渉除去（ｉｎｔｅｒｆｅｒｅｎｃｅ  ｃａｎｃｅｌｌａｔｉｏｎ）などに関する技術開発が行われている。その他、５Ｇシステムでは進歩したコーディング変調（ａｄｖａｎｃｅｄ  ｃｏｄｉｎｇ  ｍｏｄｕｌａｔｉｏｎ：ＡＣＭ）方式のＦＱＡＭ（ｈｙｂｒｉｄ  ＦＳＫ  ａｎｄ  ＱＡＭ  ｍｏｄｕｌａｔｉｏｎ）及びＳＷＳＣ（ｓｌｉｄｉｎｇ  ｗｉｎｄｏｗ  ｓｕｐｅｒｐｏｓｉｔｉｏｎ  ｃｏｄｉｎｇ）と、進歩したアクセス技術であるＦＢＭＣ（ｆｉｌｔｅｒ  ｂａｎｋ  ｍｕｌｔｉ−ｃａｒｒｉｅｒ）、ＮＯＭＡ（ｎｏｎ−ｏｒｔｈｏｇｏｎａｌ  ｍｕｌｔｉｐｌｅ  ａｃｃｅｓｓ）、及びＳＣＭＡ（ｓｐａｒｓｅ  ｃｏｄｅ  ｍｕｌｔｉｐｌｅ  ａｃｃｅｓｓ）などが開発されている。
【０００６】
一方、インターネットは人間が情報を生成し消費する人間中心の連結網において、物など分散された構成要素間に情報を交換し処理するＩｏＴ（Ｉｎｔｅｒｎｅｔ  ｏｆ  Ｔｈｉｎｇｓ、モノのインターネット）網に進化している。クラウドサーバなどとの連結を介したビックデータ（ｂｉｇ  ｄａｔａ）処理技術などがＩｏＴ技術に結合されたＩｏＥ（Ｉｎｔｅｒｎｅｔ  ｏｆ  Ｅｖｅｒｙｔｈｉｎｇ）技術も台頭している。ＩｏＴを具現するために、センシング技術、有無線通信及びネットワークインフラ、サービスインタフェース技術、及び保安技術などのような技術要素が要求されており、最近は物間の連結のためのセンサネットワーク、マシンツーマシン（ｍａｃｈｉｎｅ  ｔｏ  ｍａｃｈｉｎｅ、Ｍ２Ｍ）、ＭＴＣ（ｍａｃｈｉｎｅ  ｔｙｐｅ  ｃｏｍｍｕｎｉｃａｔｉｏｎ）などの技術が研究されている。ＩｏＴ環境では、連結された物から生成されたデータを収集、分析して、人間の生活に新たな価値を生み出す知能型ＩＴ（ｉｎｔｅｒｎｅｔ  ｔｅｃｈｎｏｌｏｇｙ）サービスが提供される。ＩｏＴは、従来のＩＴ技術と多様な産業間の融合及び複合を介し、スマートホーム、スマートビル、スマートシティ、スマートカーまたはコネクテッドカー、スマートグリッド、ヘルスケア、スマート家電、先端医療サービスなどの分野に応用される。
【０００７】
そこで、５Ｇ通信システムをＩｏＴ網に適用するための様々な試みが行われている。例えば、センサネットワーク、マシンツーマシン、ＭＴＣなどの技術が、５Ｇ通信技術であるビームフォーミング、ＭＩＭＯ、及びアレイアンテナなどの技法によって具現されている。上述したビックデータ処理技術として、クラウド無線アクセスネットワーク（ｃｌｏｕｄ  ＲＡＮ）の適用も５Ｇ技術とＩｏＴ技術の融合の一例といえる。一般に、移動通信システムは、ユーザの活動性を保障しながら音声サービスを提供するために開発された。
【０００８】
しかし、移動通信システムは次第に音声だけでなくデータサービスまでサービス領域を拡張しており、現在は高速のデータサービスを提供する程度にまで発展している。しかし、現在サービス提供中の移動通信システムでは、資源不足現象及びユーザの高速サービスの要求のため、より発展した移動通信システムが要求されている。
【０００９】
３ＧＰＰ  ＮＲシステムでは、小型セルの上りリンク下りリンクトラフィックによってスロットを構成するＯＦＤＭシンボルの方向を自由に変えられる動的（Ｄｙｎａｍｉｃ）ＴＤＤ（Ｔｉｍｅ  ｄｉｖｉｓｉｏｎ  ｄｕｐｌｅｘ）方式を使用する。基地局は、動的ＴＤＤを支援するためにスロット構成に関する情報を端末に伝達する。しかし、端末がスロット構成情報を受信できない問題が発生するか、端末の動作がスロット構成の変化のため行われられない問題が発生する恐れがあるため、それを改善する方法が求められている。
【発明の概要】
【発明が解決しようとする課題】
【００１０】
本発明の技術的課題は、無線通信システムにおける制御チャネルの伝送及び受信方法、装置、及びシステムを提供することである。
【００１１】
本発明の他の技術的課題は、ＴＤＤ基盤のＤＬシンボル、フレキシブルシンボル、ＵＬシンボルを含むスロット構成が変更される状況で、制御チャネルを伝送するか受信する端末及びその動作方法を提供することである。
【００１２】
本発明のまた他の技術的課題は、ＴＤＤ基盤のＤＬシンボル、フレキシブルシンボル、ＵＬシンボルを含むスロット構成が変更される状況で、制御チャネルを受信するか伝送する基地局及びその動作方法を提供することである。
【００１３】
本発明の更に他の技術的課題は、ＴＤＤ基盤のＤＬシンボル、フレキシブルシンボル、ＵＬシンボルを含むスロット構成内のスイッチングギャップを考慮し、効率的に制御チャネルを伝送するか受信する端末及びその動作方法を提供することである。
【００１４】
本発明の更に他の技術的課題は、ＴＤＤ基盤のＤＬシンボル、フレキシブルシンボル、ＵＬシンボルを含むスロット構成内のスイッチングギャップを考慮し、効率的に制御チャネルを受信するか伝送する基地局及びその動作方法を提供することである。
【課題を解決するための手段】
【００１５】
本発明の一様態によると、無線通信システムにおける上りリンク伝送と下りリンク受信を制御する端末を提供する。前記端末は上りリンク無線信号を基地局に伝送するか、前記端末に割り当てられた前記基地局の下りリンク無線信号を前記基地局から受信するように構成される前記通信モジュールと、前記端末で使用される制御プログラム及びデータを貯蔵するように構成されるメモリと、前記下りリンク伝送のための少なくとも一つの下りリンクシンボル（ｄｏｗｎｌｉｎｋ  ｓｙｍｂｏｌ）、少なくとも一つのフレキシブルシンボル（ｆｌｅｘｉｂｌｅ  ｓｙｍｂｏｌ）、及び上りリンク伝送のための少なくとも一つの上りリンクシンボル（ｕｐｌｉｎｋ  ｓｙｍｂｏｌ）のうち少なくとも一つを含むように構成されるスロット（ｓｌｏｔ）の上で前記端末に割り当てられた上りリンク無線信号の伝送または前記下りリンク無線信号の受信が可能であるのか（ａｖａｉｌａｂｌｅ）判断し、前記判断によって前記上りリンク無線信号の伝送または前記下りリンク無線信号の受信を制御するように構成されるプロセッサと、を含む。
【００１６】
一側面において、前記上りリンク無線信号は物理上りリンク制御チャネル（ｐｈｙｓｉｃａｌ  ｕｐｌｉｎｋ  ｃｏｎｔｒｏｌ  ｃｈａｎｎｅｌ：ＰＵＣＣＨ）を含むが、前記プロセッサは、前記上りリンクシンボルの個数が一定個数以上の場合、または前記上りリンクシンボルの個数と前記フレキシブルシンボルの個数の合計が一定個数以上の場合に、前記物理上りリンク制御チャネルの伝送が可能であると判断する。
【００１７】
他の側面において、前記物理上りリンク制御チャネルの伝送に必要なシンボル（以下、ＰＤＣＣＨ伝送のためのシンボル）の個数が前記上りリンクシンボルの個数、または前記上りリンクシンボルの個数と前記フレキシブルシンボルの個数の合計より大きければ、前記プロセッサは、前記物理上りリンク制御チャネルをドロップ（ｄｒｏｐ）するか、前記物理上りリンク制御チャネルをより少ない数のシンボルを要求する他のタイプの物理上りリンク制御チャネルに変換するか、前記スロット以降の少なくとも一つのスロットにわたって前記物理上りリンク制御チャネルを伝送するように制御する。
【００１８】
また他の側面において、前記上りリンク無線信号は物理上りリンク制御チャネル（ＰＵＣＣＨ）を含み、前記ＰＵＣＣＨにはＨＡＲＱ−ＡＣＫがマッピングされ、前記プロセッサは、前記下りリンクシンボルが前記ＰＤＣＣＨ伝送のためのシンボルと重なれば、前記ＨＡＲＱ−ＡＣＫの伝送が不可能であると判断するか、前記ＨＡＲＱ−ＡＣＫの伝送を延期（ｐｏｓｔｐｏｎｅ）する。
【００１９】
更に他の側面において、前記下りリンク無線信号は物理下りリンク共用チャネル（ｐｈｙｓｉｃａｌ  ｄｏｗｎｌｉｎｋ  ｓｈａｒｅｄ  ｃｈａｎｎｅｌ：ＰＤＳＣＨ）または物理下りリンク制御チャネル（ｐｈｙｓｉｃａｌ  ｄｏｗｎｌｉｎｋ  ｃｏｎｔｒｏｌ  ｃｈａｎｎｅｌ：ＰＤＣＣＨ）を含むが、前記プロセッサは、前記下りリンクシンボルの個数が一定個数以上の場合、または前記下りリンクシンボルの個数と前記フレキシブルシンボルの個数の合計が一定個数以上の場合に、前記物理下りリンク共用チャネルまたは物理下りリンク制御チャネルの伝送が可能であると判断する。
【００２０】
更に他の側面において、前記下りリンク無線信号は物理下りリンク制御チャネル（ＰＤＣＣＨ）に含まれる下りリンク制御情報（ｄｏｗｎｌｉｎｋ  ｃｏｎｔｒｏｌ  ｉｎｆｏｒｍａｔｉｏｎ：ＤＣＩ）であり、前記下りリンク制御情報の種類は、ＨＡＲＱ−ＡＣＫ、ＲＩ（ｒａｎｋ  ｉｎｄｉｃａｔｏｒ）、ＣＳＩを含み、前記プロセッサは、前記下りリンク制御情報の種類に応じた優先順位に基づいて前記下りリンク無線信号の受信が可能であるのか判断する。
【００２１】
更に他の側面において、前記下りリンク無線信号はＳＳ／ＰＢＣＨブロックを含み、前記上りリンク無線信号は物理上りリンク制御チャネル、物理上りリンク共用チャネル、物理ランダムアクセスチャネル（ｐｈｙｓｉｃａｌ  ｒａｎｄｏｍ  ａｃｃｅｓｓ  ｃｈａｎｎｅｌ：ＰＲＡＣＨ）のうち少なくとも一つを含む。
【００２２】
更に他の側面において、前記上りリンク無線信号の伝送が、前記下りリンクシンボルのうち前記下りリンク無線信号の伝送のためのシンボルの最後のシンボルから予め決められた数のギャップシンボル以降に始まれば、前記プロセッサは、前記上りリンク無線信号の伝送を行う。
【００２３】
更に他の側面において、前記上りリンク無線信号の伝送が、前記下りリンクシンボルのうち前記下りリンク無線信号の伝送のためのシンボルの最後のシンボル、及び予め決められた数のギャップシンボルと少なくとも一つ重なれば、前記プロセッサは、前記上りリンク無線信号の伝送をドロップする。
【００２４】
更に他の側面において、前記スロットは前記基地局によって提供されるスロット構成に関する情報によって構成されるが、前記スロット構成に関する情報は、ＲＲＣ階層で生成されるセル特定（ｃｅｌｌ−ｓｐｅｃｉｆｉｃ）ＲＲＣメッセージと、端末特定（ＵＥ−ｓｐｅｃｉｆｉｃ）ＲＲＣメッセージと、物理階層で生成される動的スロットフォーマット情報とのうち少なくとも一つを含む。
【００２５】
本発明の他の様態によると、無線通信システムにおける端末による無線信号の送受信を行う方法を提供する。前記方法は、下りリンク伝送のための少なくとも一つの下りリンクシンボル、少なくとも一つのフレキシブルシンボル、及び上りリンク伝送のための少なくとも一つの上りリンクシンボルのうち少なくとも一つを含むように構成されるスロットの上で前記端末に割り当てられた上りリンク無線信号の伝送または前記下りリンク無線信号の受信が可能であるのか判断するステップと、前記判断によって前記上りリンク無線信号の伝送または前記下りリンク無線信号の受信を制御するステップと、を含む。
【００２６】
一側面において、前記上りリンク無線信号は物理上りリンク制御チャネル（ＰＵＣＣＨ）を含むが、前記制御するステップは、前記上りリンクシンボルの個数が一定個数以上の場合、または前記上りリンクシンボルの個数と前記フレキシブルシンボルの個数の合計が一定個数以上の場合に、前記物理上りリンク制御チャネルの伝送するステップを含む。
【００２７】
他の側面において、前記物理上りリンク制御チャネルの伝送に必要なシンボル（以下、ＰＤＣＣＨ伝送のためのシンボル）の個数が前記上りリンクシンボルの個数、または前記上りリンクシンボルの個数と前記フレキシブルシンボルの個数の合計より大きければ、前記制御するステップは、前記物理上りリンク制御チャネルをドロップするか、前記物理上りリンク制御チャネルをより少ない数のシンボルを要求する他のタイプの物理上りリンク制御チャネルに変換するか、前記スロット以降の少なくとも一つのスロットにわたって前記物理上りリンク制御チャネルを伝送するステップを含む。
【００２８】
また他の側面において、前記上りリンク無線信号は物理上りリンク制御チャネル（ＰＵＣＣＨ）を含み、前記ＰＵＣＣＨにはＨＡＲＱ−ＡＣＫがマッピングされ、前記制御するステップは、前記下りリンクシンボルが前記ＰＤＣＣＨ伝送のためのシンボルと重なれば、前記ＨＡＲＱ−ＡＣＫの伝送が不可能であると判断するか、前記ＨＡＲＱ−ＡＣＫの伝送を延期するステップを含む。
【００２９】
更に他の側面において、前記下りリンク無線信号は物理下りリンク共用チャネル（ＰＤＳＣＨ）または物理下りリンク制御チャネル（ＰＤＣＣＨ）を含むが、前記制御するステップは、前記下りリンクシンボルの個数が一定個数以上の場合、または前記下りリンクシンボルの個数と前記フレキシブルシンボルの個数の合計が一定個数以上の場合に、前記物理下りリンク共用チャネルまたは物理下りリンク制御チャネルを伝送するステップを含む。
【００３０】
更に他の側面において、前記下りリンク無線信号は物理下りリンク制御チャネル（ＰＤＣＣＨ）に含まれる下りリンク制御情報（ＤＣＩ）であり、前記下りリンク制御情報の種類は、ＨＡＲＱ−ＡＣＫ、ＲＩ、ＣＳＩを含み、前記制御するステップは、前記下りリンク制御情報の種類に応じた優先順位に基づいて前記下りリンク無線信号の受信が可能であるのか判断する。
【００３１】
更に他の側面において、前記下りリンク無線信号はＳＳ／ＰＢＣＨブロックを含み、前記上りリンク無線信号は物理上りリンク制御チャネル、物理上りリンク共用チャネル、物理ランダムアクセスチャネル（ＰＲＡＣＨ）のうち少なくとも一つを含む。
【００３２】
更に他の側面において、前記上りリンク無線信号の伝送が、前記下りリンクシンボルのうち前記下りリンク無線信号の伝送のためのシンボルの最後のシンボルから予め決められた数のギャップシンボル以降に始まれば、前記制御するステップは、前記上りリンク無線信号を伝送するステップを含む。
【００３３】
更に他の側面において、前記上りリンク無線信号の伝送が、前記下りリンクシンボルのうち前記下りリンク無線信号の伝送のためのシンボルの最後のシンボル、及び予め決められた数のギャップシンボルと少なくとも一つ重なれば、前記制御するステップは、前記上りリンク無線信号の伝送をドロップするステップを含む。
【００３４】
更に他の側面において、前記スロットは前記基地局によって提供されるスロット構成に関する情報によって構成されるが、前記スロット構成に関する情報は、ＲＲＣ階層で生成されるセル特定ＲＲＣメッセージと、端末特定ＲＲＣメッセージと、物理階層で生成される動的スロットフォーマット情報とのうち少なくとも一つを含む。
【００３５】
本発明のまた他の様態によると、無線通信システムにおける上りリンク伝送と下りリンク受信を行う端末を提供する。前記端末は上りリンク無線信を基地局に伝送するか、下りリンク無線信号を基地局から受信するように構成される通信モジュールと、下りリンク伝送のための下りリンクシンボル、フレキシブルシンボル、または上りリンク伝送のための上りリンクシンボルが少なくとも一つ構成されるスロットで上りリンク無線信号の伝送または下りリンク無線信号の受信が有効であるのかを判断し、前記判断によって前記上りリンク無線信号の伝送または前記下りリンク無線信号の受信を行うように構成されるプロセッサを含む。
【００３６】
一側面において、前記スロットにおいて、前記上りリンク無線信号が割り当てられたシンボルのうち最初のシンボルが、前記下りリンクシンボルまたは前記下りリンク無線信号の受信のために割り当てられたシンボルのうち最後のシンボルから予め決められた数のシンボル以降に始まれば、前記プロセッサは、前記上りリンク無線信号の伝送を行う。
【００３７】
他の側面において、前記スロットにおいて、前記上りリンク無線信号が割り当てられたシンボルのうち最初のシンボルが、前記下りリンクシンボル、前記下りリンク無線信号の受信のために割り当てられたシンボル、または前記シンボルの最後のシンボル以降の予め決められた数のシンボルのうち少なくとも一つのシンボルと重なれば、前記プロセッサは、前記上りリンク無線信号の伝送を行わない。
【００３８】
また他の側面において、前記上りリンク無線信号は物理上りリンク制御チャネル、物理上りリンク共有チャネル、物理ランダムアクセスチャネル、及びＳＲＳ（ｓｏｕｄｉｎｇ  ｒｅｆｅｒｅｎｃｅ  ｓｉｇｎａｌ）のうち少なくとも一つを含む。
【００３９】
更に他の側面において、前記上りリンク無線信号が割り当てられたシンボルのうち少なくとも一つのシンボルはフレキシブルシンボルである。
【００４０】
更に他の側面において、前記下りリンク無線信号はＳＳ／ＰＢＣＨ（ｓｙｎｃｈｒｏｎｉｚａｔｉｏｎ  ｓｉｇｎａｌ／ｐｈｙｓｉｃａｌ  ｂｒｏａｄｃａｓｔ  ｃｈａｎｎｅｌ）ブロック、物理下りリンク共有チャネル、物理下りリンク制御チャネル、またはＣＳＩ−ＲＳ（ｃｈａｎｎｅｌ  ｓｔａｔｅ  ｉｎｆｏｒｍａｔｉｏｎ  ｒｅｆｅｒｅｎｃｅ  ｓｉｇｎａｌ）のうち少なくとも一つを含む。
【００４１】
更に他の側面において、前記行っていない上りリンク無線信号は物理上りリンク制御チャネルであり、前記プロセッサは、前記物理上りリンク制御チャネルを前記スロットで伝送が有効な他のタイプの物理上りリンク制御チャネルに変換して伝送するか、前記スロット以降の伝送が有効なスロットのうち最も先のスロットで伝送する。
【００４２】
更に他の側面において、前記スロットにおいて、下りリンク無線信号が割り当てられたシンボルのうち最後のシンボルが、前記上りリンクシンボルまたは前記上りリンク無線信号の伝送のために割り当てられたシンボルのうち最初のシンボルから予め決められた数のシンボル以前に終われば、前記プロセッサは、前記下りリンク無線信号の受信を行う。
【００４３】
更に他の側面において、前記スロットにおいて、下りリンク無線信号が割り当てられたシンボルのうち最後のシンボルが、前記上りリンクシンボル、前記上りリンク無線信号の伝送のために割り当てられたシンボル、または前記シンボルの最初のシンボル以前の予め決められた数のシンボルのうち少なくとも一つのシンボルと重なれば、前記プロセッサは、前記下りリンク無線信号の受信を行わない。
【００４４】
更に他の側面において、前記下りリンク無線信号は物理下りリンク共有チャネル、物理下りリンク制御チャネル、またはＣＳＩ−ＲＳのうち少なくとも一つを含む。
【００４５】
更に他の側面において、前記下りリンク無線信号が割り当てられたシンボルのうち少なくとも一つのシンボルはフレキシブルシンボルである。
【００４６】
更に他の側面において、前記上りリンク無線信号は物理ランダムアクセスチャネルである。
【００４７】
更に他の側面において、前記スロットは前記基地局によって提供されるスロット構成に関する情報によって構成されるが、前記スロット構成に関する情報は、ＲＲＣ階層で生成されるセル特定ＲＲＣメッセージ、端末特定ＲＲＣメッセージ、または物理階層で生成される動的スロットフォーマット情報とのうち少なくとも一つを含む。
【００４８】
本発明の更に他の様態によると、無線通信システムにおける端末による上りリンク伝送と下りリンク受信を行う方法を提供する。前記方法は、下りリンク伝送のための下りリンクシンボル、フレキシブルシンボル、及び上りリンク伝送のための上りリンクシンボルが少なくとも一つ構成されたスロットで端末に割り当てられた上りリンク無線信号の伝送または前記下りリンク無線信号の受信が有効であるのか判断するステップと、前記判断によって前記上りリンク無線信号の伝送または前記下りリンク無線信号の受信を行うステップと、を含む。
【００４９】
一側面において、前記スロットにおいて、前記上りリンク無線信号が割り当てられたシンボルのうち最初のシンボルが、前記下りリンクシンボルまたは前記下りリンク無線信号の受信のために割り当てられたシンボルのうち最後のシンボルから予め決められた数のシンボル以降に始まれば、前記上りリンク無線信号の伝送が行われる。
【００５０】
他の側面において、前記スロットにおいて、前記上りリンク無線信号が割り当てられたシンボルのうち最初のシンボルが、前記下りリンクシンボル、前記下りリンク無線信号の受信のために割り当てられたシンボル、または前記シンボルの最後のシンボル以降の予め決められた数のシンボルのうち少なくとも一つのシンボルと重なれば、前記上りリンク無線信号の伝送は行われない。
【００５１】
また他の側面において、前記上りリンク無線信号は物理上りリンク制御チャネル、物理上りリンク共有チャネル、物理ランダムアクセスチャネル、及びＳＲＳのうち少なくとも一つを含む。
【００５２】
更に他の側面において、前記上りリンク無線信号が割り当てられたシンボルのうち少なくとも一つのシンボルはフレキシブルシンボルである。
【００５３】
更に他の側面において、前記下りリンク無線信号はＳＳ／ＰＢＣＨブロック、物理下りリンク共有チャネル、物理下りリンク制御チャネル、またはＣＳＩ−ＲＳのうち少なくとも一つを含む。
【００５４】
更に他の側面において、前記行われていない上りリンク無線信号は物理上りリンク制御チャネルであり、前記物理上りリンク制御チャネルは前記スロットで伝送が有効な他のタイプの物理上りリンク制御チャネルに変換して伝送されるか、前記スロット以降の伝送が有効なスロットのうち最も先のスロットで伝送される。
【００５５】
更に他の側面において、前記スロットにおいて、下りリンク無線信号が割り当てられたシンボルのうち最後のシンボルが、前記上りリンクシンボルまたは前記上りリンク無線信号の伝送のために割り当てられたシンボルのうち最初のシンボルから予め決められた数のシンボル以前に終われば、前記下りリンク無線信号の受信が行われる。
【００５６】
更に他の側面において、前記スロットにおいて、下りリンク無線信号が割り当てられたシンボルのうち最後のシンボルが、前記上りリンクシンボル、前記上りリンク無線信号の伝送のために割り当てられたシンボル、または前記シンボルの最初のシンボル以前の予め決められた数のシンボルのうち少なくとも一つのシンボルが重なれば、前記下りリンク無線信号の受信が行われない。
【００５７】
更に他の側面において、前記下りリンク無線信号は物理下りリンク共有チャネル、物理下りリンク制御チャネル、またはＣＳＩ−ＲＳのうち少なくとも一つを含む。
【００５８】
更に他の側面において、前記下りリンク無線信号が割り当てられたシンボルのうち少なくとも一つのシンボルはフレキシブルシンボルである。
【００５９】
更に他の側面において、前記上りリンク無線信号は物理ランダムアクセスチャネルである。
【００６０】
更に他の側面において、前記スロットは前記基地局によって提供されるスロット構成に関する情報によって構成されるが、前記スロット構成に関する情報は、ＲＲＣ階層で生成されるセル特定ＲＲＣメッセージ、端末特定ＲＲＣメッセージ、または物理階層で生成される動的スロットフォーマット情報とのうち少なくとも一つを含む。
【発明の効果】
【００６１】
本発明によると、スロットの構成が変更されても端末がＰＵＣＣＨを伝送することができるため、ＰＵＣＣＨ伝送の抜けまたはＰＵＣＣＨの不必要な再伝送を防ぐことができる。また、ＰＲＡＣＨのような上りリンク信号の有効なタイミングを定義することで、ネットワークの周波数効率の増加及び端末のエネルギー消耗を減らすことができる。
【００６２】
本発明から得られる効果は以上で言及した効果に限らず、言及していない他の効果は、以下の記載から本発明が属する技術分野で通常の知識を有する者に明確に理解されるはずである。
【図面の簡単な説明】
【００６３】
【図１】無線通信システムで使用される無線フレーム構造の一例を示す図である。
【図２】無線通信システムにおける下りリンク（ｄｏｗｎｌｉｎｋ、ＤＬ）／上りリンク（ｕｐｌｉｎｋ、ＵＬ）スロット構造の一例を示す図である。
【図３】３ＧＰＰシステムに利用される物理チャネルと該当物理チャンネルを利用した一般的な信号伝送方法を説明する図である。
【図４ａ】３ＧＰＰ  ＮＲシステムにおける初期セルアクセスのためのＳＳ／ＰＢＣＨブロックを示す図である。
【図４ｂ】３ＧＰＰ  ＮＲシステムにおける初期セルアクセスのためのＳＳ／ＰＢＣＨブロックを示す図である。
【図５ａ】３ＧＰＰ  ＮＲシステムにおける制御情報及び制御チャネル伝送のための手順を示す図である。
【図５ｂ】ＣＣＥ集成レベルとＰＤＣＣＨの多重化に関する図である。
【図６】３ＧＰＰ  ＮＲシステムにおけるＰＤＣＣＨ（ｐｈｙｓｉｃａｌ  ｄｏｗｎｌｉｎｋ  ｃｏｎｔｒｏｌ  ｃｈａｎｎｅｌ）が伝送されるＣＯＲＥＳＥＴ（ｃｏｎｔｒｏｌ  ｒｅｓｏｕｒｃｅ  ｓｅｔ）を示す図である。
【図７】３ＧＰＰ  ＮＲシステムにおけるＰＤＣＣＨ探索空間を設定する方法を示す図である。
【図８】キャリア集成（ｃａｒｒｉｅｒ  ａｇｇｒｅｇａｔｉｏｎ）を説明する概念図である。
【図９】単一キャリア通信と多重キャリア通信を説明するための図である。
【図１０】クロスキャリアスケジューリング技法が適用される例を示す図である。
【図１１】ＴＤＤ基盤の移動通信システムにおけるスロット構成を示す図である。
【図１２ａ】一例による無線通信システムで使用されるＰＵＣＣＨを示す図である。
【図１２ｂ】一例による無線通信システムで使用されるＰＵＣＣＨを示す図である。
【図１２ｃ】一例による無線通信システムで使用されるＰＵＣＣＨを示す図である。
【図１３】ＰＵＣＣＨをスロットで伝送する方法を示す図である。
【図１４ａ】スロット構成が変わることでＰＵＣＣＨを他のスロットに伝送する例を示す図である。
【図１４ｂ】スロット構成が変わることでＰＵＣＣＨを他のスロットに伝送する例を示す図である。
【図１５ａ】スロット構成によって反復ＰＵＣＣＨが伝送されるスロットを示す図である。
【図１５ｂ】スロット構成によって反復ＰＵＣＣＨが伝送されるスロットを示す図である。
【図１５ｃ】スロット構成によって反復ＰＵＣＣＨが伝送されるスロットを示す図である。
【図１６ａ】スロット構成によるＰＵＣＣＨ伝送可否を示す図である。
【図１６ｂ】スロット構成によるＰＵＣＣＨ伝送可否を示す図である。
【図１７】一実施例による端末と基地局の構成をそれぞれ示すブロック図である。
【発明を実施するための形態】
【００６４】
本明細書で使用される用語は本発明における機能を考慮してできるだけ現在広く使用されている一般的な用語を選択しているが、これは当分野に携わる技術者の意図、慣例、または新たな技術の出現などによって異なり得る。また、特定の場合は出願人が任意に選択したものもあるが、この場合、該当する発明の説明部分でその意味を記載する。よって、本明細書で使用される用語は、単なる用語の名称ではなく、その用語の有する実質的意味と本明細書全般にわたる内容に基づいて解析すべきであることを明らかにする。
【００６５】
明細書全体において、ある構成が他の構成を「連結」されているという際、これは「直接連結」されている場合だけでなく、その中間の他の構成要素を介在して「電気的に連結」されていることも含む。また、ある構成が特定構成要素を「含む」という際、これは特に反対する記載がない限り、他の構成要素を除くのではなく、他の構成要素を更に含むことを意味する。加えて、特定臨界を基準にする「以上」または「以下」という限定事項は、実施例によってそれぞれ「超過」または「未満」に適切に代替されてもよい。
【００６６】
以下の技術はＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線接続システムに使用される。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現される。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現される。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で具現される。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部である。３ＧＰＰ  ＬＴＥ（Ｌｏｎｇ  ｔｅｒｍ  ｅｖｏｌｕｔｉｏｎ）はＥ−ＵＴＲＡを使用するＥ−ＵＭＴＳ（Ｅｖｏｌｖｅｄ  ＵＭＴＳ）の一部であり、ＬＴＥ−Ａ（Ａｄｖａｎｃｅｄ）は３ＧＰＰ  ＬＴＥの進化したバージョンである。３ＧＰＰ  ＮＲはＬＴＥ／ＬＴＥ−Ａとは別途に設計されたシステムであって、ＩＭＴ−２０２０の要求条件であるｅＭＢＢ（ｅｎｈａｎｃｅｄ  Ｍｏｂｉｌｅ  ＢｒｏａｄＢａｎｄ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）、及びｍＭＴＣ（ｍａｓｓｉｖｅ  Ｍａｃｈｉｎｅ  Ｔｙｐｅ  Ｃｏｍｍｕｎｉｃａｔｉｏｎ）サービスを支援するためのシステムである。説明を明確にするために３ＧＰＰ  ＮＲを中心に説明するが、本発明の技術的思想はこれに限らない。
【００６７】
本明細書で特別な説明がない限り、基地局は、3GPP NRで定義するgNB（next generation node B）を含むことができる。また、特別な説明がない限り、端末は、UE（user equipment）を含むことができる。
【００６８】
図１は、無線通信システムで使用される無線フレーム構造の一例を示す図である。
【００６９】
図１を参照すると、３ＧＰＰ  ＮＲシステムで使用される無線フレーム（またはラジオフレーム）は、１０ｍｓ（ΔｆｍａｘＮｆ／１００）＊Ｔｃ）の長さを有する。また、無線フレームは１０個の均等な大きさのサブフレーム（ｓｕｂｆａｍｅ、ＳＦ）からなる。ここで、Δｆｍａｘ＝４８０＊１０３Ｈｚ、Ｎｆ＝４０９６、Ｔｃ＝１／（Δｆｒｅｆ＊Ｎｆ，ｒｅｆ）、Δｆｒｅｆ＝１５＊１０３Ｈｚ、Ｎｆ，ｒｅｆ＝２０４８である。一つのフレーム内の１０個のサブフレームにそれぞれ０から９までの番号が与えられる。それぞれのサブフレームは１ｍｓの長さを有し、サブキャリア間隔（ｓｕｂｃａｒｒｉｅｒ  ｓｐａｃｉｎｇ）によって一つまたは複数のスロットからなる。より詳しくは、３ＧＰＰ  ＮＲシステムで使用し得るサブキャリア間隔は１５＊２μｋＨｚである。μはサブキャリア間隔構成因子（ｓｕｂｃａｒｒｉｅｒ  ｓｐａｃｉｎｇ  ｃｏｎｆｉｇｕｒａｔｉｏｎ）であって、μ＝０〜４の値を有する。つまり、１５ｋＨｚ、３０ｋＨｚ、６０ｋＨｚ、１２０ｋＨｚ、または２４０ｋＨｚがサブキャリア間隔として使用される。１ｍｓ長さのサブフレームは２μ個のスロットからなる。この際、各スロットの長さは２−μｍｓである。一つのサブフレーム内の２μ個のスロットは、それぞれ０から２μ−１までの番号が与えられる。また、一つの無線フレーム内のスロットは、それぞれ０から１０＊２μ−１までの番号が与えられる。時間資源は、無線フレーム番号（または無線フレームインデックスともいう）、サブフレーム番号（またはサブフレームインデックスともいう）、スロット番号（またはスロットインデックス）のうち少なくともいずれか一つによって区分される。
【００７０】
図２は、無線通信システムにおける下りリンク（ＤＬ）／上りリンク（ＵＬ）スロット構造の一例を示す図である。特に、図２は３ＧＰＰ  ＮＲシステムの資源格子（ｒｅｓｏｕｒｃｅ  ｇｒｉｄ）構造を示す。
【００７１】
アンテナポート当たり一つの資源格子がある。図２を参照すると、スロットは時間ドメインで複数のＯＦＤＭシンボルを含み、周波数ドメインで複数の資源ブロック（ｒｅｓｏｕｒｃｅ  ｂｌｏｃｋ、ＲＢ）を含む。ＯＦＤＭシンボルは、一つのシンボル区間も意味する。特別な説明がない限り、ＯＦＤＭシンボルは簡単にシンボルと称される。以下、本明細書において、シンボルはＯＦＤＭシンボル、ＳＣ−ＦＤＭＡシンボル、ＤＦＴｓ−ＯＦＤＭシンボルなどを含む。
【００７２】
図２を参照すると、各スロットから伝送される信号はＮｓｉｚｅ、μｇｒｉｄ、ｘ＊ＮＲＢＳＣ個のサブキャリア（ｓｕｂｃａｒｒｉｅｒ）とＮｓｌｏｔｓｙｍｂ個のＯＦＤＭシンボルからなる資源格子で表現される。ここで、下りリンク資源格子であればｘ＝ＤＬであり、上りリンク資源格子であればｘ＝ＵＬである。Ｎｓｉｚｅ、μｇｒｉｄ、ｘはサブキャリア間隔構成因子μによる資源ブロック（ＲＢ）の個数を示し（ｘはＤＬまたはＵＬ）、Ｎｓｌｏｔｓｙｍｂはスロット内のＯＦＤＭシンボルの個数を示す。ＮＲＢＳＣは一つのＲＢを構成するサブキャリアの個数であって、ＮＲＢＳＣ＝１２である。ＯＦＤＭシンボルは、多重アクセス方式によってＣＰ−ＯＦＤＭ（ｃｙｃｌｉｃ  ｐｒｅｆｉｘ  ＯＦＤＭ）シンボル、またはＤＦＴ−Ｓ−ＯＦＤＭ（ｄｉｓｃｒｅｔｅ  Ｆｏｕｒｉｅｒ  ｔｒａｎｓｆｏｒｍ  ｓｐｒｅａｄ  ＯＦＤＭ）シンボルと称される。
【００７３】
一つのスロットに含まれるＯＦＤＭシンボルの数は、ＣＰ（ｃｙｃｌｉｃ  ｐｒｅｆｉｘ）の長さに応じて異なり得る。例えば、正規（ｎｏｒｍａｌ）ＣＰであれば一つのスロットが１４個のＯＦＤＭシンボルを含むが、拡張（ｅｘｔｅｎｄｅｄ）ＣＰであれば一つのスロットが１２個のＯＦＤＭシンボルを含む。具体的な実施例において、拡張ＣＰは６０ｋＨｚのサブキャリア間隔でのみ使用される。図２では説明の便宜上、一つのスロットが１４ＯＦＤＭシンボルからなる場合を例示したが、本発明の実施例は他の個数のＯＦＤＭシンボルを有するスロットでも同じ方式で適用される。図２を参照すると、各ＯＦＤＭシンボルは、周波数ドメインで、Ｎｓｉｚｅ、μｇｒｉｄ、ｘ＊ＮＲＢＳＣ個のサブキャリアを含む。サブキャリアの類型は、データを伝送するためのデータサブキャリア、参照信号（ｒｅｆｅｒｅｎｃｅ  ｓｉｇｎａｌ）を伝送するための参照信号サブキャリア、ガードバンド（ｇｕａｒｄ  ｂａｎｄ）に分けられる。キャリア周波数は中心周波数（ｃｅｎｔｅｒ  ｆｒｅｑｕｅｎｃｙ、ｆｃ）ともいう。
【００７４】
一つのＲＢは、周波数ドメインでＮＲＢＳＣ個（例えば、１２個）の連続するサブキャリアによって定義される。ちなみに、一つのＯＦＤＭシンボルと一つのサブキャリアからなる資源を資源要素（ｒｅｓｏｕｒｃｅ  ｅｌｅｍｅｎｔ、ＲＥ）またはトーン（ｔｏｎｅ）と称する。よって、一つのＲＢはＮｓｌｏｔｓｙｍｂ＊ＮＲＢＳＣ個の資源要素からなる。資源格子内の各資源要素は、一つのスロット内のインデックス対（ｋ、ｌ）によって固有に定義される。ｋは周波数ドメインで０からＮｓｉｚｅ、μｇｒｉｄ、ｘ＊ＮＲＢＳＣ−１まで与えられるインデックスであり、ｌは時間ドメインで０からＮｓｌｏｔｓｙｍｂ−１まで与えられるインデックスである。
【００７５】
端末が基地局から信号を受信するか基地局信号を伝送するためには、端末の時間／周波数同期を基地局の時間／周波数同期と合わせるべきである。基地局と端末が同期化しなければ、端末がＤＬ信号の復調及びＵＬ信号の伝送を正確な時点に行うのに必要な時間及び周波数パラメータを決定できないためである。
【００７６】
ＴＤＤ（ｔｉｍｅ  ｄｉｖｉｓｉｏｎ  ｄｕｐｌｅｘ）またはアンペアドスペクトル（ｕｎｐａｉｒｅｄ  ｓｐｅｃｔｒｕｍ）で動作する無線フレームの各シンボルは、下りリンクシンボル（ＤＬ  ｓｙｍｂｏｌ）、上りリンクシンボル（ＵＬ  ｓｙｍｂｏｌ）、またはフレキシブルシンボル（ｆｌｅｘｉｂｌｅ  ｓｙｍｂｏｌ）のうち少なくともいずれか一つからなる。ＦＤＤ（ｆｒｅｑｕｅｎｃｙ  ｄｉｖｉｓｉｏｎ  ｄｕｐｌｅｘ）またはペアドスペクトル（ｐａｉｒｅｄ  ｓｐｅｃｔｒｕｍ）で下りリンクキャリアで動作する無線フレームは、下りリンクシンボルまたはフレキシブルシンボルからなり、上りリンクキャリアで動作する無線フレームは、上りリンクシンボルまたはフレキシブルシンボルからなる。下りリンクシンボルでは下りリンク伝送はできるが上りリンク伝送はできず、上りリンクシンボルでは上りリンク伝送はできるが下りリンク伝送はできない。フレキシブルシンボルは、信号に応じて下りリンクで使用されるか上りリンクで使用されるかが決定される。
【００７７】
各シンボルのタイプ（ｔｙｐｅ）に関する情報、つまり、下りリンクシンボル、上りリンクシンボル、及びフレキシブルシンボルのうちいずれか一つを示す情報は、セル特定（ｃｅｌｌ−ｓｐｅｃｉｆｉｃまたはｃｏｍｍｏｎ）ＲＲＣ信号からなる。また、各シンボルのタイプに関する情報は、追加に特定端末（ＵＥ−ｓｐｅｃｉｆｉｃまたはｄｅｄｉｃａｔｅｄ）ＲＲＣ信号からなる。基地局は、セル特定ＲＲＣ信号を使用し、i）セル特定スロット構成の周期、ii）セル特定スロット構成の周期の最初から下りリンクシンボルのみを有するスロットの数、iii）下りリンクシンボルのみを有するスロットの直後のスロットの最初のシンボルから下りリンクシンボルの数、iv）セル特定スロット構成の周期の最後から上りリンクシンボルのみを有するスロットの数、v）上りリンクシンボルのみを有するスロットの直前のスロットの最後のシンボルから上りリンクシンボルの数を知らせる。ここで、上りリンクシンボルと下りリンクシンボルのいずれにも構成されていないシンボルはフレキシブルシンボルである。
【００７８】
シンボルタイプに関する情報が端末特定ＲＲＣ信号からなれば、基地局はフレキシブルシンボルが下りリンクシンボルなのかまたは上りリンクシンボルなのかを、セル特定ＲＲＣ信号でシグナリングする。この際、端末特定ＲＲＣ信号は、セル特定ＲＲＣ信号からなる下りリンクシンボルまたは上りリンクシンボルを他のシンボルタイプに変更することができない。特定端末ＲＲＣ信号は、各スロットごとに該当スロットのＮｓｌｏｔｓｙｍｂシンボルのうち下りリンクシンボルの数、該当スロットのＮｓｌｏｔｓｙｍｂシンボルのうち上りリンクシンボルの数をシグナリングする。この際、スロットの下りリンクシンボルはスロットの最初のシンボルからｉ番目のシンボルまで連続的に構成される。また、スロットの上りリンクシンボルはスロットのｊ番目のシンボルから最後のシンボルまで連続的に構成される（ここで、ｉ＜ｊ）。スロットにおいて、上りリンクシンボルと下りリンクシンボルのいずれにも構成されていないシンボルはフレキシブルシンボルである。
【００７９】
前記のようなＲＲＣ信号からなるシンボルのタイプをセミ−スタティック（ｓｅｍｉ−ｓｔａｔｉｃ）ＤＬ／ＵＬ構成と称する。上述したＲＲＣ信号からなるセミ−スタティックＤＬ／ＵＬ構成において、フレキシブルシンボルは物理下りリンク制御チャネル（ＰＤＣＣＨ）で伝送されるダイナミックＳＦＩ（ｓｌｏｔ  ｆｏｒｍａｔ  ｉｎｆｏｒｍａｔｉｏｎ）を介して下りリンクシンボル、上りリンクシンボル、またはフレキシブルシンボルに指示される。この際、ＲＲＣ信号からなる下りリンクシンボルまたは上りリンクシンボルは、他のシンボルタイプに変更されない。表１は、基地局が端末に指示するダイナミックＳＦＩを例示する。
【００８０】
【表１】
0006980317.tif 000002
【００８１】
表１において、Ｄは下りリンクシンボルを、Ｕは上りリンクシンボルを、Ｘはフレキシブルシンボルを示す。表１に示したように、一つのスロットで最大２回のＤＬ／ＵＬスイッチング（ｓｗｉｔｃｈｉｎｇ）が許容される。
【００８２】
図３は、３ＧＰＰシステム（例えば、ＮＲ）に利用される物理チャネルと、該当物理チャンネルを利用した一般的な信号伝送方法を説明する図である。
【００８３】
端末の電源がつくか端末が新しくセルに進入すれば、端末は初期セル探索作業を行うＳ１０１。詳しくは、端末は初期セル探索で基地局と同期を合わせる。このために、端末は基地局から主同期信号（ｐｒｉｍａｒｙ  ｓｙｎｃｈｒｏｎｉｚａｔｉｏｎ  ｓｉｇｎａｌ、ＰＳＳ）及び副同期信号（ｓｅｃｏｎｄａｒｙ  ｓｙｎｃｈｒｏｎｉｚａｔｉｏｎ  ｓｉｇｎａｌ、ＳＳＳ）を受信して基地局と同期を合わせ、セルＩＤなどの情報を獲得する。次に、端末は基地局から物理放送チャネルを受信し、セル内の放送情報を獲得する。
【００８４】
初期セル探索を終えた端末は、物理下りリンク制御チャネル（ＰＤＣＣＨ）及び前記ＰＤＣＣＨに乗せられている情報によって物理下りリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を受信することで、初期セル探索を介して獲得したシステム情報より詳しいシステム情報を獲得するＳ１０２。
【００８５】
端末が基地局に最初にアクセスするか信号伝送のための無線資源がなければ、端末は基地局に対して任意のアクセス過程を行うＳ１０３乃至Ｓ１０６。まず、端末は物理任意アクセスチャネル（ｐｈｙｓｉｃａｌ  ｒａｎｄｏｍ  ａｃｃｅｓｓ  ｃｈａｎｎｅｌ、ＰＲＡＣＨ）を介してプリアンブルを伝送しＳ１０３、基地局からＰＤＣＣＨ及び対応するＰＤＳＣＨを介してプリアンブルに対する応答メッセージを受信するＳ１０４。端末に有効なランダムアクセス応答メッセージが受信されれば、端末は基地局からＰＤＣＣＨを介して伝達された上りリンクグラントから指示した物理上りリンク共有チャネル（ｐｈｙｓｉｃａｌ  ｕｐｌｉｎｋ  ｓｈａｒｅｄ ｃｈａｎｎｅｌ、ＰＵＳＣＨ）を介して自らの識別子などを含むデータを基地局に伝送するＳ１０５。次に、端末は衝突を解決するために基地局の指示としてＰＤＣＣＨの受信を待つ。端末が自らの識別子を介してＰＤＣＣＨの受信に成功すればＳ１０６、ランダムアクセス過程は終了される。
【００８６】
上述した手順後、端末は一般的な上り／下りリンク信号伝送手順としてＰＤＣＣＨ／ＰＤＳＣＨ受信Ｓ１０７、及び物理上りリンク共有チャネル（ＰＵＳＣＨ）／物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）を伝送Ｓ１０８する。特に、端末は、ＰＤＣＣＨを介して下りリンク制御情報（ｄｏｗｎｌｉｎｋ  ｃｏｎｔｒｏｌ  ｉｎｆｏｒｍａｔｉｏｎ、ＤＣＩ）を受信する。ＤＣＩは、端末に対する資源割当情報のような制御情報を含む。また、ＤＣＩは使用目的に応じてフォーマットが異なり得る。端末が上りリンクを介して基地局に伝送する上りリンク制御情報（ｕｐｌｉｎｋ  ｃｏｎｔｒｏｌ  ｉｎｆｏｒｍａｔｉｏｎ、ＵＣＩ）は、下りリンク／上りリンクＡＣＫ／ＮＡＣＫ信号、ＣＱＩ（ｃｈａｎｎｅｌ  ｑｕａｌｉｔｙ  ｉｎｄｉｃａｔｏｒ）、ＰＭＩ（ｐｒｅｃｏｄｉｎｇ  ｍａｔｒｉｘ  ｉｎｄｅｘ）、ＲＩ（ｒａｎｋ  ｉｎｄｉｃａｔｏｒ）などを含む。ここで、ＣＱＩ、ＰＭＩ、及びＲＩは、ＣＳＩ（ｃｈａｎｎｅｌ  ｓｔａｔｅ  ｉｎｆｏｒｍａｔｉｏｎ）に含まれる。３ＧＰＰ  ＮＲシステムの場合、端末はＰＵＳＣＨ及び／またはＰＵＣＣＨを介して上述したＨＡＲＱ−ＡＣＫとＣＳＩなどの制御情報を伝送する。
【００８７】
図４は、３ＧＰＰ  ＮＲシステムにおける初期セルアクセスのためのＳＳ／ＰＢＣＨブロックを示す図である。
【００８８】
端末は、電源が入るか新しくセルにアクセスしようとする際、セルとの時間及び周波数同期を獲得し、初期セル探索過程を行う。端末は、セル探索過程でセルの物理セル識別子（ｐｈｙｓｉｃａｌ  ｃｅｌｌ  ｉｄｅｎｔｉｔｙ）ＮｃｅｌｌＩＤを検出する。このために、端末は基地局から同期信号、例えば、主同期信号（ＰＳＳ）及び副同期信号（ＳＳＳ）を受信して基地局と同期を合わせる。この際、端末はセル識別子（ｉｄｅｎｔｉｔｙ、ＩＤ）などの情報を獲得する。
【００８９】
図４（ａ）を参照して、同期信号（ｓｙｎｃｈｒｏｎｉｚａｔｉｏｎ  ｓｉｇｎａｌ、ＳＳ）をより詳しく説明する。同期信号はＰＳＳとＳＳＳに分けられる。ＰＳＳは、ＯＦＤＭシンボル同期、スロット同期のような時間ドメイン同期及び／または周波数ドメイン同期を得るために使用される。ＳＳＳは、フレーム同期、セルグループＩＤを得るために使用される。図４（ａ）と表２を参照すると、ＳＳ／ＰＢＣＨブロックは周波数軸に連続した２０ＲＢｓ（＝２４０サブキャリア）からなり、時間軸に連続した４ＯＦＤＭシンボルからなる。この際、ＳＳ／ＰＢＣＨブロックにおいて、ＰＳＳは最初のＯＦＤＭシンボル、ＳＳＳは３番目のＯＦＤＭシンボルで５６〜１８２番目のサブキャリアを介して伝送される。ここで、ＳＳ／ＰＢＣＨブロックの最も低いサブキャリアインデックスを０から付ける。ＰＳＳが伝送される最初のＯＦＤＭシンボルにおいて、残りのサブキャリア、つまり、０〜５５、１８３〜２３９番目のサブキャリアを介しては基地局が信号を伝送しない。また、ＳＳＳが伝送される３番目のＯＦＤＭシンボルにおいて、４８〜５５、１８３〜１９１番目のサブキャリアを介しては基地局が信号を伝送しない。基地局は、ＳＳ／ＰＢＣＨブロックにおいて、前記信号を除いた残りのＲＥを介してＰＢＣＨ（ｐｈｙｓｉｃａｌ  ｂｒｏａｄｃａｓｔ  ｃｈａｎｎｅｌ）を伝送する。
【００９０】
【表２】
0006980317.tif 000003
【００９１】
ＳＳは３つのＰＳＳとＳＳＳの組み合わせを介して計１００８個の固有の物理階層セル識別子（ｐｈｙｓｉｃａｌ  ｌａｙｅｒ  ｃｅｌｌ  ＩＤ）を、詳しくは、それぞれの物理階層セルＩＤはたった一つの物理−階層セル−識別子グループの部分になるように、各グループが３つの固有の識別子を含む３３６個の物理−階層セル−識別子グループにグルーピングされる。よって、物理階層セルＩＤ  ＮｃｅｌｌＩＤ＝３Ｎ（１）ＩＤ＋Ｎ（２）ＩＤは、物理−階層セル−識別子グループを示す０から３３５までの範囲内のインデックスＮ（１）ＩＤと、前記物理−階層セル−識別子グループ内の物理−階層識別子を示す０から２までのインデックスＮ（２）ＩＤによって固有に定義される。端末はＰＳＳを検出し、３つの固有の物理−階層識別子のうち一つを識別する。また、端末はＳＳＳを検出し、前記物理−階層識別子に連関する３３６個の物理階層セルＩＤのうち一つを識別する。この際、ＰＳＳのシーケンスｄＰＳＳ（ｎ）は以下の数式１のようである。
【００９２】
【数１】
0006980317.tif 000004
ここで、0≦n＜127であり、x（m）は、数学式2および3の通りである。
【００９３】
【数２】
0006980317.tif 000005
【数３】
0006980317.tif 000006
また、SSSのシーケンスdsss（n）は、式（4）と同じである。
【００９４】
【数４】
0006980317.tif 000007
ここで、0≦n＜127であり、x0（m）、x1（m）は、式5および6と同じである。
【００９５】
【数５】
0006980317.tif 000008
【数６】
0006980317.tif 000009
【００９６】
１０ｍｓ長さの無線フレームは、５ｍｓ長さの２つの半フレームに分けられる。図４（ｂ）を参照して、各半フレーム内でＳＳ／ＰＢＣＨブロックが伝送されるスロットについて説明する。ＳＳ／ＰＢＣＨブロックが伝送されるスロットは、ケースＡ、Ｂ、Ｃ、Ｄ、Ｅのうちいずれか一つである。ケースＡにおいて、サブキャリア間隔は１５ｋＨｚであり、ＳＳ／ＰＢＣＨブロックの開始時点は｛２、８｝＋１４＊ｎ番目のシンボルである。この際、３ＧＨｚ以下のキャリア周波数において、ｎ＝０、１である。また、３ＧＨｚ超過６ＧＨｚ以下のキャリア周波数において、ｎ＝０、１、２、３である。ケースＢにおいて、サブキャリア間隔は３０ｋＨｚであり、ＳＳ／ＰＢＣＨブロックの開始時点は｛４、８、１６、２０｝＋２８＊ｎ番目のシンボルである。この際、３ＧＨｚ以下のキャリア周波数において、ｎ＝０である。また、３ＧＨｚ超過６ＧＨｚ以下のキャリア周波数において、ｎ＝０、１である。ケースＣにおいて、サブキャリア間隔は３０ｋＨｚであり、ＳＳ／ＰＢＣＨブロックの開始時点は｛２、８｝＋１４＊ｎ番目のシンボルである。この際、３ＧＨｚ以下のキャリア周波数において、ｎ＝０、１である。また、３ＧＨｚ超過６ＧＨｚ以下のキャリア周波数において、ｎ＝０、１、２、３である。ケースＤにおいて、サブキャリア間隔は１２０ｋＨｚであり、ＳＳ／ＰＢＣＨブロックの開始時点は｛４、８、１６、２０｝＋２８＊ｎ番目のシンボルである。この際、６ＧＨｚ以上のキャリア周波数において、ｎ＝０、１、２、３、５、６、７、８、１０、１１、１２、１３、１５、１６、１７、１８である。ケースＥにおいて、サブキャリア間隔は２４０ｋＨｚであり、ＳＳ／ＰＢＣＨブロックの開始時点は｛８、１２、１６、２０、３２、３６、４０、４４｝＋５６＊ｎ番目のシンボルである。この際、６ＧＨｚ以上のキャリア周波数において、ｎ＝０、１、２、３、５、６、７、８である。
【００９７】
図５は、３ＧＰＰ  ＮＲシステムにおける制御情報及び制御チャネル伝送のための手順を示す図である。図５（ａ）を参照すると、基地局は制御情報（例えば、ＤＣＩ）にＲＮＴＩ（ｒａｄｉｏ  ｎｅｔｗｏｒｋ  ｔｅｍｐｏｒａｒｙ  ｉｄｅｎｔｉｆｉｅｒ）でマスク（例えば、ＸＯＲ演算）されたＣＲＣ（ｃｙｃｌｉｃ  ｒｅｄｕｎｄａｎｃｙ  ｃｈｅｃｋ）を付加するＳ２０２。基地局は、各制御情報の目的／対象に応じて決定されるＲＮＴＩ値でＣＲＣをスクランブルする。一つ以上の端末が使用する共通ＲＮＴＩは、ＳＩ−ＲＮＴＩ（ｓｙｓｔｅｍ  ｉｎｆｏｒｍａｔｉｏｎ  ＲＮＴＩ）、Ｐ−ＲＮＴＩ（ｐａｇｉｎｇ  ＲＮＴＩ）、ＲＡ−ＲＮＴＩ（ｒａｎｄｏｍ  ａｃｃｅｓｓ  ＲＮＴＩ）、及びＴＰＣ−ＲＮＴＩ（ｔｒａｎｓｍｉｔ  ｐｏｗｅｒ  ｃｏｎｔｒｏｌ  ＲＮＴＩ）のうち少なくともいずれか一つを含む。また、端末−特定ＲＮＴＩはＣ−ＲＮＴＩ（ｃｅｌｌ  ｔｅｍｐｏｒａｒｙ  ＲＮＴＩ）、ＣＳ−ＲＮＴＩ、またはＭＣＳ−Ｃ−ＲＮＴＩのうち少なくともいずれか一つを含む 次に、基地局はチャネルエンコーディング（例えば、ｐｏｌａｒ  ｃｏｄｉｎｇ）を行ったＳ２０４後、ＰＤＣＣＨ伝送のために使用された資源（ら）の量に合わせてレート−マッチング（ｒａｔｅ−ｍａｔｃｈｉｎｇ）をするＳ２０６。次に、基地局はＣＣＥ（ｃｏｎｔｒｏｌ  ｃｈａｎｎｅｌ  ｅｌｅｍｅｎｔ）基盤のＰＤＣＣＨ構造に基づいて、ＤＣＩ（ら）を多重化するＳ２０８。また、基地局は、多重化されたＤＣＩ（ら）に対してスクランブリング、モジュレーション（例えば、ＱＰＳＫ）、インターリービングなどの追加過程Ｓ２１０を適用した後、伝送しようとする資源にマッピングする。ＣＣＥはＰＤＣＣＨのための基本資源単位であり、一つのＣＣＥは複数（例えば、６つ）のＲＥＧ（ｒｅｓｏｕｒｃｅ  ｅｌｅｍｅｎｔ  ｇｒｏｕｐ）からなる。一つのＲＥＧは複数（例えば、１２個）のＲＥからなる。一つのＰＤＣＣＨのために使用されたＣＣＥの個数を集成レベル（ａｇｇｒｅｇａｔｉｏｎ  ｌｅｖｅｌ）と定義する。３ＧＰＰ  ＮＲシステムでは、１、２、４、８、または１６の集成レベルを使用する。図５（ｂ）はＣＣＥ集成レベルとＰＤＣＣＨの多重化に関する図であり、一つのＰＤＣＣＨのために使用されたＣＣＥ集成レベルの種類とそれによる制御領域で伝送されるＣＣＥ（ら）を示す。
【００９８】
図６は、３ＧＰＰ  ＮＲシステムにおけるＰＤＣＣＨが伝送されるＣＯＲＥＳＥＴを示す図である。
【００９９】
ＣＯＲＥＳＥＴは、端末のための制御信号であるＰＤＣＣＨが伝送される時間−周波数資源である。また、後述する探索空間（ｓｅａｒｃｈ  ｓｐａｃｅ）は一つのＣＯＲＥＳＥＴにマッピングされる。よって、端末はＰＤＣＣＨを受信するために全ての周波数帯域をモニタリングするのではなく、ＣＯＲＥＳＥＴと指定された時間−周波数領域をモニタリングして、ＣＯＲＥＳＥＴにマッピングされたＰＤＣＣＨをデコーディングする。基地局は、端末にセル別に一つまたは複数のＣＯＲＥＳＥＴを構成する。ＣＯＲＥＳＥＴは、時間軸に最大３つまでの連続したシンボルからなる。また、ＣＯＲＥＳＥＴは周波数軸に連続した６つのＰＲＢの単位からなる。図５の実施例において、ＣＯＲＥＳＥＴ＃１は連続的なＰＲＢからなり、ＣＯＲＥＳＥＴ＃２とＣＯＲＥＳＥＴ＃３は不連続的なＰＲＢからなる。ＣＯＲＥＳＥＴは、スロット内のいかなるシンボルにも位置し得る。例えば、図５の実施例において、ＣＯＲＥＳＥＴ＃１はスロットの最初のシンボルから始まり、ＣＯＲＥＳＥＴ＃２はスロットの５番目のシンボルから始まり、ＣＯＲＥＳＥＴ＃９はスロットの９番目のシンボルから始まる。
【０１００】
図７は、３ＧＰＰ  ＮＲシステムにおけるＰＤＣＣＨ探索空間を設定する方法を示す図である。
【０１０１】
端末にＰＤＣＣＨを伝送するために、各ＣＯＲＥＳＥＴには少なくとも一つ以上の探索空間が存在する。本発明の実施例において、探索空間は端末のＰＤＣＣＨが伝送される全ての時間−周波数資源（以下、ＰＤＣＣＨ候補）の集合である。探索空間は、３ＧＰＰ  ＮＲの端末が共通に探索すべき共通探索空間（ｃｏｍｍｏｎ  ｓｅａｒｃｈ  ｓｐａｃｅ）と、特定端末が探索すべき端末−特定探索空間（ｔｅｒｍｉｎａｌ−ｓｐｅｃｉｆｉｃ  ｏｒ  ＵＥ−ｓｐｅｃｉｆｉｃ  ｓｅａｒｃｈ  ｓｐａｃｅ）を含む。共通探索空間では、同一基地局に属するセルにおける全ての端末が共通に探すように設定されているＰＤＣＣＨをモニタリングする。また、端末−特定探索空間は、端末に応じて互いに異なる探索空間の位置で、各端末に割り当てられたＰＤＣＣＨをモニタリングするように端末別に設定される。端末−特定探索空間の場合、ＰＤＣＣＨが割り当てられる制限された制御領域のため、端末間の探索空間が部分的に重なって割り当てられている可能性がある。ＰＤＣＣＨをモニタリングすることは、探索空間内のＰＤＣＣＨ候補をブラインドデコーディングすることを含む。ブラインドデコーディングに成功した場合をＰＤＣＣＨが（成功的に）検出／受信されたと表現し、ブラインドデコーディングに失敗した場合をＰＤＣＣＨが未検出／未受信されたと表現か、成功的に検出／受信されていないと表現する。
【０１０２】
説明の便宜上、一つ以上の端末に下りリンク制御情報を伝送するために、一つ以上の端末が既に知っているグループ共通（ｇｒｏｕｐ  ｃｏｍｍｏｎ、ＧＣ）ＲＮＴＩでスクランブルされたＰＤＣＣＨをグループ共通（ＧＣ）ＰＤＣＣＨ、または共通ＰＤＣＣＨと称する。また、一つの特定端末に上りリンクスケジューリング情報または下りリンクスケジューリング情報を伝送するために、特定端末が既に知っている端末−特定ＲＮＴＩでスクランブルされたＰＤＣＣＨを端末−特定ＰＤＣＣＨと称する。前記共通ＰＤＣＣＨは共通探索空間に含まれ、端末−特定ＰＤＣＣＨは共通探索空間または端末−特定ＰＤＣＣＨに含まれる。
【０１０３】
基地局は、ＰＤＣＣＨを介して伝送チャネルであるＰＣＨ（ｐａｇｉｎｇ  ｃｈａｎｎｅｌ）及びＤＬ−ＳＣＨ（ｄｏｗｎｌｉｎｋ−ｓｈａｒｅｄ  ｃｈａｎｎｅｌ）の資源割当に関する情報（つまり、ＤＬ  Ｇｒａｎｔ）、またはＵＬ−ＳＣＨの資源割当とＨＡＲＱ（ｈｙｂｒｉｄ  ａｕｔｏｍａｔｉｃ  ｒｅｐｅａｔ  ｒｅｑｕｅｓｔ）に関する情報（つまり、ＵＬ  Ｇｒａｎｔ）を各端末または端末グループに知らせる。基地局は、ＰＣＨ伝送ブロック、及びＤＬ−ＳＣＨ伝送ブロックをＰＤＳＣＨを介して伝送する。基地局は、特定制御情報または特定サービスデータを除いたデータをＰＤＳＣＨを介して伝送する。また、端末は、特定制御情報または特定サービスデータを除いたデータをＰＤＳＣＨを介して受信する。
【０１０４】
基地局は、ＰＤＳＣＨのデータがいかなる端末（一つまたは複数の端末）に伝送されるのか、該当端末がいかにＰＤＳＣＨデータを受信しデコーディングすべきなのかに関する情報をＰＤＣＣＨに含ませて伝送する。例えば、特定ＰＤＣＣＨを介して伝送されるＤＣＩが「Ａ」というＲＮＴＩでＣＲＣマスキングされており、そのＤＣＩが「Ｂ」という無線資源（例えば、周波数位置）にＰＤＳＣＨが割り当てられていることを指示し、「Ｃ」という伝送形式情報（例えば、伝送ブロックのサイズ、変調方式、コーディング情報など）を指示すると仮定する。端末は、自らが有するＲＮＴＩ情報を利用してＰＤＣＣＨをモニタリングする。この場合、「Ａ」ＲＮＴＩを使用してＰＤＣＣＨをブラインドデコーディングする端末があれば、該当端末はＰＤＣＣＨを受信し、受信したＰＤＣＣＨの情報を介して「Ｂ」と「Ｃ」によって指示されるＰＤＳＣＨを受信する。
【０１０５】
表３は、無線通信システムで使用されるＰＵＣＣＨの一実施例を示す。
【０１０６】
【表３】
0006980317.tif 000010
【０１０７】
ＰＵＣＣＨは、以下の上りリンク制御情報（ＵＣＩ）を伝送するのに使用される。
【０１０８】
−ＳＲ（Ｓｃｈｅｄｕｌｉｎｇ  Ｒｅｑｕｅｓｔ）：上りリンクＵＬ−ＳＣＨ資源を要請するのに使用される情報である。
【０１０９】
−ＨＡＲＱ−ＡＣＫ：（ＤＬ  ＳＰＳ  ｒｅｌｅａｓｅを指示する）ＰＤＣＣＨに対する応答及び／またはＰＤＳＣＨ上の上りリンク伝送ブロック（ｔｒａｎｓｐｏｒｔ  ｂｌｏｃｋ、ＴＢ）に対する応答である。ＨＡＲＱ−ＡＣＫは、ＰＤＣＣＨまたはＰＤＳＣＨを介して伝送された情報の受信可否を示す。ＨＡＲＱ−ＡＣＫ応答は、ポジティブＡＣＫ（簡単に、ＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）、またはＮＡＣＫ／ＤＴＸを含む。ここで、ＨＡＲＱ−ＡＣＫという用語は、ＨＡＲＱ−ＡＣＫ／ＮＡＣＫ、ＡＣＫ／ＮＡＣＫと混用される。一般に、ＡＣＫはビット値１で表され、ＮＡＣＫはビット値０で表される。
【０１１０】
−ＣＳＩ：下りリンクチャネルに対するフィードバック情報である。基地局が伝送するＣＳＩ−ＲＳ（Ｒｅｆｅｒｅｎｃｅ  Ｓｉｇｎａｌ）に基づいて端末が生成する。ＭＩＭＯ（ｍｕｌｔｉｐｌｅ  ｉｎｐｕｔ  ｍｕｌｔｉｐｌｅ  ｏｕｔｐｕｔ）−関連フィードバック情報は、ＲＩ及びＰＭＩを含む。ＣＳＩは、ＣＳＩが示す情報に応じてＣＳＩパート１とＣＳＩパート２に分けられる。
【０１１１】
３ＧＰＰ  ＮＲシステムでは、多様なサービスシナリオと多様なチャネル環境、及びフレーム構造を支援するために、５つのＰＵＣＣＨフォーマットが使用される。
【０１１２】
ＰＵＣＣＨフォーマット０は、１ビットまたは２ビットＨＡＲＱ−ＡＣＫ情報またはＳＲを伝達するフォーマットである。ＰＵＣＣＨフォーマット０は、時間軸に１つまたは２つのＯＦＤＭシンボルと、周波数軸に１つのＲＢを介して伝送される。ＰＵＣＣＨフォーマット０が２つのＯＦＤＭシンボルで伝送されれば、２つのシンボルに同じシーケンスが互いに異なるＲＢで伝送される。これを介し、端末は周波数ダイバーシティゲイン（ｄｉｖｅｒｓｉｔｙ  ｇａｉｎ）を得る。より詳しくは、端末はＭｂｉｔビットＵＣＩ（Ｍｂｉｔ＝１ｏｒ２）に応じてサイクリックシフト（ｃｙｃｌｉｃ  ｓｈｉｆｔ）の値ｍｃｓを決定し、長さ１２のベースシーケンス（ｂａｓｅ  ｓｅｑｕｅｎｃｅ）を決められた値ｍｃｓでサイクリックシフトしたシーケンスを、１つのＯＦＤＭシンボル及び１つのＰＲＢの１２個のＲＥｓにマッピングして伝送する。端末が使用可能なサイクリックシフトの個数が１２個で、Ｍｂｉｔ＝１であれば、１ｂｉｔ  ＵＣＩ０と１は、サイクリックシフト値の差が６である２つのサイクリックシフトに当たるシーケンスで示される。また、Ｍｂｉｔ＝２であれば、２ｂｉｔ  ＵＣＩ００、０１、１１、１０は、サイクリックシフト値の差が３である４つのサイクリックシフトに当たるシーケンスで示される。
【０１１３】
ＰＵＣＣＨフォーマット１は、１ビットまたは２ビットＨＡＲＱ−ＡＣＫ情報またはＳＲを伝達する。ＰＵＣＣＨフォーマット１は、時間軸に連続的なＯＦＤＭシンボルと、周波数軸に１つのＰＲＢを介して伝送される。ここで、ＰＵＣＣＨフォーマット１が占めるＯＦＤＭシンボルの数は４〜１４のうち一つである。より詳しくは、Ｍｂｉｔ＝１であるＵＣＩはＢＰＳＫでモジュレーションされる。端末は、Ｍｂｉｔ＝２であるＵＣＩをＱＰＳＫ（ｑｕａｄｒａｔｕｒｅ  ｐｈａｓｅ  ｓｈｉｆｔ  ｋｅｙｉｎｇ）でモジュレーションされる。モジュレーションされた複素数シンボル（ｃｏｍｐｌｅｘ  ｖａｌｕｅｄ  ｓｙｍｂｏｌ）ｄ（０）に長さ１２のシーケンスをかけて信号を得る。端末は、得られた信号をＰＵＣＣＨフォーマット１が割り当てられた偶数番目のＯＦＤＭシンボルに、時間軸ＯＣＣ（ｏｒｔｈｏｇｏｎａｌ  ｃｏｖｅｒ  ｃｏｄｅ）でスプレッディング（ｓｐｒｅａｄｉｎｇ）して伝送する。ＰＵＣＣＨフォーマット１は、使用するＯＣＣの長さに応じて同じＲＢで多重化される互いに異なる端末の最大個数が決めあれる。ＰＵＣＣＨフォーマット１の奇数番目ＯＦＤＭシンボルには、ＤＭＲＳ（ｄｅｍｏｄｕｌａｔｉｏｎ  ｒｅｆｅｒｅｎｃｅ  ｓｉｇｎａｌ）がＯＣＣでスプレッディングされてマッピングされる。
【０１１４】
ＰＵＣＣＨフォーマット２は、２ビットを超過するＵＣＩを伝達する。ＰＵＣＣＨフォーマット２は、時間軸に１つまたは２つのＯＦＤＭシンボルと、周波数軸に１つまたは複数個のＲＢを介して伝送される。ＰＵＣＣＨフォーマット２が２つのＯＦＤＭシンボルで伝送されれば、２つのＯＦＤＭシンボルを介して同じシーケンスが互いに異なるＲＢで伝送される。これを介し、端末は周波数ダイバーシティゲインを得る。より詳しくは、ＭｂｉｔビットＵＣＩ（Ｍｂｉｔ＞２）はビット−レベルスクランブリングされ、ＱＰＳＫモジュレーションされて１つまたは２つのＯＦＤＭシンボル（ら）のＲＢ（ら）にマッピングされる。ここで、ＲＢの数は１〜１６のうち一つである。
【０１１５】
ＰＵＣＣＨフォーマット３またはＰＵＣＣＨフォーマット４は、２ビットを超過するＵＣＩを伝達する。ＰＵＣＣＨフォーマット３またはＰＵＣＣＨフォーマット４は、時間軸に連続的なＯＦＤＭシンボルと、周波数軸に１つのＰＲＢを介して伝送される。ＰＵＣＣＨフォーマット３またはＰＵＣＣＨフォーマット４が占めるＯＦＤＭシンボルの数は４〜１４のうち一つである。詳しくは、端末は、ＭｂｉｔビットＵＣＩ（Ｍｂｉｔ＞２）をπ／２−ＢＰＳＫ（Ｂｉｎａｒｙ  Ｐｈａｓｅ  Ｓｈｉｆｔ  Ｋｅｙｉｎｇ）またはＱＰＳＫでモジュレーションし、複素数シンボルｄ（０）〜ｄ（Ｍｓｙｍｂ−１）を生成する。ここで、π／２−ＢＰＳＫを使用するとＭｓｙｍｂ＝Ｍｂｉｔであり、ＱＰＳＫを使用するとＭｓｙｍｂ＝Ｍｂｉｔ／２である。端末は、ＰＵＣＣＨフォーマット３にブロック−単位スプレディングを適用しない。但し、端末は、ＰＵＣＣＨフォーマット４が２つまたは４つの多重化容量（ｍｕｌｔｉｐｌｅｘｉｎｇ  ｃａｐａｃｉｔｙ）を有するように、長さ−１２のＰｒｅＤＦＴ−ＯＣＣを使用して１つのＲＢ（つまり、１２ｓｕｂｃａｒｒｉｅｒｓ）にブロック−単位スプレディングを適用してもよい。端末は、スプレディングされた信号を伝送プリコーディング（ｔｒａｎｓｍｉｔ  ｐｒｅｃｏｄｉｎｇ）（またはＤＦＴ−ｐｒｅｃｏｄｉｎｇ）し、各ＲＥにマッピングして、スプレディングされた信号を伝送する。
【０１１６】
この際、ＰＵＣＣＨフォーマット２、ＰＵＣＣＨフォーマット３、またはＰＵＣＣＨフォーマット４が占めるＲＢの数は、端末が伝送するＵＣＩの長さと最大コードレート（ｃｏｄｅ  ｒａｔｅ）に応じて決定される。端末がＰＵＣＣＨフォーマット２を使用すれば、端末はＰＵＣＣＨを介してＨＡＲＱ−ＡＣＫ情報及びＣＳＩ情報を共に伝送する。もし、端末が伝送し得るＲＢの数がＰＵＣＣＨフォーマット２、ＰＵＣＣＨフォーマット３、またはＰＵＣＣＨフォーマット４が使用し得る最大ＲＢの数より大きければ、端末はＵＣＩ情報の優先順位に応じて一部のＵＣＩ情報は伝送せず、残りのＵＣＩ情報のみ伝送する。
【０１１７】
ＰＵＣＣＨフォーマット１、ＰＵＣＣＨフォーマット３、またはＰＵＣＣＨフォーマット４がスロット内で周波数ホッピング（ｆｒｅｑｕｅｎｃｙ  ｈｏｐｐｉｎｇ）を指示するように、ＲＲＣ信号を介して構成される。周波数ホッピングが構成される際、周波数ホッピングするＲＢのインデックスはＲＲＣ信号からなる。ＰＵＣＣＨフォーマット１、ＰＵＣＣＨフォーマット３、またはＰＵＣＣＨフォーマット４が時間軸でＮ個のＯＦＤＭシンボルにわたって伝送されれば、最初のホップ（ｈｏｐ）はｆｌｏｏｒ（Ｎ／２）個のＯＦＤＭシンボルを有し、２番目のホップはｃｅｉｌ（Ｎ／２）個のＯＦＤＭシンボルを有する。
【０１１８】
ＰＵＣＣＨフォーマット１、ＰＵＣＣＨフォーマット３、またはＰＵＣＣＨフォーマット４は、複数のスロットに繰り返し伝送さ得るように構成される。この際、ＰＵＣＣＨが繰り返し伝送されるスロットの個数ＫはＲＲＣ信号によって構成される。繰り返し伝送されるＰＵＣＣＨは、各スロット内で同じ位置のＯＦＤＭシンボルから始まり、同じ長さを有するべきである。端末がＰＵＣＣＨを伝送すべきスロットのＯＦＤＭシンボルのうちいずれか一つのＯＦＤＭシンボルでもＲＲＣ信号によってＤＬシンボルと指示されれば、端末はＰＵＣＣＨを該当スロットから伝送せず、次のスロットに延期して伝送する。
【０１１９】
一方、３ＧＰＰ  ＮＲシステムにおいて、端末はキャリア（またはセル）の帯域幅より小さいか同じ帯域幅を利用して送受信を行う。そのために、端末はキャリア帯域幅のうち一部の連続的な帯域幅からなるＢＷＰ（ｂａｎｄｗｉｄｔｈ  ｐａｒｔ）を構成される。ＴＤＤに応じて動作するかまたはアンペアドスペクトルで動作する端末は、一つのキャリア（またはセル）に最大４つのＤＬ／ＵＬ  ＢＷＰペア（ｐａｉｒｓ）を構成される。また、端末は一つのＤＬ／ＵＬ  ＢＷＰペアを活性化する。ＦＤＤに応じて動作するかまたはペアドスペクトルで動作する端末は、下りリンクキャリア（またはセル）に最大４つのＤＬ  ＢＷＰを構成され、上りリンクキャリア（またはセル）に最大４つのＵＬ  ＢＷＰを構成される。端末は、各キャリア（またはセル）ごとに一つのＤＬ  ＢＷＰとＵＬ  ＢＷＰを活性化する。端末は、活性化されたＢＷＰ以外の時間−周波数資源から受信するか送信しなくてもよい。活性化されたＢＷＰをアクティブＢＷＰと称する。
【０１２０】
基地局は、端末が構成されたＢＷＰのうち活性化されたＢＷＰをＤＣＩと称する。ＤＣＩで指示したＢＷＰは活性化され、他の構成されたＢＷＰ（ら）は非活性化される。ＴＤＤで動作するキャリア（またはセル）において、基地局は端末のＤＬ／ＵＬ  ＢＷＰペアを変えるために、ＰＤＳＣＨまたはＰＵＳＣＨをスケジューリングするＤＣＩに活性化されるＢＷＰを指示するＢＰＩ（ｂａｎｄｗｉｄｔｈ  ｐａｒｔ  ｉｎｄｉｃａｔｏｒ）を含ませる。 端末は、ＰＤＳＣＨまたはＰＵＳＣＨをスケジューリングするＤＣＩを受信し、ＢＰＩに基づいて活性化されるＤＬ／ＵＬ  ＢＷＰペアを識別する。ＦＤＤで動作する下りリンクキャリア（またはセル）の場合、基地局は端末のＤＬ  ＢＷＰを変えるために、ＰＤＳＣＨをスケジューリングするＤＣＩに活性化されるＢＷＰを知らせるＢＰＩを含ませる。ＦＤＤで動作する上りリンクキャリア（またはセル）の場合、基地局は端末のＵＬ  ＢＷＰを変えるために、ＰＵＳＣＨをスケジューリングするＤＣＩに活性化されるＢＷＰを指示するＢＰＩを含ませる。
【０１２１】
図８は、キャリア集成を説明する概念図である。キャリア集成とは、無線通信システムがより広い周波数帯域を使用するために、端末が上りリンク資源（またはコンポーネントキャリア）及び／または下りリンク資源（またはコンポーネントキャリア）からなる周波数ブロック、または（論理的意味の）セルを複数個使用して一つの大きい論理周波数帯域で使用する方法を意味する。以下では説明の便宜上、コンポーネントキャリアという用語に統一する。
【０１２２】
図８を参照すると、３ＧＰＰ  ＮＲシステムの一例示として、全体システム帯域は最大１６個のコンポーネントキャリアを含み、それぞれのコンポーネントキャリアは最大４００ＭＨｚの帯域幅を有する。コンポーネントキャリアは、一つ以上の物理的に連続するサブキャリアを含む。図８ではそれぞれのコンポーネントキャリアがいずれも同じ帯域幅を有するように示したが、これは例示に過ぎず、それぞれのコンポーネントキャリアは互いに異なる帯域幅を有してもよい。また、それぞれのコンポーネントキャリアは周波数軸で互いに隣接しているように示したが、前記図面は論理的な概念で示したものであって、それぞれのコンポーネントキャリアは物理的に互いに隣接してもよく、離れていてもよい。
【０１２３】
それぞれのコンポーネントキャリアにおいて、互いに異なる中心周波数が使用される。また、物理的に隣接したコンポーネントキャリアにおいて、共通した一つの中心周波数が使用される。図８の実施例において、全てのコンポーネントキャリアが物理的に隣接していると仮定すれば、全てのコンポーネントキャリアで中心周波数Ａが使用される。また、それぞれのコンポーネントキャリアが物理的に隣接していないと仮定すれば、コンポーネントキャリアそれぞれにおいて中心周波数Ａ、中心周波数Ｂが使用される。
【０１２４】
キャリア集成で全体のシステム帯域が拡張されれば、各端末との通信に使用される周波数帯域はコンポーネントキャリア単位に定義される。端末Ａは全体のシステム帯域である１００ＭＨｚを使用し、５つのコンポーネントキャリアをいずれも使用して通信を行う。端末Ｂ１〜Ｂ５は２０ＭＨｚの帯域幅のみを使用し、一つのコンポーネントキャリアを使用して通信を行う。端末Ｃ１及びＣ２は４０ＭＨｚの帯域幅のみを使用し、それぞれ２つのコンポーネントキャリアを利用して通信を行う。２つのコンポーネントキャリアは、論理／物理的に隣接するか隣接しない。図８の実施例では、端末Ｃ１が隣接していない２つのコンポーネントキャリアを使用し、端末Ｃ２が隣接した２つのコンポーネントキャリアを使用する場合を示す。
【０１２５】
図９は、端末キャリア通信と多重キャリア通信を説明するための図である。特に、図９（ａ）は単一キャリアのサブフレーム構造を示し、図９（ｂ）は多重キャリアのサブフレーム構造を示す。
【０１２６】
図９（ａ）を参照すると、一般的な無線通信システムはＦＤＤモードの場合一つのＤＬ帯域とそれに対応する一つのＵＬ帯域を介してデータ伝送または受信を行う。他の具体的な実施例において、無線通信システムはＴＤＤモードの場合、無線フレームを時間ドメインで上りリンク時間ユニットと下りリンク時間ユニットに区分し、上り／下りリンク時間ユニットを介してデータ伝送または受信を行う。図９（ｂ）を参照すると、ＵＬ及びＤＬにそれぞれ３つの２０ＭＨｚコンポーネントキャリア（ｃｏｍｐｏｎｅｎｔ  ｃａｒｒｉｅｒ、ＣＣ）が集まって、６０ＭＨｚの帯域幅が支援される。それぞれのＣＣは、周波数ドメインで互いに隣接するか非−隣接する。図９（ｂ）は、便宜上ＵＬ  ＣＣの帯域幅とＤＬ  ＣＣの帯域幅がいずれも同じで対称な場合を示したが、各ＣＣの帯域幅は独立的に決められてもよい。また、ＵＬ  ＣＣの個数とＤＬ  ＣＣの個数が異なる非対称のキャリア集成も可能である。ＲＲＣを介して特定端末に割当／構成されたＤＬ／ＵＬ  ＣＣを特定端末のサービング（ｓｅｒｖｉｎｇ）ＤＬ／ＵＬ  ＣＣと称する。
【０１２７】
基地局は、端末のサービングＣＣのうち一部または全部と活性化（ａｃｔｉｖａｔｅ）するか一部のＣＣを非活性化（ｄｅａｃｔｉｖａｔｅ）して、端末と通信を行う。基地局は、活性化／非活性化されるＣＣを変更してもよく、活性化／非活性化されるＣＣの個数を変更してもよい。基地局が端末に利用可能なＣＣをセル−特定または端末−特定に割り当てると、端末に対するＣＣ割当が全面的に再構成されるか端末がハンドオーバー（ｈａｎｄｏｖｅｒ）しない限り、一旦割り当てられたＣＣのうち少なくとも一つは非活性化されなくてもよい。端末に非活性化されない一つのＣを主ＣＣ（ｐｒｉｍａｒｙ  ＣＣ、ＰＣＣ）またはＰＣｅｌｌ（ｐｒｉｍａｒｙ  ｃｅｌｌ）と称し、基地局が自由に活性化／非活性化されるＣＣを副ＣＣ（ｓｅｃｏｎｄａｒｙ  ＣＣ、ＳＣＣ）またはＳＣｅｌｌ（ｓｅｃｏｎｄａｒｙ  ｃｅｌｌ）と称する。
【０１２８】
一方、３ＧＰＰ  ＮＲは無線資源を管理するためにセル（ｃｅｌｌ）の概念を使用する。セルは、下りリンク資源と上りリンク資源の組み合わせ、つまり、ＤＬ  ＣＣとＵＬ  ＣＣの組み合わせと定義される。セルは、ＤＬ資源単独、またはＤＬ資源とＵＬ資源の組み合わせからなる。キャリア集成が支援されれば、ＤＬ資源（または、ＤＬ  ＣＣ）のキャリア周波数とＵＬ資源（または、ＵＬ  ＣＣ）のキャリア周波数との間のリンケージ（ｌｉｎｋａｇｅ）はシステム情報によって指示される。キャリア周波数とは、各セルまたはＣＣの中心周波数を意味する。ＰＣＣに対応するセルをＰＣｅｌｌと称し、ＳＣＣに対応するセルをＳＣｅｌｌと称する。下りリンクにおいてＰＣｅｌｌに対応するキャリアはＤＬ  ＰＣＣであり、上りリンクにおいてＰＣｅｌｌに対応するキャリアはＵＬ  ＰＣＣである。類似して、下りリンクにおいてＳＣｅｌｌに対応するキャリアはＤＬ  ＳＣＣであり、上りリンクにおいてＳＣｅｌｌに対応するキャリアはＵＬ  ＳＣＣである。端末性能（ｃａｐａｃｉｔｙ）に応じて、サービングセル（ら）は一つのＰＣｅｌｌと０以上のＳＣｅｌｌからなる。ＲＲＣ＿ＣＯＮＮＥＣＴＥＤ状態にあるがキャリア集成が設定されていないか、キャリア集成を支援しないＵＥの場合、ＰＣｅｌｌのみからなるサービングセルがたった一つ存在する。
【０１２９】
上述したように、キャリア集成で使用されるセルという用語は、一つの基地局または一つのアンテナグループによって通信サービスが提供される一定の地理的領域を称するセルという用語とは区分される。但し、一定の地理的領域を称するセルとキャリア集成のセルを区分するために、本発明ではキャリア集成のセルをＣＣと称し、地理的領域のセルをセルと称する。
【０１３０】
図１０は、クロスキャリアスケジューリング技法が適用される例を示す図である。クロスキャリアスケジューリングが設定されれば、第１ＣＣを介して伝送される制御チャネルはキャリア指示子フィールド（ｃａｒｒｉｅｒ  ｉｎｄｉｃａｔｏｒ  ｆｉｅｌｄ、ＣＩＦ）を利用して、第１ＣＣまたは第２ＣＣを介して伝送されるデータチャネルをスケジューリングする。ＣＩＦはＤＣＩ内に含まれる。言い換えると、スケジューリングセル（ｓｃｈｅｄｕｌｉｎｇ  ｃｅｌｌ）が設定され、スケジューリングセルのＰＤＣＣＨ領域から伝送されるＤＬグラント／ＵＬグラントは、被スケジューリングセル（ｓｃｈｅｄｕｌｅｄ  ｃｅｌｌ）のＰＤＳＣＨ／ＰＵＳＣＨをスケジューリングする。つまり、複数のコンポーネントキャリアに対する検索領域がスケジューリングセルのＰＤＣＣＨ領域が存在する。ＰＣｅｌｌは基本的にスケジューリングセルであり、特定ＳＣｅｌｌが上位階層によってスケジューリングセルと指定される。
【０１３１】
図１０の実施例では、３つのＤＬ  ＣＣが併合されていると仮定する。ここで、ＤＬコンポーネントキャリア＃０はＤＬ  ＰＣＣ（または、ＰＣｅｌｌ）と仮定し、ＤＬコンポーネントキャリア＃１及びＤＬコンポーネントキャリア＃２はＤＬ  ＳＣＣ（または、ＳＣｅｌｌ）と仮定する。また、ＤＬ  ＰＣＣがＰＤＣＣＨモニタリングＣＣと設定されていると仮定する。端末−特定（または端末−グループ−特定、またはセル−特定）上位階層シグナリングによってクロスキャリアスケジューリングを構成しなければＣＩＦがディスエーブル（ｄｉｓａｂｌｅ）となり、それぞれのＤＬ  ＣＣはＮＲ  ＰＤＣＣＨ規則に従ってＣＩＦなしに自らのＰＤＳＣＨをスケジューリングするＰＤＣＣＨのみを伝送する（ノン−クロス−キャリアスケジューリング、セルフ−キャリアスケジューリング）。それに対し、端末−特定（または端末−グループ−特定、またはセル−特定）上位階層シグナリングによってクロスキャリアスケジューリングを構成すればＣＩＦがイネーブル（ｅｎｓａｂｌｅ）となり、特定のＣＣ（例えば、ＤＬ  ＰＣＣ）はＣＩＦを利用してＤＬ  ＣＣ  ＡのＰＤＳＣＨをスケジューリングするＰＤＣＣＨのみならず、他のＣＣのＰＤＳＣＨをスケジューリングするＰＤＣＣＨも伝送する（クロス−キャリアスケジューリング）。それに対し、他のＤＬ  ＣＣではＰＤＣＣＨが伝送されない。よって、端末は端末にクロスキャリアスケジューリングが構成されているのか否かに応じて、ＣＩＦを含まないＰＤＣＣＨをモニタリングしてセルフキャリアスケジューリングされたＰＤＳＣＨを受信するか、ＣＩＦを含むＰＤＣＣＨをモニタリングしてクロスキャリアスケジューリングされたＰＤＳＣＨを受信する。
【０１３２】
一方、図９及び図１０は、３ＧＰＰ  ＬＴＥ−Ａシステムのサブフレーム構造を例示しているが、これと同じまたは類似した構成が３ＧＰＰ  ＮＲシステムにも適用可能である。但し、３ＧＰＰ  ＮＲシステムにおいて、図９及び図１０のサブフレームはスロットに切り替えられる。
【０１３３】
本発明において、一つのスロットに含まれたシンボルの数はｎｏｒｍａｌ  ＣＰ（ｃｙｃｌｉｃ  ｐｒｅｆｉｘ）からなるセルであれば１４であり、ｅｘｔｅｎｄｅｄ  ＣＰからなるセルであれば１２であるが、説明の便宜上、７つのシンボルと仮定して説明する。
【０１３４】
図１１は、ＴＤＤ基盤の移動通信システムにおけるスロット構成を示す図である。
【０１３５】
図１１を参照すると、ＤＬシンボルのみ含むスロット（ＤＬ−ｏｎｌｙ）、ＤＬシンボルを主とするスロット（ＤＬ−ｃｅｎｔｒｉｃ）、ＵＬシンボルを主とするスロット（ＵＬ−ｃｅｎｔｒｉｃ）、ＵＬシンボルのみ含むスロット（ＵＬ−ｏｎｌｙ）のような４つのスロット構成が定義される。
【０１３６】
一つのスロットは７つのシンボルを含む。下りリンクから上りリンクに変更される際、または上りリンクから下りリンクに変更される際にギャップ（ｇａｐ、ＧＰ）が存在する。つまり、下りリンクと上りリンクとの間、または上りリンクと下りリンクとの間にギャップが挿入される。下りリンク制御情報を伝送するのに一つのシンボルが使用される。以下、ギャップを構成するシンボルをギャップシンボルとする。
【０１３７】
ＤＬシンボルのみ含むスロット（ＤＬ−ｏｎｌｙ）は文字通りＤＬシンボルのみを含む。例えば、ＤＬシンボルのみ含むスロットは図１１のＤＬ−ｏｎｌｙのように７つのＤＬシンボルを含む。
【０１３８】
ＤＬシンボルを主とするスロット（ＤＬ−ｃｅｎｔｒｉｃ）は多数のＤＬシンボル、少なくとも一つのギャップシンボル、少なくとも一つのＵＬシンボルを含む。例えば、ＤＬシンボルを主とするスロットは図１１のＤＬ−ｃｅｎｔｒｉｃのように５つのＤＬシンボル、一つのギャップシンボル、そして一つのＵＬシンボルを順次に含む。
【０１３９】
ＵＬシンボルを主とするスロット（ＵＬ−ｃｅｎｔｒｉｃ）は少なくとも一つのＤＬシンボル、少なくとも一つのギャップシンボル、そして多数のＵＬシンボルを含む。例えば、ＵＬシンボルを主とするスロットは図１１のＵＬ−ｃｅｎｔｒｉｃのように一つのＤＬシンボル、１つのギャップシンボル、そして５つのＵＬシンボルを順次に含む。
【０１４０】
ＵＬシンボルのみ含むスロット（ＵＬ−ｏｎｌｙ）は文字通りＵＬシンボルのみを含む。例えば、ＵＬシンボルのみ含むスロットは図１１のＵＬ−ｏｎｌｙのように７つのＵＬシンボルを含む。
【０１４１】
ネットワークはデフォルト（ｄｅｆａｕｌｔ）スロット構成を端末に知らせるが、このためにＲＲＣシグナリングが使用される。ＲＲＣシグナリングと設定されたデフォルトスロット構成に関する情報は、半静的ＤＬ／ＵＬ割当情報と称する。デフォルトスロット構成は、基地局が別途のスロット構成の変更に対するシグナリングを端末に伝送していなければ、端末がネットワークが使用すると仮定し得るスロット構成である。３ＧＰＰ  ＮＲシステムでは、端末の多様なトラフィック状況に合わせてスロット構成を変える動的ＴＤＤを支援する。そのために、基地局は毎スロットごとに、または数個のスロットごとに、または基地局がスロット構成を変えるたびに、現在または未来スロットのスロット構成を端末に知らせる。前記スロット構成を知らせるために、ＮＲシステムでは２つの方法を使用する。
【０１４２】
第１方法は、グループ共用（ｇｒｏｕｐ  ｃｏｍｍｏｎ）ＰＤＣＣＨを利用する方法である。グループ共用ＰＤＣＣＨは複数個の端末にブロードキャストされるＰＤＣＣＨであって、毎スロットごとに、数個のスロットごとに、または基地局が必要な場合にのみ伝送される。グループ共用ＰＤＣＣＨはスロット構成に関する情報を伝送するために、（動的）スロットフォーマット情報指示子（（Ｄｙｎａｍｉｃ）Ｓｌｏｔ  Ｆｏｒｍａｔ  ｉｎｆｏｒｍａｔｉｏｎ  Ｉｎｄｉｃａｔｏｒ：ＳＦＩ）を含むが、スロットフォーマット情報指示子は、グループ共用ＰＤＣＣＨが伝送される現在のスロット構成、または現在のスロット構成を含んで未来の数個のスロット構成を知らせる。端末はグループ共用ＰＤＣＣＨを受信すれば、グループ共用ＰＤＣＣＨに含まれたスロット構成情報指示子を介して現在のスロット構成または現在のスロット構成を含む未来のスロット構成を知る。グループ共用ＰＤＣＣＨの受信に失敗したら、端末は基地局がグループ共用ＰＤＣＣＨを伝送したのかを判断することができない。
【０１４３】
第２方法は、ＰＤＳＣＨまたはＰＵＳＣＨをスケジューリングする端末特定（ＵＥ−ｓｐｅｃｉｆｉｃ）ＰＤＣＣＨでスロット構成に関する情報を伝送する方法である。端末特定ＰＤＣＣＨは、スケジューリングが必要な特定ユーザにのみユニキャスト（ｕｎｉｃａｓｔ）で伝送される。端末特定ＰＤＣＣＨは、スケジューリングされたスロットのスロット構成情報として、グループ共用ＰＤＣＣＨで伝送したのと同じスロットフォーマット情報指示子を伝送する。または、端末特定ＰＤＣＣＨは、スケジューリングされたスロットの構成を類推し得る情報を含む。一例として、端末は自らに割り当てられた端末特定ＰＤＣＣＨを受信することで、ＰＤＳＣＨまたはＰＵＳＣＨが割り当てられたスロットとスロット内のＯＦＤＭシンボルの位置を知り、それから該当スロットの構成を類推する。また、ＰＤＳＣＨをスケジューリングする端末特定ＰＤＣＣＨでは、ＨＡＲＱ−ＡＣＫフィードバック情報を含むＰＵＣＣＨが送信されるスロット、及びスロット内のＯＦＤＭシンボルの位置を指示し、それから前記ＰＵＣＣＨが伝送されるスロットの構成を類推する。
【０１４４】
以下、本発明で使用される下りリンク信号（ｄｏｗｎｌｉｎｋ  ｓｉｇｎａｌ）は基地局が端末に伝送する無線信号であって、物理階層で生成され処理される物理下りリンクチャネル（ｐｈｙｓｉｃａｌ  ｄｏｗｎｌｉｎｋ  ｃｈａｎｎｅｌ）、シーケンス、基準信号（ＤＭ−ＲＳ、ＣＳＩ−ＲＳ、ＴＲＳ、ＰＴ−ＲＳなど）と、ＭＡＣ階層とＲＲＣ階層でそれぞれ生成され処理されるＭＡＣメッセージとＲＲＣメッセージ（またはＲＲＣシグナリング）を含む。ＭＡＣメッセージとＲＲＣメッセージは、ＯＳＩの下位階層を構成する物理階層の信号と区別して上位階層シグナリングと称されてもよい。ここで、下りリンク物理チャネルは、更に下りリンク物理共用チャネル（ＰＤＳＣＨ）、下りリンク物理制御チャネル（ＰＤＣＣＨ）、物理放送チャネル（ｐｈｙｓｉｃａｌ  ｂｒｏａｄｃａｓｔ  ｃｈａｎｎｅｌ：ＰＢＣＨ）を含む。
【０１４５】
また、本発明で使用される上りリンク信号（ｕｐｌｉｎｋ  ｓｉｇｎａｌ）は端末が基地局に伝送する無線信号であって、物理階層で生成され処理される物理上りリンクチャネル（ｐｈｙｓｉｃａｌ  ｕｐｌｉｎｋ  ｃｈａｎｎｅｌ）、シーケンス、基準信号（ＳＲＳなど）と、ＭＡＣ階層とＲＲＣ階層でそれぞれ生成され処理されるＭＡＣメッセージとＲＲＣメッセージ（またはＲＲＣシグナリング）を含む。ここで、上りリンク物理チャネルは、更に上りリンク物理共用チャネル（ＰＵＳＣＨ）、上りリンク物理制御チャネル（ＰＵＣＣＨ）、物理ランダムアクセスチャネル（ＰＲＡＣＨ）を含む。
【０１４６】
図１２は、一例による無線通信システムで使用されるＰＵＣＣＨを示す図である。
【０１４７】
図１２を参照すると、３ＧＰＰ  ＮＲシステムはＰＵＣＣＨの伝送に使用される時間資源（ｔｉｍｅ  ｒｅｓｏｕｒｃｅ）の大きさ（つまり、シンボルの個数）によって２つのタイプのＰＵＣＣＨを使用する。
【０１４８】
第１タイプＰＵＣＣＨはＬｏｎｇ  ＰＵＣＣＨと称され、スロットの４つ以上の連続したシンボルにマッピングされて伝送される。第１タイプＰＵＣＣＨは、主に多量のＵＣＩ（ｕｐｌｉｎｋ  ｃｏｎｔｒｏｌ  ｉｎｆｏｒｍａｔｉｏｎ）を伝送するために使用するか、低い信号強度を有するユーザに割り当てられることで、ＰＵＣＣＨカバレッジを増加させる。また、前記第１タイプＰＵＣＣＨは、ＰＵＣＣＨのカバレッジを増加させるために複数のスロットに繰り返し伝送される。第１タイプＰＵＣＣＨは、１または２ｂｉｔのＵＣＩを伝送するＰＵＣＣＨフォーマット１と、２ビットを超過するＵＣＩを伝送しながらユーザ間のマルチプレクシングを支援しないＰＵＣＣＨフォーマット３と、２ビットを超過するＵＣＩを伝送しながらユーザ間のマルチプレクシングを支援するＰＵＣＣＨフォーマット４を含む。
【０１４９】
第２タイプＰＵＣＣＨはＳｈｏｒｔ  ＰＵＣＣＨと称され、スロットの一つまたは２つのシンボルにマッピングされて伝送され、少量のＵＣＩを伝送するために使用するか、または高い信号強度を有するユーザに割り当てられ、また、低い遅延時間が必要なサービスを支援するのに使用される。第２タイプＰＵＣＣＨは、１または２ビットのＵＣＩを伝送するＰＵＣＣＨフォーマット０と、２ビットを超過するＵＣＩを伝送するＰＵＣＣＨフォーマット２を含む。
【０１５０】
一つのスロットには第１タイプＰＵＣＣＨとして使用可能な時間−周波数資源と第２タイプＰＵＣＣＨとして使用可能な時間−周波数資源が存在するが、それぞれ互いに異なる端末に割り当てられるか一つの端末に割り当てられる。一つの端末に割り当てられる際、第１タイプＰＵＣＣＨと第２タイプＰＵＣＣＨは互いに異なる時間資源（つまり、互いに異なるＯＦＤＭシンボル）で伝送される。つまり、一つの端末に割り当てられる際、第１タイプＰＵＣＣＨと第２タイプＰＵＣＣＨはＴＤＭ（Ｔｉｍｅ  Ｄｉｖｉｓｉｏｎ  Ｍｕｌｔｉｐｌｅｘｉｎｇ）されて伝送される。
【０１５１】
ＰＵＣＣＨにマッピングされるＵＣＩは、ＳＲ（Ｓｃｈｅｄｕｌｉｎｇ  ｇｒａｎｔ）、ＨＡＲＱ−ＡＣＫ、ＲＩ、ＣＳＩ、ＢＩ（Ｂｅａｍ−ｒｅｌａｔｅｄ  Ｉｎｆｏｒｍａｔｉｏｎ）を含む。ＳＲは、端末が基地局に上りリンク伝送があることを知らせる情報である。ＨＡＲＱ−ＡＣＫは、基地局が送信したＰＤＳＣＨの受信成功可否を知らせる情報である。ＲＩは、多重アンテナを使用する際、無線チャネルで伝送し得るランク（ｒａｎｋ）を知らせる情報である。ＣＳＩは、端末が基地局と端末との間のチャネル状況を測定した値を知らせる情報である。ＢＩは、送信端と受信端のビームフォーミング（ｂｅａｍｆｏｒｍｉｎｇ）に関する情報を知らせる情報である。
【０１５２】
図１２（ａ）を参照すると、図示したＤＬシンボルを主とする（ＤＬ−ｃｅｎｔｒｉｃ）スロットは、５つのＤＬシンボル、一つのフレキシブルシンボル、及び一つのＵＬシンボルで構成及び指示される。前記ＤＬシンボルを主とするスロットには、１シンボル長の第２タイプＰＵＣＣＨが割り当てられる。第２タイプＰＵＣＣＨは、スロットの最後のシンボルに位置する。
【０１５３】
図１２（ｂ）を参照すると、図示したＵＬシンボルを主とする（ＵＬ−ｃｅｎｔｒｉｃ）スロットは、一つのＤＬシンボル、一つのフレキシブルシンボル、及び５つのＵＬシンボルで構成及び指示される。前記ＵＬシンボルを主とするスロットには、第１タイプＰＵＣＣＨまたは／そして第２タイプＰＵＣＣＨが割り当てられる。第１タイプＰＵＣＣＨは４つのシンボルにマッピングされ、第２タイプＰＵＣＣＨはスロットの最後の一つのシンボルにマッピングされる。
【０１５４】
図１２（ｃ）を参照すると、ＵＬシンボルのみ存在する（ＵＬ  ｏｎｌｙ）スロットは第１タイプＰＵＣＣＨまたは／そして第２タイプＰＵＣＣＨが割り当てられる。例えば、第１タイプＰＵＣＣＨは６つのシンボルにマッピングされ、第２タイプＰＵＣＣＨはスロットの最後の一つのシンボルにマッピングされる。
【０１５５】
図１１と図１２を参照して、第２タイプＰＵＣＣＨを伝送可能なスロット構成はＤＬシンボルを主とするスロット、ＵＬシンボルを主とするスロット、ＵＬシンボルのみを含むスロットであり、第１タイプＰＵＣＣＨを伝送可能なスロット構成はＵＬシンボルを主とするスロットとＵＬシンボルのみを含むスロットである。また、第１タイプＰＵＣＣＨと第２タイプＰＵＣＣＨは、ＴＤＭで伝送可能なスロットはＵＬシンボルを主とするスロットとＵＬシンボルのみを含むスロットである。ちなみに、ＤＬシンボルを主とするスロットには上りリンクで割り当てられたシンボルが一つであるため第２タイプＰＵＣＣＨは伝送できるが、第１タイプＰＵＣＣＨは伝送できない。よって、ＰＵＣＣＨをスケジューリングするＰＤＣＣＨは、ＵＬシンボルを主とするスロットやＵＬシンボルのみを含むスロットに第１タイプＰＵＣＣＨを割り当てる。また、ＰＵＣＣＨをスケジューリングするＰＤＣＣＨは、ＤＬシンボルを主とするスロット、ＵＬシンボルを主とするスロット、またはＵＬシンボルのみを含むスロットに第２タイプＰＵＣＣＨを割り当てる。
【０１５６】
上述したように、基地局（またはネットワーク）は端末のトラフィック及び多様な状況に応じてスロットの構成を変え、該当スロット構成の変更を端末に知らせる。このようにスロット構成が変えられるため、端末はグループ共用ＰＤＣＣＨ及び端末特定ＰＤＣＣＨをモニタリングすることで、スロット構成情報指示子またはスロット構成に関する情報を受信すべきである。しかし、基地局と端末との間の無線チャネル状況及び干渉などの問題のため、端末はグループ共用ＰＤＣＣＨ及び端末特定ＰＤＣＣＨの受信に失敗する可能性がある。
【０１５７】
端末がグループ共用ＰＤＣＣＨ及び／または端末特定ＰＤＣＣＨの受信に失敗したら、端末は基地局がスロット構成を変更したのか否かを認知することができない。ところが、もし基地局がスロット構成を変更しており、端末によって予定された（ｓｃｈｅｄｕｌｅｄ）ＰＵＣＣＨ伝送が前記変更されたスロット構成に適合しなければ、端末が予定通りＰＵＣＣＨ伝送を強行すればＰＵＣＣＨ伝送に失敗して一時的な通信途絶や遅延などの問題が発生する恐れがある。よって、このような場合、端末が指示されたＰＵＣＣＨ伝送するのか放棄するのか、伝送するのであればどのように伝送するのかに対する明確な手順乃至端末と基地局との間の先決的規約が必要である。
【０１５８】
そのための実施例は、端末がスロット構成情報指示子及びスロット構成関連情報を含むグループ共用ＰＤＣＣＨ及び／または端末特定ＰＤＣＣＨの受信に失敗する場合を解決するための端末と基地局の動作方法を定義する。
【０１５９】
そして、他の実施例は、端末がスロット構成情報指示子及びスロット構成関連情報を含むグループ共用ＰＤＣＣＨ及び／または端末特定ＰＤＣＣＨの受信に成功した状況であるにもかかわらず、ＰＵＣＣＨが割り当てられている（またはＰＵＣＣＨの伝送が予定されている）スロットの構成が変更されて前記割り当てられたＰＵＣＣＨを伝送することができなければ、前記ＰＵＣＣＨの伝送を処理する端末とその動作方法、そして前記割り当てられたＰＵＣＣＨの受信を処理する基地局とその動作方法を定義する。
【０１６０】
［実施例］
まず、本実施例による端末と基地局の動作方法について開示する。本実施例は、基地局のスロット構成変更に一定な制約を置くことで、端末と基地局との間に予測可能な通信状況を具現する。この場合、端末のＰＵＣＣＨ伝送は、端末のグループ共用ＰＤＣＣＨ及び端末特定ＰＤＣＣＨの受信成功や失敗に関わらず行われる。
【０１６１】
実施例：ＰＵＣＣＨが割り当てられた（または伝送される）シンボルが含まれたスロットのスロット構成を変更せずに同じく維持
【０１６２】
本実施例は、更に前記割り当てられた（または伝送される）ＰＵＣＣＨが第１タイプＰＵＣＣＨであるのか、第２タイプＰＵＣＣＨであるのかによって細部例に分けられる。
一例として、第１タイプＰＵＣＣＨが割り当てられた（または伝送される）シンボルのスロット構成は変更されずに同じく維持される。つまり、基地局は第１タイプＰＵＣＣＨが割り当てられたＯＦＤＭシンボルのスロット構成を変更せず、端末も第１タイプＰＵＣＣＨが割り当てられたＯＦＤＭシンボルのスロット構成が変更されないと仮定（または約束、期待）する。よって、端末はグループ共用ＰＤＣＣＨ及び端末特定ＰＤＣＣＨで伝送されるスロット構成情報指示子及びスロット構成関連情報の受信とは関係なく第１タイプＰＵＣＣＨを伝送する。
【０１６３】
他の例として、第２タイプＰＵＣＣＨが割り当てられた（または伝送される）シンボルのスロット構成は変更されずに同じく維持される。つまり、基地局は第２タイプＰＵＣＣＨが割り当てられた（または伝送される）シンボルのスロット構成を変更せず、端末も第２タイプＰＵＣＣＨが割り当てられた（または伝送される）シンボルのスロット構成が変更されないと仮定（または約束、期待）する。よって、端末はグループ共用ＰＤＣＣＨ及び端末特定ＰＤＣＣＨで伝送されるスロット構成情報指示子及びスロット構成関連情報の受信とは関係なく第２タイプＰＵＣＣＨを伝送する。
【０１６４】
前記のように基地局のスロット構成の変更を禁止する実施例は、柔軟なスケジューリングに制約となり得る。このような側面を補完するために、以下では基地局のスロット構成の変更を一定範囲内で許容する他の側面の実施例を開示する。
【０１６５】
ＰＵＣＣＨが割り当てられた（または伝送される）シンボルのスロット構成を一定範囲内でのみ変更可能
【０１６６】
ＰＵＣＣＨが割り当てられた（または伝送される）シンボルのスロット構成が変更されても、前記ＰＵＣＣＨの伝送が可能なスロット構成に変更されるだけであって、前記ＰＵＣＣＨの伝送が不可能なスロット構成には変更されない。よって、端末は、基地局からＰＵＣＣＨの伝送を指示されたスロットに対しては前記ＰＵＣＣＨの伝送が不可能なスロットへの変更を期待しない。本側面による実施例は、更に前記割り当てられた（または伝送される）ＰＵＣＣＨが第１タイプＰＵＣＣＨであるのか、第２タイプＰＵＣＣＨであるのかによって細部実施例に分けられる。
【０１６７】
一例として、基地局は第１タイプＰＵＣＣＨが割り当てられたシンボルのスロット構成を変更しても第１タイプＰＵＣＣＨの伝送が可能なスロット構成に変更することができ、第１タイプＰＵＣＣＨの伝送が不可能なスロット構成に変更することはできない。よって、端末は、基地局から第１タイプＰＵＣＣＨの伝送を指示されたスロットに対しては第１タイプＰＵＣＣＨの伝送が不可能なスロットへの変更を期待しない。端末が第１タイプＰＵＣＣＨを伝送するスロットのスロット構成情報指示子を含むグループ共用ＰＤＣＣＨの受信に失敗しても、端末は常に第１タイプＰＵＣＣＨを割り当てられた資源で伝送する。
【０１６８】
例えば、図１２を参照して、基地局は４ＯＦＤＭシンボル長の第１タイプＰＵＣＣＨが割り当てられているＵＬシンボルを主とするスロットをＵＬシンボルのみ含むスロットに変更することはできるが、一つのＵＬシンボルを有するＤＬシンボルのみを含むスロットまたはＤＬシンボルを主とするスロットには変更できない。一方、端末としては、基地局から伝送を指示された４ＯＦＤＭシンボル長の第１タイプＰＵＣＣＨが割り当てられているＵＬシンボルを主とするスロットがＵＬシンボルのみを含むスロットに変更されることを期待するが、ＤＬシンボルのみを含むスロットまたはＤＬシンボルを主とするスロットへの変更は期待しない。また、端末は第１タイプＰＵＣＣＨが伝送されるように基地局から指示されたＵＬシンボル（ら）がＤＬシンボル（ら）へと変更されるスロット構成の変更を期待しない。
【０１６９】
他の例として、基地局は第２タイプＰＵＣＣＨが割り当てられたシンボルのスロット構成を変更しても第２タイプＰＵＣＣＨの伝送が可能なスロット構成に変更することができ、第２タイプＰＵＣＣＨの伝送が不可能なスロット構成に変更することはできない。よって、端末は、基地局から第２タイプＰＵＣＣＨの伝送を指示されたスロットに対しては第２タイプＰＵＣＣＨの伝送が不可能なスロットへの変更を期待しない。端末が第２タイプＰＵＣＣＨを伝送するスロットのスロット構成情報指示子を含むグループ共用ＰＤＣＣＨの受信に失敗しても、端末は常に第２タイプＰＵＣＣＨを割り当てられた資源で伝送する。より詳しくは、基地局は第２タイプＰＵＣＣＨが割り当てられているＵＬシンボルを主とするスロットを、第２タイプＰＵＣＣＨの伝送が可能なＤＬシンボルを主とするスロットやＵＬシンボルのみ含むスロットに変更することはできるが、第２タイプＰＵＣＣＨの伝送が不可能なＤＬシンボルのみ含むスロットには変更できない。そして、端末としても、第２タイプＰＵＣＣＨの伝送を指示されたスロットに対し、基地局が第２タイプＰＵＣＣＨの伝送が不可能なスロットへと変更するとは期待しない。
【０１７０】
例えば、端末は基地局から伝送を指示された１または２シンボル長の第２タイプＰＵＣＣＨが割り当てられているＵＬシンボルを主とするスロットが、前記第２タイプＰＵＣＣＨが含まれるＤＬシンボルを主とするスロットやＵＬシンボルのみ含むスロットに変更できることを期待（または予想）するが、前記第２タイプＰＵＣＣＨを含むことができないＤＬシンボルのみ含むスロットに変更されることは期待（または予想）しない。また、端末は第２タイプＰＵＣＣＨが伝送されるように基地局から指示されたＵＬシンボル（ら）がＤＬシンボル（ら）へと変更されるスロット構成の変更を期待しない。
【０１７１】
前記のように、基地局のスロット構成の変更を一定範囲内で許容する実施例に比べ、スケジューリングの柔軟性を更に上げるための他の側面の実施例を開示する。
【０１７２】
ＰＵＣＣＨが割り当てられた（または伝送される）シンボルのスロット構成を自由に変更可能
【０１７３】
基地局は、ＰＵＣＣＨが割り当てられたスロットの構成を自由に変更する。
【０１７４】
前記ＰＵＣＣＨが第１タイプＰＵＣＣＨである一例において、端末が第１タイプＰＵＣＣＨを伝送するスロットのスロット構成情報指示子を含むグループ共用ＰＤＣＣＨの受信に失敗したら、端末は前記第１タイプＰＵＣＣＨを割り当てられた資源で伝送しない。
【０１７５】
前記ＰＵＣＣＨが第２タイプＰＵＣＣＨである他の例において、端末が第２タイプＰＵＣＣＨを伝送するスロットのスロット構成情報指示子を含むグループ共用ＰＤＣＣＨの受信に失敗したら、端末は前記第２タイプＰＵＣＣＨを割り当てられた資源で伝送しない。
【０１７６】
上述した実施例によると、端末が基地局からグループ共用ＰＤＣＣＨ及び／または端末特定ＰＤＣＣＨの受信に失敗しても、予定されたＰＵＣＣＨの伝送可否及び伝送手順が明確に規定されるため、通信エラーや遅延問題が解決される。
【０１７７】
［他の実施例］
本明細書の他の実施例は、基地局のスロット構成の変更が自由で、端末がスロット構成情報指示子、スロット構成関連情報を含むグループ共用ＰＤＣＣＨ、及び端末特定ＰＤＣＣＨのうち少なくとも一つの受信に成功した際の端末と基地局の動作手順に関する。
【０１７８】
より詳しくは、ＰＵＣＣＨが割り当てられている（またはＰＵＣＣＨの伝送が予定されている）スロットの構成が変更され、変更されたスロット構成がＰＵＣＣＨと矛盾（ｃｏｎｔｒａｄｉｃｔｉｎｇ）すれば（つまり、ＰＵＣＣＨが割り当てられたスロット内で前記ＰＵＣＣＨが割り当てられたシンボルが、変更されたスロット構成によってＤＬシンボルと重なれば）、前記ＰＵＣＣＨの伝送を処理する端末とその動作方法、そして前記ＰＵＣＣＨの受信を処理する基地局とその動作方法が開示される。
【０１７９】
前記変更されたスロット構成において、前記割り当てられたＰＵＣＣＨの伝送が可能（または有効、適合）であってもよく、不可能であってもよい（いわゆる矛盾するスロット構成）。ここで、ＰＵＣＣＨの伝送が可能なスロットは、例えば、図１２を参照して、第１タイプＰＵＣＣＨが割り当てられたＵＬシンボルを主とするスロット、またはＵＬシンボルのみを含むスロット、第２タイプＰＵＣＣＨが割り当てられたＤＬシンボルを主とするスロット、またはＵＬシンボルを主とするスロット、またはＵＬシンボルのみを含むスロットを含む。また、ＰＵＣＣＨの伝送が不可能なスロットは、例えば、第１タイプＰＵＣＣＨが割り当てられたスロットがＤＬシンボルを主とするスロットやＤＬシンボルのみを含むスロット構成に変更された場合、または第２タイプＰＵＣＣＨが割り当てられたスロットがＤＬシンボルのみを含むスロット構成に変更された場合を含む。
【０１８０】
ＰＵＣＣＨの伝送が指示されたスロットの構成が変更されれば、端末は前記変更されたスロット構成で前記割り当てられたＰＵＣＣＨの伝送が可能（または有効、適合）であれば、前記指示されたスロットで予定通りＰＵＣＣＨの伝送を行ってもよい。しかし、前記指示されたスロットが構成の変更のためＰＵＣＣＨの伝送と矛盾する場合でも予定通りＰＵＣＣＨを伝送するためには、端末と基地局との間に特別な規約が必要となる。以下、矛盾するスロット構成下でのＰＵＣＣＨの処理方法について説明する。ＰＵＣＣＨを介して基地局に伝送される情報はＵＣＩであるため、本発明は本明細書の全ての実施例においてＰＵＣＣＨ用語をＵＣＩに代替した実施例を含む。例えば、矛盾するスロット構成下でのＰＵＣＣＨの処理方法は、ＵＣＩの観点から見ると矛盾するスロット構成下でのＵＣＩ（ＨＡＲＱ−ＡＣＫ、ＲＩなど）の処理方法に当たる。
【０１８１】
指示されたスロットでのＰＵＣＣＨの処理方法
【０１８２】
まず、割り当てられたＰＵＣＣＨが第１タイプＰＵＣＣＨである場合、矛盾するスロット構成下でのＰＵＣＣＨの処理方法について説明する。第１タイプＰＵＣＣＨには、図３を参照して説明されたＵＣＩ（ＨＡＲＱ−ＡＣＫ、ＲＩ、ＣＳＩなど）がマッピングされる。
【０１８３】
一側面において、ＰＵＣＣＨの処理方法は端末が第１タイプＰＵＣＣＨの伝送が指示されたスロットのスロット構成情報指示子を含むグループ共用ＰＤＣＣＨを受信するステップと、下記例示による条件によって前記指示されたスロットで第１タイプＰＵＣＣＨまたは第２タイプＰＵＣＣＨの伝送を行うステップを含む。
【０１８４】
一例として、端末は第１タイプＰＵＣＣＨの伝送が指示されたスロットでのスロット構成によるＵＬシンボルと前記第１タイプＰＵＣＣＨの伝送に割り当てられたＵＬシンボルを比較した結果に基づいて、前記指示されたスロットで第１タイプＰＵＣＣＨを伝送する。例えば、もし第１タイプＰＵＣＣＨの伝送が指示されたスロットでのスロット構成によるＵＬシンボルが前記第１タイプＰＵＣＣＨの伝送に必要なＵＬシンボルより大きければ（または大きいか同じであれば）、端末は第１タイプＰＵＣＣＨを前記スロット内の割り当てられた資源で伝送する。
【０１８５】
他の例として、端末は第１タイプＰＵＣＣＨの伝送が指示されたスロットでのスロット構成によるＵＬシンボルと前記第１タイプＰＵＣＣＨの伝送に必要なＵＬシンボルを比較した結果に基づいて第１タイプＰＵＣＣＨを伝送するか、伝送をドロップまたは保留（ｓｕｓｐｅｎｄ）する。例えば、もし第１タイプＰＵＣＣＨの伝送が指示されたスロットでのスロット構成によるＵＬシンボルが前記第１タイプＰＵＣＣＨの伝送に必要なＵＬシンボルより小さければ、端末は指示されたスロットで第１タイプＰＵＣＣＨの伝送を放棄（ｄｒｏｐ）する。例えば、ＰＵＣＣＨの伝送が指示されたスロットが多重スロット（ｍｕｌｔｉｐｌｅ  ｓｌｏｔ）であれば、端末は第１タイプＰＵＣＣＨ伝送が予定された第１スロットではなく、第１タイプＰＵＣＣＨの伝送に必要なＵＬシンボルを提供する第２スロットに延期して第１タイプＰＵＣＣＨを伝送する。それに対し、ＰＵＣＣＨの伝送が指示されたスロットが単一スロット（ｓｉｎｇｌｅ  ｓｌｏｔ）であれば、端末は予定された第１タイプＰＵＣＣＨの伝送を放棄または保留する。
【０１８６】
また他の例として、端末は第１タイプＰＵＣＣＨの伝送が指示されたスロットでのスロット構成によるＵＬシンボル、フレキシブルシンボル、及び前記第１タイプＰＵＣＣＨの伝送に割り当てられたＵＬシンボルを比較した結果に基づいて、前記第１タイプＰＵＣＣＨを伝送する。例えば、もし第１タイプＰＵＣＣＨの伝送が指示されたスロットでのスロット構成によるＵＬシンボルとフレキシブルシンボルを含むシンボルが前記第１タイプＰＵＣＣＨの伝送に必要なＵＬシンボルより大きければ（または大きいか同じであれば）、端末は第１タイプＰＵＣＣＨを前記スロット内の割り当てられた資源で伝送する。
【０１８７】
更に他の例として、端末は第１タイプＰＵＣＣＨの伝送が指示されたスロットでのスロット構成によるＵＬシンボル、フレキシブルシンボル、及び前記第１タイプＰＵＣＣＨの伝送に割り当てられたＵＬシンボルを比較した結果に基づいて第１タイプＰＵＣＣＨを伝送するか、伝送をドロップまたは保留する。例えば、もし第１タイプＰＵＣＣＨの伝送が指示されたスロットでのスロット構成によるＵＬシンボルとフレキシブルシンボルを含むシンボルが前記第１タイプＰＵＣＣＨの伝送に必要なＵＬシンボルより小さければ、指示されたスロットで第１タイプＰＵＣＣＨの伝送を放棄する。例えば、ＰＵＣＣＨの伝送が指示されたスロットが多重スロットであれば、端末は多重スロットのうち第１タイプＰＵＣＣＨ伝送に割り当てられたＵＬシンボル個数を満足するスロットで第１タイプＰＵＣＣＨを伝送する。それに対し、ＰＵＣＣＨの伝送が指示されたスロットが単一スロットであれば、端末は予定された第１タイプＰＵＣＣＨの伝送を放棄または保留する。
【０１８８】
他の側面において、ＰＵＣＣＨの処理方法は端末が第１タイプＰＵＣＣＨの伝送が指示されたスロットのスロット構成を知らせるグループ共用ＰＤＣＣＨ及び端末特定ＰＤＣＣＨを受信するステップと、条件によって第１タイプＰＵＣＣＨまたは第２タイプＰＵＣＣＨの伝送を行うステップを含む。この場合、端末は下記例示による条件によって前記指示されたスロットで第１タイプＰＵＣＣＨの伝送を行うのか否かを決定する。
【０１８９】
一例として、i）基地局が第１タイプＰＵＣＣＨが割り当てられたスロットの構成を変更することができ、ii）端末が第１タイプＰＵＣＣＨが割り当てられたスロットの構成を知らせるグループ共用ＰＤＣＣＨ及び端末特定ＰＤＣＣＨの受信に成功し、iii）前記スロット構成が第１タイプＰＵＣＣＨを伝送できるスロットであれば、端末は第１タイプＰＵＣＣＨを前記スロットの割り当てられた資源で伝送する。
【０１９０】
他の例として、i）基地局が第１タイプＰＵＣＣＨが割り当てられたスロットの構成を変更することができ、ii）端末が第１タイプＰＵＣＣＨが割り当てられたスロットの構成を知らせるグループ共用ＰＤＣＣＨ及び端末特定ＰＤＣＣＨの受信に成功したが、iii）前記スロット構成が第１タイプＰＵＣＣＨを伝送できないスロットであれば、端末は前記スロットで第１タイプＰＵＣＣＨの伝送を行わないか、変更されたスロット構成に合わせた第１タイプＰＵＣＣＨを伝送するか、図１３のように第１タイプＰＵＣＣＨの代わりに第２タイプＰＵＣＣＨを前記スロットで伝送する。その具体的な端末の動作は、下記表４のようである。
【０１９１】
【表４Ａ】
0006980317.tif 000011
【表４Ｂ】
0006980317.tif 000012
【表４Ｃ】
0006980317.tif 000013
【表４Ｄ】
0006980317.tif 000014
【０１９２】
他の例として、i）基地局が第１タイプＰＵＣＣＨが割り当てられたスロットの構成を変更することができ、ii）端末が第１タイプＰＵＣＣＨが割り当てられたスロットの構成を知らせるグループ共用ＰＤＣＣＨ及び端末特定ＰＤＣＣＨの受信に成功し、iii）前記スロット構成が第１タイプＰＵＣＣＨを伝送できるスロットで、iv）前記スロットにＰＵＳＣＨが割り当てられて（またはＰＵＳＣＨの伝送が予定されて）ＰＵＣＣＨとＰＵＳＣＨの同時伝送に設定され、v）ＰＵＣＣＨとＰＵＳＣＨとの間の周波数分離（ｆｒｅｑｕｅｎｃｙ  ｓｅｐａｒａｔｉｏｎ）によってＩＭＤ（ｉｎｔｅｒ−ｍｏｄｕｌａｔｉｏｎ  ｄｉｓｔｏｒｔｉｏｎ）が発生する可能性があって第１タイプＰＵＣＣＨを伝送できないように設定されれば、端末は前記表４による動作のうち少なくとも一つを行う。
【０１９３】
次に、割り当てられたＰＵＣＣＨが第２タイプＰＵＣＣＨである場合について説明する。第２タイプＰＵＣＣＨには、図３を参照して説明されたＵＣＩ（ＨＡＲＱ−ＡＣＫ、ＲＩ、ＣＳＩなど）がマッピングされる。
【０１９４】
一側面において、ＰＵＣＣＨの処理方法は端末が第２タイプＰＵＣＣＨの伝送が指示されたスロットのスロット構成情報指示子を含むグループ共用ＰＤＣＣＨを受信するステップと、条件によって第２タイプＰＵＣＣＨの伝送を行うステップを含む。この場合、端末は下記例示による条件によって第２タイプＰＵＣＣＨの伝送を行うのか否かを決定する。
【０１９５】
一例として、端末は第２タイプＰＵＣＣＨの伝送が指示されたスロットでのスロット構成によるＵＬシンボルと前記第２タイプＰＵＣＣＨの伝送に割り当てられたＵＬシンボルを比較した結果に基づいて、第２タイプＰＵＣＣＨを伝送する。例えば、もし第２タイプＰＵＣＣＨの伝送が指示されたスロットでのスロット構成によるＵＬシンボルが前記第２タイプＰＵＣＣＨの伝送に必要なＵＬシンボルより大きければ（または大きいか同じであれば）、端末は第２タイプＰＵＣＣＨを前記スロット内の割り当てられた資源で伝送する。
【０１９６】
他の例として、端末は第２タイプＰＵＣＣＨの伝送が指示されたスロットでのスロット構成によるＵＬシンボルと前記第２タイプＰＵＣＣＨの伝送に必要なＵＬシンボルを比較した結果に基づいて第２タイプＰＵＣＣＨを伝送するか、伝送をドロップまたは保留する。例えば、もし第２タイプＰＵＣＣＨの伝送が指示されたスロットでのスロット構成によるＵＬシンボルが前記第２タイプＰＵＣＣＨの伝送に割り当てられたＵＬシンボルより小さければ、指示されたスロットで第２タイプＰＵＣＣＨの伝送を放棄する。例えば、ＰＵＣＣＨの伝送が指示されたスロットが多重スロットであれば、端末は多重スロットのうちから第２タイプＰＵＣＣＨ伝送に必要なＵＬシンボル個数を満足する第２スロットで第２タイプＰＵＣＣＨを伝送する。それに対し、ＰＵＣＣＨの伝送が指示されたスロットが単一スロットであれば、端末は予定された第２タイプＰＵＣＣＨの伝送を放棄または保留する。
【０１９７】
また他の例として、端末は第２タイプＰＵＣＣＨの伝送が指示されたスロットでのスロット構成によるＵＬシンボル、フレキシブルシンボル、及び前記第２タイプＰＵＣＣＨの伝送に割り当てられたＵＬシンボルを比較した結果に基づいて、前記第２タイプＰＵＣＣＨを伝送する。例えば、もし第２タイプＰＵＣＣＨの伝送が指示されたスロットでのスロット構成によるＵＬシンボルとフレキシブルシンボルを含むシンボルが前記第２タイプＰＵＣＣＨの伝送に必要なＵＬシンボルより大きければ（または大きいか同じであれば）、端末は第２タイプＰＵＣＣＨを前記スロット内の割り当てられた資源で伝送する。
【０１９８】
更に他の例として、端末は第２タイプＰＵＣＣＨの伝送が指示されたスロットでのスロット構成によるＵＬシンボル、フレキシブルシンボル、及び前記第２タイプＰＵＣＣＨの伝送に必要なＵＬシンボルを比較した結果に基づいて第２タイプＰＵＣＣＨを伝送するか、伝送をドロップまたは保留する。例えば、もし第２タイプＰＵＣＣＨの伝送が指示されたスロットでのスロット構成によるＵＬシンボルとフレキシブルシンボルを含むシンボルが前記第２タイプＰＵＣＣＨの伝送に必要なＵＬシンボルより小さければ、指示されたスロットで第２タイプＰＵＣＣＨの伝送を放棄する。例えば、ＰＵＣＣＨの伝送が指示されたスロットが多重スロットであれば、端末は多重スロットのうちから第２タイプＰＵＣＣＨ伝送に必要なＵＬシンボルの個数を満足する第２スロットで第２タイプＰＵＣＣＨを伝送する。それに対し、ＰＵＣＣＨの伝送が指示されたスロットが単一スロットであれば、端末は予定された第２タイプＰＵＣＣＨの伝送を放棄または保留する。
【０１９９】
指示されたスロットとは異なるスロットでのＰＵＣＣＨの処理方法
【０２００】
本実施例によるＰＵＣＣＨの処理方法は、ＰＵＣＣＨの伝送が指示されたスロットの構成が変更されれば、端末が前記指示されたスロット以降の異なるスロットで伝送を行うステップを含む。つまり、ＰＵＣＣＨが割り当てられたスロット内で前記ＰＵＣＣＨを運ぶＵＬシンボルが、変更されたスロット構成による前記スロット内のＤＬシンボルと重なれば、端末は前記指示されたスロットではないＰＵＣＣＨの伝送が可能な異なるスロットにＰＵＣＣＨの伝送を延期（ｐｏｓｔｐｏｎｅまたはｄｅｆｅｒ）する。
【０２０１】
前記延期された異なるスロットにおいて、割り当てられた特定タイプのＰＵＣＣＨと同じタイプのＰＵＣＣＨが伝送されてもよく、割り当てられた特定タイプのＰＵＣＣＨとは異なるタイプのＰＵＣＣＨが伝送されてもよい。前記延期された異なるスロットにおいて、割り当てられた特定タイプのＰＵＣＣＨと同じタイプのＰＵＣＣＨが伝送される、ＰＵＣＣＨ伝送のための時間領域の割当は割り当てられた特定タイプのＰＵＣＣＨとは異なり得る。
【０２０２】
まず、割り当てられたＰＵＣＣＨが第１タイプＰＵＣＣＨであれば、矛盾するスロット構成下でのＰＵＣＣＨの処理方法について説明する。ここで、第１タイプＰＵＣＣＨには、図３を参照して説明されたＵＣＩ、特にＨＡＲＱ−ＡＣＫ、ＲＩ、ＣＳＩなどを含む。第１タイプＰＵＣＣＨにマッピングされる情報はＵＣＩであるため、本発明は本明細書の全ての実施例において第１タイプＰＵＣＣＨ用語をＵＣＩに代替した実施例を含む。
【０２０３】
図１４は、スロット構成が変わることでＰＵＣＣＨを他のスロットに伝送する例を示す図である。
【０２０４】
図１４（ａ）を参照すると、端末は前記スロット構成の変更を知らせるグループ共用ＰＤＣＣＨ及び／または端末特定ＰＤＣＣＨの受信を介し、第１タイプＰＵＣＣＨ（Ｌｏｎｇ  ＰＵＣＣＨ）が割り当てられたＵＬシンボルを主とするスロットＮが基地局によって前記第１タイプＰＵＣＣＨが伝送されないＤＬシンボルを主とするスロット構成に変更されたことを認知する。この場合、端末はスロットＮで第１タイプＰＵＣＣＨを伝送せず、延期されたスロットＮ＋Ｋで第１タイプＰＵＣＣＨを伝送する。つまり、前記延期されたスロットＮ＋Ｋにおいて、割り当てられた第１タイプＰＵＣＣＨと同じタイプである第１タイプＰＵＣＣＨが伝送される。ここで、スロットＮ＋Ｋは前記割り当てられた第１タイプＰＵＣＣＨを伝送可能な最も近いスロットであって、ＵＬシンボルを主とするスロットである。
【０２０５】
つまり、基地局が第１タイプＰＵＣＣＨが割り当てられたスロットの構成を変更し、端末が前記スロット構成の情報を含むグループ共用ＰＤＣＣＨ及び端末特定ＰＤＣＣＨの受信に成功したが、前記スロット構成が第１タイプＰＵＣＣＨを伝送できないスロットであれば、端末は前記スロットで第１タイプＰＵＣＣＨを伝送せず、以降のスロットのうち第１タイプＰＵＣＣＨを伝送可能な最も近いスロットで第１タイプＰＵＣＣＨを伝送する。
【０２０６】
一方、図１４（ｂ）を参照すると、端末はスロット構成の変更を知らせるグループ共用ＰＤＣＣＨ及び／または端末特定ＰＤＣＣＨの受信を介し、第１タイプＰＵＣＣＨ（Ｌｏｎｇ  ＰＵＣＣＨ）が割り当てられたＵＬシンボルを主とするスロットＮが基地局によって前記第１タイプＰＵＣＣＨが伝送できないスロット構成に変更されたことを認知する。この場合、端末はスロットＮで第１タイプＰＵＣＣＨを伝送せず、スロットＮ＋Ｋで第２タイプＰＵＣＣＨ（Ｓｈｏｒｔ  ＰＵＣＣＨ）を伝送する。前記延期されたスロットＮ＋Ｋにおいて、割り当てられた第１タイプＰＵＣＣＨとは異なるタイプである第２タイプＰＵＣＣＨが伝送される。つまり、前記延期されたスロットＮ＋Ｋにおいて、割り当てられた第１タイプＰＵＣＣＨで変更されたタイプである第２タイプＰＵＣＣＨが伝送される。ここで、スロットＮ＋Ｋは第２タイプＰＵＣＣＨを伝送可能な最も近いスロットであって、ＤＬシンボルを主とするスロットである。
【０２０７】
つまり、基地局が第１タイプＰＵＣＣＨが割り当てられたスロットの構成を変更し、端末が前記スロット構成情報を含むグループ共用ＰＤＣＣＨ及び端末特定ＰＤＣＣＨの受信に成功したが、前記スロット構成が第１タイプＰＵＣＣＨを伝送できないスロットであれば、端末は前記スロットで第１タイプＰＵＣＣＨを伝送せず、以降のスロットのうち第２タイプＰＵＣＣＨを伝送可能な最も近いスロットで第２タイプＰＵＣＣＨを伝送する。
【０２０８】
ここで、第２タイプＰＵＣＣＨを介して伝送されるＵＣＩは、その重要度に応じて本来の伝送が予定されたＵＣＩの一部のみを含み、残りの一部は含まない。
【０２０９】
一側面において、端末は本来は第１タイプＰＵＣＣＨを介して伝送すべきＵＣＩタイプの重要度に応じてＵＣＩの一部情報を伝送する。一例として、第１タイプＰＵＣＣＨで伝送可能なＵＣＩタイプの重要度または優先順位はＨＡＲＱ−ＡＣＫ、ＲＩ、ＣＳＩ、ビーム関連情報（ＢＲＩ、例えばビーム復旧要請）の順に定義される（ＨＡＲＱ−ＡＣＫ＞ＲＩ＞ＣＳＩ＞ＢＲＩ）。他の例として、第１タイプＰＵＣＣＨで伝送可能なＵＣＩタイプの重要度または優先度は、ＨＡＲＱ−ＡＣＫ、ビーム関連情報、ＲＩ、ＣＳＩの順に定義される（ＨＡＲＱ−ＡＣＫ＞ＢＲＩ＞ＲＩ＞ＣＳＩ）。また他の例として、第１タイプＰＵＣＣＨで伝送可能なＵＣＩタイプの重要度または優先度は、ビーム関連情報、ＨＡＲＱ−ＡＣＫ、ＲＩ、ＣＳＩの順に定義される（ＢＲＩ＞ＨＡＲＱ−ＡＣＫ＞ＲＩ＞ＣＳＩ）。
【０２１０】
他の側面において、端末は第２タイプＰＵＣＣＨを介して伝送可能なＵＣＩの量に応じて、重要度の高い一部タイプのＵＣＩを第２タイプＰＵＣＣＨを介して伝送する。
【０２１１】
また他の側面において、第１タイプＰＵＣＣＨで伝送される情報が主サービングセル（ＰＣｅｌｌ）と副サービングセル（ＳＣｅｌｌ）の情報を含めば、端末は主サービングセルと副サービングセルとの間の重要度または優先順位に応じて一部情報を伝送することができる。一例として、端末は主サービングセルに関連するＵＣＩのみ第２タイプＰＵＣＣＨを介して伝送する。他の例として、第１タイプＰＵＣＣＨで伝送される情報が主サービングセルや主要副サービングセル（ＰＳＣｅｌｌ）の情報を含めば、端末は主サービングセルまたは主要副サービングセルに関連するＵＣＩのみ第２タイプＰＵＣＣＨに伝送する。
【０２１２】
更に他の側面において、端末は各ＰＵＳＣＨグループの上でＰＵＣＣＨ伝送可能セルと連系された（ｅ．ｇ．ＳＩＢ  ｌｉｎｋｅｄ  ＤＬ  Ｃｅｌｌ）ＤＬに対するＵＣＩを優先的に第２タイプＰＵＣＣＨを介して伝送する。
【０２１３】
更に他の側面において、端末は主サービングセルと副サービングセルとの間の重要度及びＵＣＩタイプの重要度に基づいて第２タイプＰＵＣＣＨを伝送する。一例として、端末は主サービングセルに関連するＵＣＩ（ＨＡＲＱ−ＡＣＫ、ビーム関連情報、ＲＩ、ＣＳＩなど）のうち優先順位が高い種類のＵＣＩを第２タイプＰＵＣＣＨを介して伝送する。これは第２タイプＰＵＣＣＨを介して伝送されるＵＣＩがどの種類であるのかより、どの種類のサービングセルに関するのかが優先的に考慮されたことである。もちろん、第２タイプＰＵＣＣＨを介して伝送されるＵＣＩがどの種類であるのかが、どの種類のサービングセルに関するのかより優先的に考慮されてもよい。サービングセルとＵＣＩとの間の優先順位は、基地局がＲＲＣシグナリングのような設定情報に含ませて端末に伝送してもよく、第２タイプＰＵＣＣＨのペイロードの大きさに応じて個別に定義されてもよい。
【０２１４】
更に他の側面において、端末はＵＣＩのペイロードの大きさに応じて一定ビットまでのＵＣＩのみを第２タイプＰＵＣＣＨを伝送する。例えば、端末はＸビット（ここで、Ｘは｛２＜＝Ｘ＜＝ｔｅｎｓ  ｏｆ  ｂｉｔｓ｝）までのＵＣＩを第２タイプＰＵＣＣＨに伝送するように設定される。
【０２１５】
更に他の側面において、端末は特定タイプのＵＣＩ（ｉ．ｅ．ＨＡＲＱ−ＡＣＫのビット数またはＢＲＩ）を基準にＸビット（ここで、Ｘは｛２＜＝Ｘ＜＝ｔｅｎｓ  ｏｆ  ｂｉｔｓ｝）までのＨＡＲＱ−ＡＣＫまたはＢＲＩを第２タイプＰＵＣＣＨに伝送するように設定される。
【０２１６】
指示されたスロットとは異なるスロットでのＨＡＲＱ−ＡＣＫの処理方法
【０２１７】
一側面によるＨＡＲＱ−ＡＣＫの処理方法は、基地局がＰＵＣＣＨが割り当てられたスロットＮの構成を変更するステップと、端末が前記変更されたスロット構成に関する情報を含むグループ共用ＰＤＣＣＨ及び／または端末特定ＰＤＣＣＨを受信するステップと、前記変更されたスロット構成下で前記割り当てられたＰＵＣＣＨが伝送されない場合（つまり、前記変更されたスロット構成が前記割り当てられたＰＵＣＣＨと矛盾する場合）、端末が前記割り当てられたＰＵＣＣＨのうちＨＡＲＱ−ＡＣＫ情報をスロットＮからＫスロットだけ延期した後（つまり、Ｎ＋Ｋ）、前記割り当てられたＰＵＣＣＨを伝送するステップと、を含む。
【０２１８】
ここで、本実施例による「割り当てられたＰＵＣＣＨ」は第１タイプＰＵＣＣＨであってもよく、第２タイプＰＵＣＣＨであってもよい。また、Ｋ値は基地局がＰＤＳＣＨスケジューリングからＰＵＣＣＨフィードバックまでかかる時間によって決定される。前記スロットＮ＋Ｋの後にＰＵＣＣＨを伝送可能なスロットには、他の端末のＨＡＲＱ−ＡＣＫフィードバックのためのＰＵＣＣＨが一つも割り当てられなくてもよい。例えば、端末と基地局が互いにＦＤＤ（Ｆｒｅｑｕｅｎｃｙ  Ｄｉｖｉｓｉｏｎ  Ｄｕｐｌｅｘ）基盤に通信すれば、４ｍｓ以降に伝送されるスロットには他の端末のＨＡＲＱ−ＡＣＫのためのＰＵＣＣＨが伝送（または割当）されなくてもよい（３ＧＰＰ  ＬＴＥ、ＬＴＥ−Ａ、ＮＲ共通）。前記Ｋ値はＲＲＣ信号を介して提供される。
【０２１９】
他の側面によるＨＡＲＱ−ＡＣＫの処理方法は、基地局が第１タイプＰＵＣＣＨが割り当てられたスロットＮの構成を変更するステップと、端末が前記変更されたスロット構成に関する情報を含むグループ共用ＰＤＣＣＨ及び／または端末特定ＰＤＣＣＨを受信するステップと、前記変更されたスロット構成下で前記第１タイプＰＵＣＣＨは伝送できないが、第２タイプＰＵＣＣＨは伝送できれば、端末が第１タイプＰＵＣＣＨを伝送せずに基地局のＰＵＣＣＨ再割当を待つステップと、を含む。
【０２２０】
一例として、このようなＨＡＲＱ−ＡＣＫの処理方法は、基地局がＰＤＳＣＨのＨＡＲＱ−ＡＣＫを含む第１タイプＰＵＣＣＨを伝送しない端末にＰＤＳＣＨを再伝送するステップと、ＰＤＳＣＨをスケジューリングするＰＤＣＣＨで新しく第１タイプＰＵＣＣＨが伝送される資源を割り当てるステップをさらに含む。
【０２２１】
他の側面によるＨＡＲＱ−ＡＣＫの処理方法は、基地局がＰＵＣＣＨが割り当てられたスロットＮの構成を変更するステップと、端末がスロットＮの構成情報を伝送するグループ共用ＰＤＣＣＨは受信できなかったが、ＰＤＳＣＨ（またはＰＵＳＣＨ）をスケジューリングする端末特定ＰＤＣＣＨを受信してスロットＮのスロット構成を知ることができれば、端末が前記スロット構成に基づいて選択的に前記ＰＵＣＣＨを伝送するステップを含む。一例として、前記スロット構成が前記割り当てられたＰＵＣＣＨが伝送可能なスロット構成であれば、端末は前記ＰＵＣＣＨを伝送する。他の例として、前記スロット構成に前記割り当てられたＰＵＣＣＨが伝送不可能なスロット構成であれば、端末は前記ＰＵＣＣＨを伝送しない。ここで、割り当てられたＰＵＣＣＨは第１タイプＰＵＣＣＨであってもよく、第２タイプＰＵＣＣＨであってもよい。
【０２２２】
［また他の実施例］
本明細書のまた他の実施例は、基地局が端末に伝送するスロット構成に関する情報と、この情報に基づく端末と基地局の動作方法に関する。基地局は多様な情報と手順を利用してスロット構成に関する情報を端末に知らせる。スロット構成に関する情報は、下記のような様々な実施例を含む。
【０２２３】
スロット構成に関する情報
一側面において、スロット構成に関する情報は半静的（ｓｅｍｉ−ｓｔａｔｉｃ）ＤＬ／ＵＬ割当（ａｓｓｉｇｎｍｅｎｔ）情報を含む。一例として、基地局はデフォルトスロットフォーマットまたは半静的ＤＬ／ＵＬ割当情報（またはｓｅｍｉ−ｓｔａｔｉｃ  ｓｌｏｔ−ｆｏｒｍａｔ  ｉｎｆｏｒｍａｔｉｏｎ（ＳＦＩ））をセル特定（ｃｅｌｌ−ｓｐｅｃｉｆｉｃ）に端末に伝送し、追加に端末特定ＲＲＣメッセージを介して半静的ＤＬ／ＵＬ割当情報を端末に伝送する。一方、前記半静的ＤＬ／ＵＬ割当情報（またはデフォルトスロットフォーマット）を受信したら、端末は以降のスロットがいかなるスロット構成を有するのかを知る。半静的ＤＬ／ＵＬ割当情報（またはデフォルトスロットフォーマット）は該当スロットでの各シンボルがＤＬシンボルであるのか、ＵＬシンボルであるのか、そしてＤＬシンボルとＵＬシンボルではないフレキシブルシンボルであるのかに関する情報を指示する。ここで、端末は半静的ＤＬ／ＵＬ割当情報（またはデフォルトスロットフォーマット）を介し、ＤＬシンボルまたはＵＬシンボルに指示されていないシンボルを「フレキシブル」と指示されていると仮定する。
【０２２４】
他の側面において、スロット構成に関する情報は、グループ共用ＰＤＣＣＨに含まれて伝送される動的スロットフォーマット情報（ｄｙｎａｍｉｃ  ｓｌｏｔ−ｆｏｒｍａｔ  ｉｎｆｏｒｍａｔｉｏｎ（ＳＦＩ））を含む。動的スロットフォーマット情報は、スロットでの各シンボルがＤＬシンボルであるのか、ＵＬシンボルであるのか、そしてＤＬシンボルとＵＬシンボルではないフレキシブルシンボルであるのかに関する情報を指示する。フレキシブルシンボルはギャップを代替してもよく、ギャップ以外の他の目的に使用されてもよい。動的スロットフォーマット情報が伝送されるグループ共用ＰＤＣＣＨはＳＦＩ−ＲＮＴＩでスクランブリング（ｓｃｒａｍｂｌｉｎｇ）される。端末が動的スロットフォーマット情報をモニタリングするのか否かは、ＲＲＣメッセージによって設定または指示される。ＲＲＣメッセージによってモニタリングするように指示されていない端末は、動的スロットフォーマット情報をモニタリングしない。
【０２２５】
また他の側面において、スロット構成に関する情報は端末特定ＰＤＣＣＨにマッピングされるＤＣＩに含まれたスケジューリング情報である。例えば、ＤＣＩでＰＤＳＣＨの開始位置と長さに関する情報があれば、該当ＰＤＳＣＨがスケジューリングされているシンボルをＤＬシンボルと仮定する。また、ＤＣＩでＰＵＳＣＨの開始位置と長さに関する情報があれば、該当ＰＵＳＣＨがスケジューリングされているシンボルをＵＬシンボルと仮定する。ＤＣＩでＨＡＲＱ−ＡＣＫ伝送のためのＰＵＳＣＨの開始位置と長さに関する情報があれば、該当ＰＵＳＣＨがスケジューリングされているシンボルをＵＬシンボルと仮定する。
【０２２６】
シンボル方向の決定方法とＰＵＣＣＨの処理方法
前記のようにスロット構成に関する情報が多様に存在するため、端末は同じスロットに対し互いに異なる種類のスロット構成に関する情報を受信する。そして、各スロット構成に関する情報が前記同じスロットで異なるシンボル方向を指示する。この場合、端末と基地局がシンボル方向を変更またはどのように決定するのかは、以下のような規則に従う。
【０２２７】
一側面において、半静的ＤＬ／ＵＬ割当情報（またはデフォルトスロットフォーマット）のＤＬシンボルとＵＬシンボルは、動的スロット構成情報またはスケジューリング情報によって方向が変わらない。よって、ＰＵＣＣＨが半静的ＤＬ／ＵＬ割当情報（またはデフォルトスロットフォーマット）によって設定されたＵＬシンボルに位置すれば、端末は動的スロット構成情報やスケジューリング情報とは関係なくＰＵＣＣＨを伝送する。もしＰＵＣＣＨが割り当てられたシンボルのうち少なくとも一つのシンボルがデフォルトスロットフォーマットのＤＬシンボルと重なれば、端末は該当ＰＵＣＣＨを伝送しないか、該当ＤＬシンボルを除いた残りのシンボルの長さに合わせてＰＵＣＣＨの長さを変えて伝送する。ここで、割り当てられたＰＵＣＣＨは第１タイプＰＵＣＣＨであってもよく、第２タイプＰＵＣＣＨであってもよい。
【０２２８】
他の側面において、半静的ＤＬ／ＵＬ割当情報（またはデフォルトスロットフォーマット）によって設定されたフレキシブルシンボルは、動的スロット構成情報またはスケジューリング情報によって方向が決定されるか変わる。もしＰＵＣＣＨが割り当てられたシンボルのうち少なくとも一つのシンボルが半静的ＤＬ／ＵＬ割当情報（またはデフォルトスロットフォーマット）のフレキシブルシンボルと重なれば、端末は該当ＰＵＣＣＨが伝送する情報（つまり、ＵＣＩ）のタイプ（ＨＡＲＱ−ＡＣＫ、ＲＩ、ＣＳＩなど）によってＰＵＣＣＨを伝送するのか否かを決定する。本実施例において、ＰＵＣＣＨは第１タイプＰＵＣＣＨであってもよく、第２タイプＰＵＣＣＨであってもよい。
【０２２９】
一例として、もしＰＵＣＣＨで伝送される情報がＰＤＳＣＨに対するＨＡＲＱ−ＡＣＫを含めば、端末はグループ共用ＰＤＣＣＨで知らせる動的スロット構成情報とは関係なくＰＵＣＣＨを決められた位置で伝送する。ここで、決められた位置は前記ＰＤＳＣＨをスケジューリングするＤＣＩで指示される。
【０２３０】
他の例として、もしＰＵＣＣＨで伝送される情報がＰＤＳＣＨに対するＨＡＲＱ−ＡＣＫを含まなければ、端末はＰＵＣＣＨと重なるフレキシブルシンボルが動的スロット構成情報によってＵＬシンボルと指示されればＰＵＣＣＨを伝送する。
【０２３１】
他の例として、ＰＵＣＣＨが割り当てられたシンボルのうち少なくとも一つのシンボルが動的スロット構成情報によってＵＬシンボルではない他のシンボル（例えばＤＬシンボルまたはフレキシブルシンボル）と指示されれば、端末はＰＵＣＣＨを伝送しない。または、端末がＰＵＣＣＨが割り当てられたシンボルに対する動的スロット構成情報の受信に失敗したら、端末はＰＵＣＣＨを伝送しない。
【０２３２】
また他の側面において、ＰＵＣＣＨが割り当てられたシンボルのうち少なくとも一つのシンボルが半静的ＤＬ／ＵＬ割当によって設定されたフレキシブルシンボルと重なれば、端末はＰＵＣＣＨを伝送をトリガーするシグナリングによってＰＵＣＣＨを伝送るのか否かを決定する。
【０２３３】
一例として、もしＰＵＣＣＨがＤＣＩを介してトリガーされれば、端末は動的スロット構成情報とは関係なくＰＵＣＣＨを決められた位置で伝送する。ここで、決められた位置は前記ＤＣＩで指示される。
【０２３４】
他の例として、もしＰＵＣＣＨが端末特定ＲＲＣメッセージを介してトリガーされれば、端末はＰＵＣＣＨが割り当てられたシンボルが動的スロット構成情報によってＵＬシンボルと指示されればＰＵＣＣＨを伝送する。
【０２３５】
また他の例として、端末は、ＰＵＣＣＨが割り当てられたシンボルのうち少なくとも一つのシンボルが動的スロット構成情報によってＵＬシンボルではない他のシンボル（例えばＤＬシンボルまたはフレキシブルシンボル）と指示されれば、端末はＰＵＣＣＨを伝送しない。または、端末がＰＵＣＣＨが割り当てられたシンボルに対する動的スロット構成情報の受信に失敗したら、端末はＰＵＣＣＨを伝送しない。
【０２３６】
反復ＰＵＣＣＨの処理方法
端末は、ＰＵＣＣＨを数個のスロットにわたって繰り返し伝送する。以下、このようなＰＵＣＣＨを反復ＰＵＣＣＨ（ｒｅｐｅｔｉｔｉｏｎ  ＰＵＣＣＨ）と命名する。本実施例において、反復ＰＵＣＣＨは第１タイプＰＵＣＣＨであってもよく、第２タイプＰＵＣＣＨであってもよい。基地局は反復ＰＵＣＣＨが伝送されるスロットの数をＲＲＣメッセージを介して端末に設定する。そして、各スロット内において、ＰＵＣＣＨの開始シンボルと終了シンボルは繰り返されるスロットごとに同じである。以下、半静的ＤＬ／ＵＬ割当情報（またはデフォルトスロットパターン）のようなＲＲＣによってＤＬシンボル、ＵＬシンボル、及びフレキシブルシンボルが設定される各場合と、動的スロット構成情報によって、反復ＰＵＣＣＨを伝送してもよく伝送しなくてもよい。以下、各場合別の反復ＰＵＣＣＨの処理方法について開示する。
【０２３７】
反復ＰＵＣＣＨがＵＬシンボルと重なる場合
反復ＰＵＣＣＨが伝送されるように指示されたスロットのうち、各スロットで半静的ＤＬ／ＵＬ割当情報（またはデフォルトスロットパターン）と設定されたＵＬシンボルに位置すれば、端末は動的スロット構成情報やスケジューリング情報の受信とは関係なく、そのスロットでＰＵＣＣＨを伝送する。ここで、半静的ＤＬ／ＵＬ割当情報（またはデフォルトスロットパターン）のようなＲＲＣメッセージによって設定されたスロット構成によるＤＬシンボルとＵＬシンボルは、動的スロット構成情報やスケジューリング情報によって方向が変わらない。
【０２３８】
反復ＰＵＣＣＨがＤＬシンボルと重なる場合
反復ＰＵＣＣＨが伝送されるように指示されたスロットのうち、各スロットで反復ＰＵＣＣＨに割り当てられたシンボルのうち少なくとも一つのシンボルが半静的ＤＬ／ＵＬ割当情報によるＤＬシンボルと重なれば、端末は該当スロットでＰＵＣＣＨは伝送しないか、該当ＤＬシンボルを除いた残りのシンボルの長さに合わせてＰＵＣＣＨの長さを変えて伝送する。または、反復ＰＵＣＣＨが伝送されるように指示されたスロットのうち一つのスロットで、ＰＵＣＣＨに割り当てられたシンボルのうち少なくとも一つが半静的ＤＬ／ＵＬ割当情報（またはデフォルトスロットパターン）と設定されたＤＬシンボルと重なれば、端末は該当スロットだけでなく以降のスロットでも前記反復ＰＵＣＣＨを伝送しない。
【０２３９】
反復ＰＵＣＣＨがフレキシブルシンボルと重なる場合
反復ＰＵＣＣＨが伝送されるように指示されたスロットのうち、各スロットで反復ＰＵＣＣＨが割り当てられたシンボルのうち少なくとも一つのシンボルが半静的ＤＬ／ＵＬ割当情報によって設定されたフレキシブルシンボルと重なれば、端末は、i）反復ＰＵＣＣＨが伝送する情報（つまり、ＵＣＩ）のタイプ（ＨＡＲＱ−ＡＣＫ、ＲＩ、ＣＳＩなど）によって、またはii）ＰＵＣＣＨ伝送をトリガーするシグナリングによって、またはiii）動的スロット構成情報によって、反復ＰＵＣＣＨの伝送可否を決定する。本実施例において、反復ＰＵＣＣＨは第１タイプＰＵＣＣＨであってもよく、第２タイプＰＵＣＣＨであってもよい。
【０２４０】
一側面において、反復ＰＵＣＣＨが割り当てられたシンボルのうち少なくとも一つのシンボルが半静的ＤＬ／ＵＬ割当情報によって設定されたフレキシブルシンボルと重なれば、端末は反復ＰＵＣＣＨが伝送する情報（つまり、ＵＣＩ）のタイプ（ＨＡＲＱ−ＡＣＫ、ＲＩ、ＣＳＩなど）によって反復ＰＵＣＣＨの伝送可否を決定する。
【０２４１】
一例として、もし反復ＰＵＣＣＨで伝送される情報がＰＤＣＣＨによってスケジューリングされたＰＤＳＣＨに対するＨＡＲＱ−ＡＣＫを含めば、端末はグループ共用ＰＤＣＣＨで知らせる動的スロット構成情報とは関係なく反復ＰＵＣＣＨを決められた位置で伝送する。ここで、決められた位置は前記ＰＤＳＣＨをスケジューリングするＤＣＩで指示される。
【０２４２】
他の例として、もし反復ＰＵＣＣＨで伝送される情報がＰＤＳＣＨに対するＨＡＲＱ−ＡＣＫを含まない場合、またはＲＲＣで構成されたＰＤＳＣＨに対するＨＡＲＱ−ＡＣＫを含む場合、端末は反復ＰＵＣＣＨと重なるフレキシブルシンボルが動的スロット構成情報によってＵＬシンボルと指示されれば反復ＰＵＣＣＨを伝送する。
【０２４３】
また他の例として、反復ＰＵＣＣＨが伝送されるように指示されたスロットのうち、各スロットで反復ＰＵＣＣＨが割り当てられたシンボルのうち少なくとも一つのシンボルが動的スロット構成情報によってＵＬシンボルではない他のシンボル（例えばＤＬシンボルまたはフレキシブルシンボル）と指示されれば、端末はそのスロットで反復ＰＵＣＣＨを伝送しない。または、端末が反復ＰＵＣＣＨが割り当てられたシンボルに対する動的スロット構成情報の受信に失敗したら、端末はそのスロットで反復ＰＵＣＣＨを伝送しない。該当スロットで反復ＰＵＣＣＨを伝送できなかった場合であっても、端末は次のスロットで一定条件（反復ＰＵＣＣＨと重なるフレキシブルシンボルが動的スロット構成情報によってＵＬシンボルと指示される際）を満足すれば、反復ＰＵＣＣＨを前記次のスロットで伝送する。
【０２４４】
更に他の例として、反復ＰＵＣＣＨが伝送されるように指示されたスロットのうち一つのスロットで端末がいかなる理由（動的スロット構成情報によって発生するシンボル方向の矛盾、または端末が動的スロット構成情報の受信に失敗）によって該当スロットで反復ＰＵＣＣＨを伝送しなかった場合、端末はその後のスロットでもＰＵＣＣＨの反復伝送を行わない。
【０２４５】
一方、他の側面において、反復ＰＵＣＣＨが割り当てられたシンボルのうち少なくとも一つのシンボルが半静的ＤＬ／ＵＬ割当によって設定されたフレキシブルシンボルと重なれば、端末は反復ＰＵＣＣＨを伝送をトリガーするシグナリングによって反復ＰＵＣＣＨを伝送るのか否かを決定する。
【０２４６】
一例として、もし反復ＰＵＣＣＨがＤＣＩを介してトリガーされれば、端末は動的スロット構成情報とは関係なく反復ＰＵＣＣＨを決められた位置で伝送する。ここで、決められた位置は前記ＤＣＩで指示される。
【０２４７】
他の例として、もし反復ＰＵＣＣＨが端末特定ＲＲＣメッセージを介してトリガーされれば、端末は反復ＰＵＣＣＨが割り当てられたシンボルが動的スロット構成情報によってＵＬシンボルと指示されれば反復ＰＵＣＣＨを伝送する。
【０２４８】
また他の例として、反復ＰＵＣＣＨが伝送されるように指示されたスロットのうち、各スロットで端末は反復ＰＵＣＣＨが割り当てられたシンボルのうち少なくとも一つのシンボルが動的スロット構成情報によってＵＬシンボルではない他のシンボル（例えばＤＬシンボルまたはフレキシブルシンボル）と指示されれば、端末はそのスロットで反復ＰＵＣＣＨを伝送しない。または、端末が反復ＰＵＣＣＨが割り当てられたシンボルに対する動的スロット構成情報の受信に失敗したら、端末はそのスロットで反復ＰＵＣＣＨを伝送しない。該当スロットで反復ＰＵＣＣＨを伝送できなかった場合であっても、端末は次のスロットで一定条件（反復ＰＵＣＣＨと重なるフレキシブルシンボルが動的スロット構成情報によってＵＬシンボルと指示される際）を満足すれば、反復ＰＵＣＣＨを前記次のスロットで伝送する。
【０２４９】
更に他の例として、反復ＰＵＣＣＨが伝送されるように指示されたスロットのうち一つのスロットで端末がいかなる理由（動的スロット構成情報によって発生するシンボル方向の矛盾、または端末が動的スロット構成情報の受信に失敗）によって該当スロットで反復ＰＵＣＣＨを伝送しなかった場合、端末はその後のスロットでもＰＵＣＣＨの反復伝送を行わない。
【０２５０】
ここで、ＰＵＣＣＨの伝送が反復（または試み）されるスロットの数Ｋは以下のように定義される。
【０２５１】
一例として、反復ＰＵＣＣＨが伝送されるように構成されたＫスロットは必ずしも連続的ではなくてもよい。例えば、端末がＫスロットの間繰り返しＰＵＣＣＨを伝送するように構成されれば、反復ＰＵＣＣＨが伝送されていないスロットは除いて、実際に伝送したスロットの数のカウントがＫに至るまでＰＵＣＣＨを繰り返し伝送する。（反復方法１）
【０２５２】
他の例として、反復ＰＵＣＣＨが伝送されるように構成されたＫスロットは連続的でなければならない。例えば、端末がＫスロットの間繰り返しＰＵＣＣＨを伝送するように構成されれば、反復ＰＵＣＣＨが伝送されるように指示されたスロットＮからＰＵＣＣＨ伝送を試みたスロットの数（反復ＰＵＣＣＨが伝送されていないスロットを含む）のカウントがＫに至るまでＰＵＣＣＨを繰り返し伝送する。つまり、スロットＮでＰＵＣＣＨ伝送を最初に試みた端末はスロット（Ｎ＋Ｋ−１）までＰＵＣＣＨ伝送を試み、実際にＰＵＣＣＨが繰り返し伝送された回数（またはスロット）がＫより少なくても、スロット（Ｎ＋Ｋ）ではそれ以上ＰＵＣＣＨを伝送しない。（反復方法２）
【０２５３】
また他の例として、端末は、ＰＵＣＣＨの伝送が指示されたスロットＮから半静的ＤＬ／ＵＬ割当情報によってＰＵＣＣＨを伝送できないスロットを除いた残りのスロットのうちＫ個の連続したスロットでＰＵＣＣＨ伝送を試みる。（反復方法３）
【０２５４】
図１５は、スロット構成によって反復ＰＵＣＣＨが伝送されるスロットを示す図である。
【０２５５】
図１５（ａ）を参照すると、端末が２つのスロットにわたって繰り返し第１タイプＰＵＣＣＨ１５００を伝送するように構成（半静的ＤＬ／ＵＬ割当によるスロット構成）されている際、端末が第１タイプＰＵＣＣＨ１５００を伝送する様子である。ここで、フレキシブルシンボルは動的スロット構成情報または端末特定ＤＣＩのスケジューリング情報によってＤＬシンボルまたはＵＬシンボルに変えられる。第１タイプＰＵＣＣＨ１５００が伝送されるシンボルは、スロット内でシンボル８〜シンボル１３と仮定する。ここで、一つのスロットには１４個のシンボルが含まれており、シンボルのインデックスは０から１３までである。
【０２５６】
半静的ＤＬ／ＵＬ割当による各スロット構成を調べると、スロット０において、シンボル０はＤＬシンボル、シンボル７〜シンボル１３はＵＬシンボルである。スロット１において、シンボル０〜シンボル１０はＤＬシンボル、シンボル１２〜シンボル１３はＵＬシンボルである。スロット２において、シンボル０〜シンボル１はＤＬシンボル、シンボル１０〜シンボル１３はＵＬシンボルである。スロット３において、シンボル０はＤＬシンボル、シンボル７〜シンボル１３はＵＬシンボルである。ＵＬシンボル、ＤＬシンボルの除いた残りのシンボルはフレキシブルシンボルである。
【０２５７】
よって、第１タイプＰＵＣＣＨ１５００は、スロット０とスロット３で動的スロット構成情報とは関係なく伝送され、スロット１で動的スロット構成情報とは関係なく伝送されず、スロット２で動的スロット構成情報によってシンボル８とシンボル９がＵＬシンボルと指示されれば伝送されるが、そうでなければ伝送されない。
【０２５８】
図１５（ａ）は、端末が上述した反復方法１によって第１タイプＰＵＣＣＨ１５００の伝送を試みるスロットを示している。ここで、スロット２のシンボル８と９が動的スロット構成情報によってＵＬシンボルと指示されず、端末は第１タイプＰＵＣＣＨを伝送できないと仮定する。端末は、第１タイプＰＵＣＣＨ１５００を実際にスロット０とスロット３で２回伝送する。よって、端末はスロット３の後はそれ以上第１タイプＰＵＣＣＨ１５００を繰り返し伝送しない。
【０２５９】
図１５（ｂ）は、上述した反復方法２を利用して第１タイプＰＵＣＣＨ１５００の伝送を試みるスロットを示している。２つのスロット（Ｋ＝２）に繰り返し第１タイプＰＵＣＣＨ１５００が伝送されるように構成されているため、端末はスロット０とスロット１で第１タイプＰＵＣＣＨ１５００の伝送を試みる。端末は、スロット１では第１タイプＰＵＣＣＨの伝送を試みるが、半静的ＤＬ／ＵＬ割当情報の設定によってＤＬシンボルと重なるため第１タイプＰＵＣＣＨを伝送することができない。
【０２６０】
図１５（ｃ）は、上述した反復方法３を利用して第１タイプＰＵＣＣＨ１５００の伝送を試みるスロットを示している。２つのスロット（Ｋ＝２）に繰り返し第１タイプＰＵＣＣＨ１５００が伝送されるように構成されているが、スロット１は半静的ＤＬ／ＵＬ割当情報のため第１タイプＰＵＣＣＨ１５００を伝送することができないスロットである。よって、端末はスロット０とスロット２で第１タイプＰＵＣＣＨ１５００の伝送を試みる。ここで、スロット２は動的スロット構成情報によって指示される通りに第１タイプＰＵＣＣＨ１５００を実際に伝送するか伝送しない。
【０２６１】
［更に他の実施例］
本発明の更に他の実施例は、ＴＤＤ基盤のＤＬシンボル、フレキシブルシンボル、ＵＬシンボルを含むスロット構成に基盤する無線通信システムにおいて、端末または基地局が物理チャンネルのカバレッジを向上させるために物理チャネルを伝送する方法及びそれに関する判断手順に関する。端末が伝送する物理チャネルは上りリンク物理チャネルであって、ＰＲＡＣＨ、ＰＵＣＣＨ、ＰＵＳＣＨ、ＳＲＳなどを含む。基地局が伝送する物理チャネルは下りリンク物理チャネルであって、ＰＤＳＣＨ、ＰＤＣＣＨ、ＰＢＣＨなどを含む。以下、ＰＵＣＣＨの反復伝送に関する端末と基地局の手順を定義し、ＰＵＳＣＨの反復伝送に関する端末と基地局の手順を定義し、ＰＤＳＣＨの反復で沿う方法に関する端末と基地局の手順を定義する。以下の実施例において、ＰＵＣＣＨまたは反復ＰＵＣＣＨは第１タイプＰＵＣＣＨまたは第２タイプＰＵＣＣＨである。
【０２６２】
ＰＵＣＣＨの反復伝送に関する端末と基地局の手順
ＰＵＣＣＨが伝送されるスロットの数またはＰＵＣＣＨ伝送の反復回数は、例えば、予め決められた多数の値（ｉ．ｅ．１、２、４、８）のうち一つであり、前記多数の値のうち実際の端末に設定される値はＲＲＣメッセージによって伝送される。もしＰＵＣＣＨ伝送の反復回数＝１と設定されれば、反復ＰＵＣＣＨではなく一般的なＰＵＣＣＨを指示するようになる。
【０２６３】
スロット内でＰＵＣＣＨが伝送されるシンボルの開始と長さは、ＲＲＣパラメータで設定される一つのＰＵＣＣＨ資源内に含まれて設定される。少なくとも一つのＰＵＣＣＨ資源を含むＰＵＣＣＨ資源集合（ｒｅｓｏｕｒｃｅ  ｓｅｔ）がＲＲＣシグナリングによって端末に設定または割り当てられる。一方、基地局は動的シグナリング（ｉ．ｅ．ＤＣＩ）によって前記ＰＵＣＣＨ資源集合のうち前記少なくとも一つのＰＵＣＣＨ資源インデックスを端末に指示する。例えば、基地局はＤＣＩに含まれたＰＵＣＣＨ資源指示子（ＰＵＣＣＨ  ｒｅｓｏｕｒｃｅ  ｉｎｄｉｃａｔｏｒ：ＰＲＩ）、またはＰＲＩと黙示的マッピング方式の組み合わせに基づいてＰＵＣＣＨ資源インデックスを端末に指示する。ここで、ＰＲＩは２ビットまたは３ビットである。
【０２６４】
このように設定されたＰＵＣＣＨ資源集合またはＰＵＣＣＨ資源インデックスは、ＰＵＣＣＨが繰り返し伝送される多数のスロットにわたって同じく維持される。端末は、ＤＣＩによって指示されたＰＵＣＣＨを伝送するのかを判断する。このような判断は半静的ＤＬ／ＵＬ割当情報に基づく。前記判断に使用される半静的ＤＬ／ＵＬ割当情報は、ＲＲＣシグナリングで指示されるＵＬ−ＤＬ構成共用情報（ＴＤＤ−ＵＬ−ＤＬ−ＣｏｎｆｉｇｕｒａｔｉｏｎＣｏｍｍｏｎ）と、追加に端末にＲＲＣシグナリングで指示されるＵＬ−ＤＬ構成専用情報（ＴＤＤ−ＵＬ−ＤＬ−ＣｏｎｆｉｇＤｅｄｉｃａｔｅｄ）のうち少なくとも一つを含む。
【０２６５】
一例として、ＵＬ−ＤＬ構成共用情報は、半静的ＤＬ／ＵＬ割当情報を適用する周期を指示し、その周期に含まれた複数のスロットにわたって構成されたＤＬシンボルの個数、ＵＬシンボルの個数、及びフレキシブルシンボルの個数を指示する。
【０２６６】
他の例として、ＵＬ−ＤＬ構成専用情報は、ＵＬ−ＤＬ構成共用情報によって提供された半静的ＤＬ／ＵＬスロット構成内のフレキシブルシンボルをＵＬシンボル、ＤＬシンボル、フレキシブルシンボルに置換（ｏｖｅｒｒｉｄｅ）するための情報を含む。つまり、端末はＵＬ−ＤＬ構成共用情報によって提供されたスロットフォーマット内のフレキシブルシンボルをＵＬ−ＤＬ構成専用情報に基づいて他の種類のシンボルに置換する。
【０２６７】
基地局によってＰＵＣＣＨ伝送が指示された各スロット内において、ＰＵＣＣＨが伝送されるシンボルが半静的ＵＬ／ＤＬ割当情報（ＵＬ−ＤＬ構成共用情報及びＵＬ−ＤＬ構成専用情報のうち少なくとも一つ）によって指示されたシンボル（ら）と重なれば、端末は指示されたシンボル（ら）の方向に基づいて前記ＰＵＣＣＨを伝送するのかを判断する。
【０２６８】
一例として、前記指示されたシンボル（ら）がＤＬシンボルであれば、端末はＰＵＣＣＨの伝送を次のスロットに延期し、前記指示されたシンボル（ら）のうち一つのシンボルがＤＬシンボル（ら）とフレキシブルシンボル（ら）であれば、端末は該当スロットでＰＵＣＣＨを伝送する。
【０２６９】
他の例として、前記指示されたシンボルがＤＬシンボルまたはフレキシブルシンボル（ら）であれば、端末はＰＵＣＣＨの伝送を次のスロットに延期し、前記指示されたシンボルがＵＬシンボルであれば、端末は該当スロットでＰＵＣＣＨを伝送する。該当スロットで伝送していないＰＵＣＣＨは次のスロットに延期する。
【０２７０】
端末は、多重スロット上でＲＲＣメッセージによって構成されたＰＵＣＣＨ伝送の反復回数に至るまでＰＵＣＣＨを繰り返し伝送する。端末は、多重スロット上でのＰＵＣＣＨ伝送のためのスロットを決定するに当たって、ＲＲＣメッセージで伝送された情報によるＵＬシンボルとＵｎｋｏｗｎ（またはフレキシブル）シンボルを考慮する。一例として、端末はＰＵＣＣＨ開始位置及びＵＬシンボルの数がＲＲＣメッセージによって構成されたＵＬシンボルとフレキシブルシンボルに含まれるスロットをＰＵＣＣＨ伝送を行うスロット資源として決定する。そして、基地局は、ＵＬ−ＤＬ構成共用情報及びＵＬ−ＤＬ構成専用情報のうち少なくとも一つに基づいて端末が多重スロットを介して繰り返し伝送するＰＵＣＣＨを受信する。
【０２７１】
反復ＰＵＣＣＨの伝送が割り当てられたスロットのうち最初のスロットでＰＵＣＣＨが伝送されるシンボルのうち少なくとも一つのシンボルがＤＬシンボルと重なれば、端末は該当スロットでＰＵＣＣＨを伝送せずにＰＵＣＣＨの伝送を取り消す。つまり、反復ＰＵＣＣＨの伝送が割り当てられたスロットのうち最初のスロットでＰＵＣＣＨが伝送されるシンボルがＵＬシンボル（ら）とフレキシブルシンボルで構成されていれば、端末は該当スロットでＰＵＣＣＨを伝送する。また、反復ＰＵＣＣＨの伝送が割り当てられたスロットのうち最初のスロット以降のスロットでＰＵＣＣＨ伝送以降のＰＵＣＣＨが伝送されるシンボルのうち少なくとも一つのシンボルがＤＬシンボルまたはフレキシブルシンボルと重なれば、端末は該当スロットでＰＵＣＣＨは伝送せずにＰＵＣＣＨの伝送を取り消す。つまり、反復ＰＵＣＣＨの伝送が割り当てられたスロットのうち最初のスロット以降のスロットで基地局によってＰＵＣＣＨ伝送が指示されたスロット、及び前記スロットのシンボルがＰＵＣＣＨが伝送されるように指示したシンボルがＵＬシンボル（ら）で構成されていれば、端末は該当スロットでＰＵＣＣＨを伝送する。
【０２７２】
以下、ギャップシンボルに関するＰＵＣＣＨの処理方法について開示する。
【０２７３】
ＤＬシンボルとＵＬシンボルとの間にＤＬ−ＵＬスイッチングのためのギャップが存在する。ギャップはフレキシブルシンボルに位置する。つまり、ＤＬシンボルとＵＬシンボルとの間のフレキシブルシンボル（ら）のうち一部のシンボル（ら）は、ＤＬ−ＵＬスイッチングギャップのために使用され、ＤＬ受信やＵＬ伝送のために使用されない。ギャップのためのシンボルの数をＧとする。Ｇは１または２のように特定値に固定されてもよく、ＲＲＣメッセージによって端末に構成されてもよく、タイミングアドバンス（Ｔｉｍｉｎｇ  ａｄｖａｎｃｅ）値を介して求められてもよい。
【０２７４】
基地局によってＰＵＣＣＨ伝送が指示された各スロット内において、ＰＵＣＣＨが伝送されるシンボルが半静的ＵＬ／ＤＬ割当情報（ＵＬ−ＤＬ構成共用情報及びＵＬ−ＤＬ構成専用情報のうち少なくとも一つ）によって構成されたシンボル（ら）と重なれば、端末は指示されたシンボル（ら）の種類（または方向）に基づいて前記ＰＵＣＣＨを伝送するのかを判断する。
【０２７５】
一例として、前記指示されたシンボル（ら）がいずれもＵＬシンボルであれば端末はＰＵＣＣＨを伝送し、前記指示されたシンボル（ら）のうち少なくとも一つのシンボルがＤＬシンボルまたはＤＬシンボルのすぐ次のＧ個の連続したフレキシブルシンボル（ら）のうち少なくとも一つで構成されば、端末は該当しスロットでＰＵＣＣＨを伝送しない。端末は、該当スロットで伝送していないＰＵＣＣＨは次のスロットに延期する。
【０２７６】
つまり、基地局によってＰＵＣＣＨ伝送が指示されたスロット内において、ＰＵＣＣＨが伝送されるシンボルがＵＬシンボルであれば端末はＰＵＣＣＨを伝送し、ＰＵＣＣＨが伝送されるシンボルがＤＬシンボルまたはＤＬシンボルのすぐ次のＧ個の連続したフレキシブルシンボル（ら）のうち少なくとも一つが重なれば、端末は該当スロットでＰＵＣＣＨを伝送しない。端末は、該当スロットで伝送していないＰＵＣＣＨは次のスロットに延期する。つまり、ＰＵＣＣＨはＤＬシンボルとギャップとして使用可能なＧ個のシンボルのうちいずれか一つのシンボルと重なれば伝送されず、次のスロットに伝送が延期される。
【０２７７】
一方、多重スロットにおけるＰＵＣＣＨ処理方法に関し、端末は、多重スロット上でＲＲＣメッセージによって構成されたＰＵＣＣＨ伝送の反復回数に至るまでＰＵＣＣＨを繰り返し伝送する。端末は、ＲＲＣメッセージで伝送された情報によるシンボルの種類及び個数に基づいて、多重スロット上でのＰＵＣＣＨ伝送のためのスロットを決定する。
【０２７８】
端末は、半静的ＵＬ／ＤＬ割当情報によって構成されたＵＬシンボルの個数、フレキシブルシンボルの個数、及びギャップシンボルの個数に基づいてＰＵＣＣＨ伝送のためのスロットを決定する。例えば、スロット内の「ＵＬシンボルの個数＋フレキシブルシンボルの個数−ギャップシンボルの個数」がＰＵＣＣＨの開始位置とＰＵＣＣＨが伝送されるＵＬシンボルの個数を含めば、端末は該当スロットをＰＵＣＣＨ伝送のためのスロットとして決定し、ＰＵＣＣＨを伝送する。または、一つのスロットが１４個のシンボルを含むことを考慮すると、「１４−（スロット内のＤＬシンボルの個数＋ギャップシンボルの個数）」がＰＵＣＣＨの開始位置とＰＵＣＣＨが伝送されるＵＬシンボルの個数を含めば、端末は該当スロットをＰＵＣＣＨ伝送のためのスロットとして決定し、ＰＵＣＣＨを伝送する。
【０２７９】
この場合、基地局は、ＵＬ−ＤＬ構成共用情報及びＵＬ−ＤＬ構成専用情報のうち少なくとも一つに基づいて端末が多重スロットを介して繰り返し伝送するＰＵＣＣＨを受信する。
【０２８０】
図１６は、スロット構成によるＰＵＣＣＨ伝送可否を示す図である。
【０２８１】
図１６を参照すると、半静的ＤＬ／ＵＬ割当情報によって構成されたスロット構成は５つのＤＬシンボル（「Ｄ」と表す）、３つのフレキシブルシンボル（「Ｘ」と表す）、そして６つのＵＬシンボル（「Ｕ」と表す）を順次に含む。
【０２８２】
ＰＵＣＣＨ割当（ａｌｌｏｃａｔｉｏｎ）＃０は８番目のシンボルから１４番目のシンボルまでのＰＵＣＣＨ資源で設定され、ＰＵＣＣＨ割当＃１は７番目のシンボルから１４番目のシンボルまでのＰＵＣＣＨ資源で設定され、ＰＵＣＣＨ割当＃３は６番目のシンボルから１４番目のシンボルまでのＰＵＣＣＨ資源で設定される。
【０２８３】
まず、図１６（ａ）は、ギャップとして一つのシンボル（Ｇ＝１）である場合を示す。Ｇ＝１であれば、ＤＬシンボルのすぐ次の一つのフレキシブルシンボルと重ならないＰＵＣＣＨ割当＃０とＰＵＣＣＨ割当＃１は伝送できるが、ＤＬシンボルのすぐ次の一つのフレキシブルシンボルと重なるＰＵＣＣＨ割当＃２は伝送できない。この場合、ＰＵＣＣＨ割当＃２の伝送は次のスロットに延期される。もちろん、端末は次のスロットでもＰＵＣＣＨ割当＃２の伝送可否に対して同じ基準で判断する。
【０２８４】
図１６（ｂ）は、ギャップとして２つのシンボル（Ｇ＝２）である場合を示す。Ｇ＝２であれば、ＤＬシンボルのすぐ次の２つの連続するまたはフレキシブルシンボルと重ならないＰＵＣＣＨ割当＃０は伝送できるが、ＤＬシンボルのすぐ次の２つの連続するフレキシブルシンボルと重なるＰＵＣＣＨ割当＃１とＰＵＣＣＨ割当＃２は伝送できない。この場合、ＰＵＣＣＨ割当＃１と＃２の伝送は次のスロットに延期される。もちろん、端末は次のスロットでもＰＵＣＣＨ割当＃１と＃２の伝送可否に対して同じ基準で判断する。
【０２８５】
ＰＵＳＣＨの反復伝送に関する端末と基地局の手順
ＰＵＳＣＨが伝送されるスロットの数またはＰＵＣＣＨ伝送の反復回数は、例えば、予め決められた多数の値（ｉ．ｅ．１、２、４、８）のうち一つであり、前記多数の値のうち実際の端末に設定される値はＲＲＣメッセージによって伝送される。もしＰＵＳＣＨ伝送の反復回数＝１と設定されれば、反復ＰＵＳＣＨではなく一般的なＰＵＳＣＨを指示するようになる。
【０２８６】
ＰＵＳＣＨの場合、Ｋ個の連続するスロットのうちＰＵＳＣＨの伝送に適合したスロット構成でのみＰＵＳＣＨが伝送され、ＰＵＳＣＨ伝送の延期動作（ｐｏｓｔｐｏｎｅ  ｏｐｅｒａｔｉｏｎ）は行われない。
【０２８７】
スロット内でＰＵＳＣＨが伝送されるシンボルの開始と長さはＤＩＣによって指示されるが、全てのスロットで同じく維持される。端末は、ＤＣＩによって指示されたＰＵＳＣＨを伝送するのかを判断する。このような判断は半静的ＤＬ／ＵＬ割当情報に基づく。前記判断に使用される半静的ＤＬ／ＵＬ割当情報は、ＲＲＣシグナリングで指示されるＵＬ−ＤＬ構成共用情報と、追加に端末にＲＲＣシグナリングで指示されるＵＬ−ＤＬ構成専用情報のうち少なくとも一つを含む。
【０２８８】
一例として、ＵＬ−ＤＬ構成共用情報は半静的ＤＬ／ＵＬ割当情報を適用する周期を指示し、その周期に含まれた複数のスロットにわたって構成されたスロット当たりのＵＤＬシンボルの個数、スロット当たりのＤＬ  ＵＬシンボルの個数、及びスロット当たりのフレキシブルシンボルの個数として構成されるスロットフォーマット（ｓｌｏｔ  ｆｏｒｍａｔ）と、スロットの個数を設定するのに使用される。つまり、端末はＵＬ−ＤＬ構成共用情報によって指示されるスロット個数にわたって、各スロット当たりのスロットフォーマットを構成する。他の例として、ＵＬ−ＤＬ構成専用情報はＵＬ−ＤＬ構成共用情報によって提供された半静的ＤＬ／ＵＬスロット構成内のフレキシブルシンボルをＵＬシンボル、ＤＬシンボル、フレキシブルシンボルに置換するための情報を含む。つまり、端末はＵＬ−ＤＬ構成共用情報によって提供されたスロットフォーマット内のフレキシブルシンボルをＵＬ−ＤＬ構成専用情報に基づいて他の種類のシンボルに置換する。
【０２８９】
基地局によってＰＵＳＣＨ伝送が指示された各スロット内において、ＰＵＳＣＨが伝送されるシンボルが半静的ＵＬ／ＤＬ割当情報（ＵＬ−ＤＬ構成共用情報及びＵＬ−ＤＬ構成専用情報のうち少なくとも一つ）によって指示されたシンボル（ら）と重なれば、端末は指示されたシンボル（ら）の種類（または方向）に基づいて前記ＰＵＳＣＨを伝送するのかを判断する。
【０２９０】
一例として、前記指示されたシンボル（ら）のうち少なくとも一つのシンボルがＤＬシンボルであれば、端末はＰＵＳＣＨの伝送を行わず、ＰＵＳＣＨの伝送を取り消す。また、前記指示されたシンボル（ら）がＵＬシンボル（ら）とフレキシブルシンボル（ら）であれば、端末は該当スロットでＰＵＳＣＨを伝送する。
【０２９１】
他の例として、前記指示されたシンボル（ら）のうち少なくとも一つのシンボルがＤＬシンボルまたはフレキシブルシンボル（ら）であれば、端末はＰＵＳＣＨの伝送を行わず、ＰＵＳＣＨの伝送を取り消す。また、前記指示されたシンボル（ら）がＵＬシンボルであれば、端末は該当スロットでＰＵＳＣＨを伝送する。
【０２９２】
反復ＰＵＳＣＨの伝送が割り当てられたスロットのうち最初のスロットでＰＵＳＣＨが伝送されるシンボルのうち少なくとも一つのシンボルがＤＬシンボルと重なれば、端末は該当スロットでＰＵＳＣＨを伝送せずにＰＵＳＣＨの伝送を取り消す。つまり、反復ＰＵＳＣＨの伝送が指示されたスロットのうち最初のスロットでＰＵＳＣＨが伝送されるシンボルがＵＬシンボル（ら）とフレキシブルシンボルで構成されていれば、端末は該当スロットでＰＵＳＣＨを伝送する。また、反復ＰＵＳＣＨの伝送が指示されたスロットのうち最初のスロット以降スロットでＰＵＳＣＨが伝送されるシンボルのうち少なくとも一つのシンボルがＤＬシンボルまたはフレキシブルシンボルと重なれば、端末は該当スロットでＰＵＳＣＨは伝送せずにＰＵＳＣＨの伝送を取り消す。つまり、反復ＰＵＳＣＨの伝送が指示されたスロットのうち最初のスロット以降のスロットでＰＵＳＣＨが伝送されるように指示したシンボルがＵＬシンボル（ら）で構成されていれば、端末は該当スロットでＰＵＳＣＨを伝送する。
【０２９３】
以下、ギャップシンボルに関するＰＵＳＣＨの処理方法について開示する。
【０２９４】
ＤＬシンボルとＵＬシンボルとの間にＤＬ−ＵＬスイッチングのためのギャップが存在する。ギャップはフレキシブルシンボルに位置する。ＤＬシンボルとＵＬシンボルとの間のフレキシブルシンボル（ら）のうち一部のシンボル（ら）は、ＤＬ−ＵＬスイッチングギャップのために使用され、ＤＬ受信やＵＬ伝送のために使用されない。ギャップのためのシンボルの数をＧとする。Ｇは１または２のように特定値に固定されてもよく、ＲＲＣメッセージによって端末に構成されてもよく、タイミングアドバンス値を介して求められてもよい。
【０２９５】
基地局によってＰＵＳＣＨ伝送が指示された各スロット内において、ＰＵＳＣＨが伝送されるシンボルが半静的ＵＬ／ＤＬ割当情報（ＵＬ−ＤＬ構成共用情報及びＵＬ−ＤＬ構成専用情報のうち少なくとも一つ）によって指示されたシンボル（ら）と重なれば、端末は指示されたシンボルの種類（または方向）に基づいて前記ＰＵＳＣＨを伝送するのかを判断する。
【０２９６】
一例として、前記指示されたシンボルがいずれもＵＬシンボルであれば端末はＰＵＳＣＨを伝送し、前記指示されたシンボル（ら）のうち少なくとも一つのシンボルがＤＬシンボルまたはＤＬシンボルのすぐ次のＧ個の連続したフレキシブルシンボル（ら）であれば、端末は該当スロットでＰＵＳＣＨを伝送しない。
【０２９７】
つまり、基地局によってＰＵＳＣＨ伝送が指示されたスロット内において、ＰＵＳＣＨが伝送されるシンボルがＵＬシンボルであれば端末はＰＵＳＣＨを伝送し、ＰＵＳＣＨが伝送されるシンボルのうち少なくとも一つのシンボルがＤＬシンボルまたはＤＬシンボルのすぐ次のＧ個の連続したフレキシブルシンボル（ら）のうち少なくとも一つが重なれば、端末はＰＵＳＣＨの伝送を行わずにＰＵＳＣＨの伝送を取り消す。つまり、ＰＵＳＣＨはＤＬシンボルとギャップとして使用可能なＧ個のシンボルのうちいずれか一つのシンボルと重なれば伝送されず、ＰＵＳＣＨの伝送は取り消される。
【０２９８】
ＰＤＳＣＨの反復受信に関する端末と基地局の手順
ＰＤＳＣＨが受信されるスロットの数またはＰＤＳＣＨ受信の反復回数は、例えば、予め決められた多数の値（ｉ．ｅ．１、２、４、８）のうち一つであり、前記多数の値のうち実際に端末に設定される値はＲＲＣメッセージによって伝送される。もしＰＤＳＣＨ受信の反復回数＝１と設定されれば、反復ＰＤＳＣＨではなく一般的なＰＤＳＣＨを指示するようになる。
【０２９９】
スロット内でＰＤＳＣＨが受信されるシンボルの開始と長さはＤＩＣによって指示されるが、全てのスロットで同じく維持される。端末は、ＤＣＩによって指示されたＰＤＳＣＨを伝送するのかを判断する。このような判断は半静的ＤＬ／ＵＬ割当情報に基づく。前記判断に使用される半静的ＤＬ／ＵＬ割当情報は、ＲＲＣシグナリングで指示されるＵＬ−ＤＬ構成共用情報と、追加に端末にＲＲＣシグナリングで指示されるＵＬ−ＤＬ構成専用情報のうち少なくとも一つを含む。
【０３００】
一例として、ＵＬ−ＤＬ構成共用情報は半静的ＤＬ／ＵＬ割当情報を適用する周期を指示し、その周期に含まれた複数のスロットにわたって構成されたスロット当たりのＵＤＬシンボルの個数、スロット当たりのＤＬ  ＵＬシンボルの個数、及びスロット当たりのフレキシブルシンボルの個数として構成されるスロットフォーマットと、スロットの個数を設定するのに使用される。つまり、端末はＵＬ−ＤＬ構成共用情報によって指示されるスロット個数にわたって、各スロット当たりのスロットフォーマットを構成する。他の例として、ＵＬ−ＤＬ構成専用情報は、ＵＬ−ＤＬ構成共用情報によって提供された半静的ＤＬ／ＵＬスロット構成内のフレキシブルシンボルをＵＬシンボル、ＤＬシンボル、フレキシブルシンボルに置換するための情報を含む。つまり、端末はＵＬ−ＤＬ構成共用情報によって提供されたスロット構成内のフレキシブルシンボルをＵＬ−ＤＬ構成専用情報に基づいて他の種類のシンボルに置換する。
【０３０１】
基地局によってＰＤＳＣＨ受信が指示されたスロット内において、端末がＰＤＳＣＨを受信するシンボルが半静的ＵＬ／ＤＬ割当情報（ＵＬ−ＤＬ構成共用情報及びＵＬ−ＤＬ構成専用情報のうち少なくとも一つ）によって指示されたシンボル（ら）と重なれば、端末は指示されたシンボルの種類（または方向）に基づいて前記ＰＤＳＣＨを受信するのかを判断する。
【０３０２】
一例として、前記指示されたシンボル（ら）のうち少なくとも一つのシンボルがＵＬシンボルであれば、端末はＰＤＳＣＨの受信を行わない。それに対し、前記指示されたシンボル（ら）がＤＬシンボル（ら）とフレキシブルシンボル（ら）であれば、端末は該当スロットでＰＤＳＣＨを受信する。
【０３０３】
他の例として、前記指示されたシンボル（ら）のうち少なくとも一つのシンボルがＵＬシンボルまたはＵｎｋｏｗｎ（またはフレキシブルシンボル（ら））であれば、端末はＰＤＳＣＨの受信を行わない。それに対し、前記指示されたシンボル（ら）がＤＬシンボルであれば、端末は該当スロットでＰＤＳＣＨを受信する。
【０３０４】
反復ＰＤＳＣＨ受信が指示されたスロットのうち最初のスロットでＰＤＳＣＨが受信されるシンボルのうち少なくとも一つのシンボルがＵＬシンボルと重なれば、端末は該当スロットでＰＤＳＣＨを受信しない。つまり、反復ＰＤＳＣＨの受信が指示されたスロットのうち最初のスロットでＰＤＳＣＨが受信されるシンボルがＤＬシンボル（ら）とフレキシブルシンボルで構成されていれば、端末は該当スロットでＰＤＳＣＨを受信する。また、反復ＰＤＳＣＨの受信が指示されたスロットのうち最初のスロット以降のスロットでＰＤＳＣＨが受信されるシンボルのうち少なくとも一つのシンボルがＵＬシンボルまたはフレキシブルシンボルと重なれば、端末は該当スロットでＰＤＳＣＨは受信しない。つまり、反復ＰＤＳＣＨの受信が指示されたスロットのうち最初のスロット以降のスロットで基地局によってＰＤＳＣＨの受信が指示されたスロット、及び前記スロットのシンボルがＰＤＳＣＨが伝送されるように指示したシンボルがＤＬシンボル（ら）で構成されていれば、端末は該当スロットでＰＤＳＣＨを受信する。一方、端末は追加に受信できなかったＰＤＳＣＨを延期された次のスロットで受信する。
【０３０５】
以下、ギャップシンボルに関するＰＤＳＣＨの処理方法について開示する。
【０３０６】
ＤＬシンボルとＵＬシンボルとの間にＤＬ−ＵＬスイッチングのためのギャップが存在する。ギャップはフレキシブルシンボルに位置する。ＤＬシンボルとＵＬシンボルとの間のフレキシブルシンボル（ら）のうち一部のシンボル（ら）は、ＤＬ−ＵＬスイッチングギャップのために使用され、ＤＬ受信やＵＬ伝送のために使用されない。ギャップのためのシンボルの数をＧとする。Ｇは１または２のように特定値に固定されてもよく、ＲＲＣメッセージによって端末に構成されてもよく、タイミングアドバンス値を介して求められてもよい。
【０３０７】
基地局によってＰＤＳＣＨ受信が指示されたスロット内において、ＰＤＳＣＨが受信されるシンボルが半静的ＵＬ／ＤＬ割当情報（ＵＬ−ＤＬ構成共用情報及びＵＬ−ＤＬ構成専用情報のうち少なくとも一つ）によって指示されたシンボル（ら）と重なれば、端末は指示されたシンボルの種類（または方向）に基づいて前記ＰＤＳＣＨを受信するのかを判断する。
【０３０８】
一例として、前記指示されたシンボル（ら）がいずれもＤＬシンボルであれば端末はＰＤＳＣＨを受信し、前記指示されたシンボル（ら）のうち少なくとも一つのシンボルがＵＬシンボルまたはＵＬシンボルのすぐ前のＧ個の連続したフレキシブルシンボル（ら）であれば、端末はＰＤＳＣＨを受信しない。
【０３０９】
つまり、基地局によってＰＤＳＣＨ受信が指示されたスロット内において、ＰＤＳＣＨが受信されるシンボルがＤＬシンボルであれば端末はＰＤＳＣＨを受信し、ＰＤＳＣＨが受信されるシンボルがＵＬシンボルまたはＵＬシンボルのすぐ前のＧ個の連続したフレキシブルシンボル（ら）のうち少なくとも一つが重なれば、端末はＰＤＳＣＨを受信を行わない。つまり、ＰＤＳＣＨが伝送されるシンボルがＵＬシンボルとギャップとして使用可能なＧ個のシンボルのうちいずれか一つのシンボルと重なればＰＤＳＣＨを伝送せず、ＰＤＳＣＨの伝送を取り消す。そして、基地局はＰＤＳＣＨの伝送を次のスロットに延期する。
【０３１０】
一方、端末が半静的ＤＬ／ＵＬ割当情報によってＰＤＳＣＨの受信を取り消せばＨＡＲＱ−ＡＲＱタイミングが変更される可能性があるため、新しいＨＡＲＱ−ＡＲＱタイミング設定方法が規定される必要がある。
【０３１１】
一側面において、ＰＤＳＣＨの受信が取り消されれば、新しいＨＡＲＱ−ＡＲＱタイミングは取り消されずに受信したＰＤＳＣＨによって決定される。つまり、端末は実際のＨＡＲＱ−ＡＣＫが伝送されるスロットを決定するために、ＰＤＳＣＨの受信を指示するＤＣＩに含まれたＨＡＲＱ−ＡＣＫタイミングと取り消されたＰＤＳＣＨを除いた最後に受信されたＰＤＳＣＨを利用する。例えば、ＨＡＲＱ−ＡＣＫタイミングとして４スロットを指示された端末は、最後のＰＤＳＣＨが受信されたスロットから４スロット以降にＨＡＲＱ−ＡＣＫを伝送する。
【０３１２】
他の側面において、ＰＤＳＣＨの受信が取り消される場合であっても、ＨＡＲＱ−ＡＲＱタイミングは変更されずにＰＤＳＣＨが受信されると仮定して決定される。つまり、端末は実際のＨＡＲＱ−ＡＣＫが伝送されるスロットを決定するために、ＰＤＳＣＨの受信を指示するＤＣＩに含まれたＨＡＲＱ−ＡＣＫタイミングと取り消し可否を決定する前の最後のＰＤＳＣＨを基準に計算されるを利用する。例えば、ＨＡＲＱ−ＡＣＫタイミングとして４スロットを指示された端末は、ＰＤＳＣＨの受信が取り消されても割り当てられたＰＤＳＣＨの最後のスロットから４スロット以降にＨＡＲＱ−ＡＣＫを伝送する。
【０３１３】
一方、端末は周波数ダイバーシティのためにスロット間周波数ホッピング（ｉｎｔｅｒ−ｓｌｏｔ  ｆｒｅｑｕｅｎｃｙ  ｈｏｐｐｉｎｇ）を行うように構成される。よって、端末が複数個のスロットでＰＵＣＣＨ（またはＰＤＳＣＨ、ＰＵＳＣＨ）を繰り返し伝送する場合であっても、端末がスロット間周波数ホッピングを行う方法が規定される必要がある。本実施例では、スロット間周波数ホッピングの際、各スロットでいかなる物理資源ブロック（ｐｈｙｓｉｃａｌ  ｒｅｓｏｕｒｃｅ  ｂｌｏｃｋ：ＰＲＢ）でＰＵＣＣＨ（またはＰＤＳＣＨ、ＰＵＳＣＨ）を伝送するのかを開示する。また、本実施例は、ＰＵＣＣＨ反復伝送回数とは関係なく、ＰＵＣＣＨが最初に伝送されるスロットとの現在のスロットの差によってＰＲＢを決めるアルゴリズムを開示する。
【０３１４】
一側面において、ＰＵＣＣＨ伝送の際のスロット間周波数ホッピング方法は、端末が第１スロットのインデックス及び反復ＰＵＣＣＨが最初に伝送された第２スロットのインデックスによってＰＵＣＣＨを伝送するＲＢ（ｒｅｓｏｕｒｃｅ  ｂｌｏｃｋ）を決定するステップを含む。ここで、スロットｎｓにおいて、ＰＵＣＣＨが伝送されるＲＢまたはＲＢの開始ＲＢインデックスは、数式７によって得られる。
【０３１５】
【数７】
0006980317.tif 000015
【０３１６】
数７において、ＲＢ１とＲＢ２はそれぞれ最初のホップ（ｈｏｐ）と２番目のホップの開始ＲＢインデックスであって、ＲＲＣメッセージを介して端末にシグナリングされて端末に構成される。ｎｓ、０はＰＵＳＣＨが最初に伝送されたスロットのインデックスである。この方式は、反復ＰＵＣＣＨの延期によってＰＵＳＣＨが繰り返し伝送される間に一つのホップのみを介して伝送される。
【０３１７】
他の側面において、ＰＵＣＣＨ伝送の際のスロット間周波数ホッピング方法は、端末が反復ＰＵＣＣＨを実際に伝送するたびにホッピングするステップを含む。ＲＢはＰＵＣＣＨが伝送されるスロットインデックス及び実際の反復回数によって決定される。より詳しくは、スロットｎｓにおいて、ＰＵＣＣＨが伝送されるＲＢまたはＲＢの開始ＲＢインデックスは、数式８によって得られる。
【０３１８】
【数８】
0006980317.tif 000016
【０３１９】
数８において、ＲＢ１とＲＢ２はそれぞれ最初のホップと２番目のホップの開始ＲＢインデックスであって、ＲＲＣメッセージを介して端末にシグナリングされて端末に構成される。ｎｒｅｐｅａｔ（ｎｓ）はスロットｎｓ以前までのＰＵＣＣＨの反復伝送回数である。この方式は、反復ＰＵＣＣＨの延期とは関係なくＰＵＣＣＨが互いに異なる２つのホップを介して伝送される。
【０３２０】
［更に他の実施例］
本明細書において、更に他の実施例は、ＰＵＣＣＨのカバレッジを向上させるために複数のスロットにわたってＰＵＣＣＨを繰り返し伝送する方法と判断手順以外にも、多数のスロットのうちどのスロットを介してＰＵＣＣＨ反復伝送を行うのかを決定する方法を開示する。
【０３２１】
以下、多数のスロットのうち端末がＰＵＣＣＨ伝送のためにスロットを決定する方法を開示する。
【０３２２】
一側面において、端末はＲＲＭ（ｒａｄｉｏ  ｒｅｓｏｕｒｃｅ  ｍａｎａｇｅｍｅｎｔ）測定のための同期化（ｓｙｎｃｈｒｏｎｉｚａｉｔｉｏｎ）信号、及び初期セルアクセスに関する情報を含むＳＳ／ＰＢＣＨブロックを基盤にＰＵＣＣＨ伝送のためのスロットを決定する。ＳＳ／ＰＢＣＨブロックは決められた位置で伝送されてもよく、ＳＳ／ＰＢＣＨブロックの伝送に関する設定がＲＲＣメッセージ（ｉ．ｅ．ＳＳＢ＿ｔｒａｎｓｍｉｔｔｅｄ−ＳＩＢ１情報またはＳＳＢ＿ｔｒａｎｓｍｉｔｔｅｄ）を介して基地局から端末に伝送されて端末に構成される。ＳＳ／ＰＢＣＨブロックの伝送に関する設定によって指示されるスロットにおいて、ＳＳ／ＰＢＣＨブロックの伝送が可能なフレキシブルシンボルが存在する。つまり、フレキシブルシンボルはＰＵＣＣＨを伝送のために使用されるだけでなく、同期化及び初期セルアクセスに関する情報を含むＳＳ／ＰＢＣＨブロックの伝送のために使用される。この場合、ＳＳ／ＰＢＣＨブロックが伝送されるフレキシブルシンボル（ら）とＰＵＣＣＨ伝送が可能なフレキシブルシンボル（ら）が少なくとも一部重なることが生じる可能性がある。
【０３２３】
一例として、端末は前記重なるシンボルを含むスロットを反復ＰＵＣＣＨ伝送のためのスロットから排除する方式で反復ＰＵＣＣＨのためのスロットを決定することで、衝突を防止する。このように、端末がＳＳＢ＿ｔｒａｎｓｍｉｔｔｅｄ−ＳＩＢ１及びＳＳＢ＿ｔｒａｎｓｍｉｔｔｅｄを基盤にＰＵＣＣＨを伝送する多数のスロットを決定し、前記多数のスロットにわたってＰＵＣＣＨを繰り返し伝送すれば、基地局は前記反復ＰＵＣＣＨを端末から受信する。
【０３２４】
他の側面において、端末は半静的ＤＬ／ＵＬ割当情報とギャップを基盤にＰＵＣＣＨ伝送のためのスロットを決定する。
【０３２５】
以下、本明細書ではギャップがＰＵＣＣＨ伝送ためのシンボルのすぐ前のシンボルに位置する場合を仮定し、ギャップが一つまたは２つのシンボルを含むと仮定して説明する。しかし、ＤＬとＵＬとの間のＤＬ−ＵＬスイッチングギャップの位置とシンボルの個数は、それ以外にも基地局と端末の設定に応じて多様に設定される。例えば、ギャップは２つ以上のシンボルを含むが、端末は２つ以上のギャップシンボルを考慮してＰＵＣＣＨ伝送のためのスロットを決定するか、ＰＵＣＣＨ伝送の延期可否を決定する。
【０３２６】
一方、スロット決定は、スロット内でＰＤＳＣＨの割当可否、スロット内でＤＬシンボルにＰＤＣＣＨモニタリングのための制御資源集合（ｃｏｎｔｒｏｌ  ｒｅｓｏｕｒｃｅ  ｓｅｔ：ＣＯＲＥＳＥＴ）の割当可否、スロット内でＣＳＩ−ＲＳの割当可否、スロット内でＳＳ／ＰＢＣＨブロックの割当可否、及び半静的ＤＬ／ＵＬ割当情報のうち少なくとも一つを基盤に行われる。
【０３２７】
一例として、フレキシブルシンボルでＰＵＣＣＨ伝送資源を判断するために、もしフレキシブルシンボルのすぐ前のシンボルがＤＬシンボル（ら）で前記ＤＬシンボル（ら）にＰＤＳＣＨが割り当てられていれば、端末はフレキシブルシンボルをＰＵＣＣＨ伝送のための資源として考慮しない。その代わり、端末は他のＵＬシンボルとフレキシブルシンボル（ら）を含むスロットをＰＵＣＣＨ伝送のためのスロットとして決定する。もし、フレキシブルシンボルのすぐ前のシンボルがＤＬシンボル（ら）で前記ＤＬシンボル（ら）にＰＤＳＣＨが割り当てられていなければ、前記フレキシブルシンボルは非割当シンボルとなる。よって、端末は前記非割当シンボルをＤＬ−ＵＬスイッチングのためのギャップとみなさない。そして、端末は前記ＤＬシンボル（ら）のすぐ次のフレキシブルシンボルを反復ＰＵＣＣＨ伝送が可能な資源とみなし、ＰＵＣＣＨ伝送のためのスロットと決定する。
【０３２８】
他の例として、フレキシブルシンボルでＰＵＣＣＨ伝送資源を判断するために、もしフレキシブルシンボルのすぐ前のシンボルがＤＬシンボル（ら）で前記ＤＬシンボル（ら）にＰＤＣＣＨモニタリングのためのＣＯＲＥＳＥＴまたは検索空間（ｒｅｓｅａｒｃｈ  ｓｐａｃｅ）が割り当てられていれば、端末は割り当てられたＰＤＣＣＨモニタリングを行うために、前記フレキシブルシンボルを含むスロットを反復ＰＵＣＣＨ伝送のためのスロットから排除する。
【０３２９】
また他の例として、フレキシブルシンボルでＰＵＣＣＨ伝送資源を判断するために、もしフレキシブルシンボルのすぐ前のシンボルがＤＬシンボル（ら）で前記ＤＬシンボル（ら）にＰＤＣＣＨモニタリングのためのＣＯＲＥＳＥＴまたは検索空間が割り当てられていれば、端末は割り当てられたＰＤＣＣＨのｍｏｎｉｔｏｒｉｎｇを行わず、前記フレキシブルシンボルを反復ＰＵＣＣＨ伝送が可能な資源とみなしてＰＵＣＣＨ伝送のためのスロットと決定する。
【０３３０】
更に他の例として、端末は半静的ＤＬ／ＵＬ割当情報を利用してＰＵＣＣＨ伝送のためのスロットを決定する。端末は、ＲＲＣメッセージと動的シグナリング（ｅ．ｇ．ＰＲＩ）を介してどのスロットのどのシンボルでＰＵＣＣＨが伝送されるべきなのかを知る。もしＰＵＣＣＨが伝送が指示されたシンボルのうち少なくとも一つのシンボルが半静的ＤＬ／ＵＬ割当情報で指示されたフレキシブルシンボルと重なり、ＰＵＣＣＨが伝送が指示されたシンボルのすぐ前のシンボルが半静的ＤＬ／ＵＬ割当情報で指示されたＤＬシンボルではなければ、端末は該当スロットを反復ＰＵＣＣＨ伝送のためのスロットと決定し、該当スロットでＰＵＣＣＨを伝送する。それに対し、もしＰＵＣＣＨが伝送されるシンボルのすぐ前のシンボルが半静的ＤＬ／ＵＬ割当情報で指示されたＤＬシンボルであれば、端末は該当スロットで反復ＰＵＣＣＨを伝送せず、利用可能な次のスロットにＰＵＣＣＨ伝送を延期する。言い換えれば、端末はＲＲＣメッセージ及び／または動的シグナリング（ｅ．ｇ．ＰＲＩ）からスロットごとでＰＵＣＣＨが伝送されるシンボルを知り、そのシンボルのうち少なくとも一つのシンボルでも半静的ＤＬ／ＵＬ割当情報のＤＬシンボルと重なるか、ＰＵＣＣＨが伝送されるシンボルのすぐ前のシンボルが半静的ＤＬ／ＵＬ割当情報のＤＬシンボルであれば、端末は該当スロットでＰＵＣＣＨを伝送せず、そうでなければ端末は該当スロットでＰＵＣＣＨを伝送する。これは、ＤＬとＵＬとの間のスイッチングギャップが必要なためである。ここで伝送できなかったＰＵＣＣＨは、利用可能な次のスロットで伝送されるように延期される。
【０３３１】
更に他の例として、端末は端末にスケジューリングされた情報を利用してＰＵＣＣＨ伝送のためのスロットを決定する。端末は、ＲＲＣメッセージと動的シグナリング（ｅ．ｇ．ＰＲＩ）を介してどのスロットのどのシンボルでＰＵＣＣＨが伝送されるべきなのかを知る。もしＰＵＣＣＨの伝送が指示されたシンボルのうち少なくとも一つのシンボルが半静的ＤＬ／ＵＬ割当情報で指示されたフレキシブルシンボルと重なり、ＰＵＣＣＨが伝送が指示されたシンボルのすぐ前のシンボルにＰＤＳＣＨがスケジューリングされていなければ、端末は該当スロットをＰＵＣＣＨ伝送のためのスロットと決定し、該当スロットでＰＵＣＣＨを伝送する。それに対し、もしＰＵＣＣＨが伝送されるシンボルのすぐ前のシンボルにＰＤＳＣＨがスケジューリングされていれば、端末は該当スロットでＰＵＣＣＨを伝送せず、利用可能な次のスロットにＰＵＣＣＨ伝送を延期する。言い換えれば、端末はＲＲＣメッセージ及び／または動的シグナリング（ｅ．ｇ．ＰＲＩ）からスロットごとでＰＵＣＣＨが伝送されるシンボルを知り、そのシンボルのうち少なくとも一つのシンボルでも半静的ＤＬ／ＵＬ割当情報のＤＬシンボルと重なるか、ＰＵＣＣＨが伝送されるシンボルのすぐ前のシンボルにＰＤＳＣＨがスケジューリングされていれば、端末は該当スロットでＰＵＣＣＨを伝送せず、そうでなければ端末は該当スロットでＰＵＣＣＨを伝送する。これは、ＤＬとＵＬとの間のスイッチングギャップが必要なためである。ここで伝送できなかったＰＵＣＣＨは、利用可能な次のスロットで伝送されるように延期される。
【０３３２】
更に他の例として、端末は端末に構成されたＣＳＩ−ＲＳ情報を利用してＰＵＣＣＨ伝送のためのスロットを決定する。端末は、ＲＲＣメッセージと動的シグナリング（ｅ．ｇ．ＰＲＩ）を介してどのスロットのどのシンボルでＰＵＣＣＨが伝送されるべきなのかを知る。もしＰＵＣＣＨの伝送が指示されたシンボルのうち少なくとも一つのシンボルが半静的ＤＬ／ＵＬ割当情報で指示されたフレキシブルシンボルと重なり、ＰＵＣＣＨが伝送が指示されたシンボルのすぐ前のシンボルにＣＳＩ−ＲＳ受信が構成されていなければ、端末は該当スロットをＰＵＣＣＨ伝送のためのスロットと決定し、該当スロットでＰＵＣＣＨを伝送する。それに対し、もしＰＵＣＣＨが伝送されるシンボルのすぐ前のシンボルにＣＳＩ−ＲＳ受信が構成されていれば、端末は該当スロットでＰＵＣＣＨを伝送せず、利用可能な次のスロットにＰＵＣＣＨ伝送を延期する。言い換えれば、端末はＲＲＣメッセージ及び／または動的シグナリング（ｅ．ｇ．ＰＲＩＰＲＩ）からスロットごとでＰＵＣＣＨが伝送されるシンボルを知り、そのシンボルのうち少なくとも一つのシンボルでも半静的ＤＬ／ＵＬ割当情報のＤＬシンボルと重なるか、ＰＵＣＣＨが伝送されるシンボルのすぐ前のシンボルにＣＳＩ−ＲＳの受信が構成されていれば、端末は該当スロットでＰＵＣＣＨを伝送せず、そうでなければ端末は該当スロットでＰＵＣＣＨを伝送する。これは、ＤＬとＵＬとの間のスイッチングギャップが必要なためである。ここで伝送できなかったＰＵＣＣＨは、利用可能な次のスロットで伝送されるように延期される。
【０３３３】
更に他の例として、端末は端末に構成されたＰＤＣＣＨモニタリング情報を利用してＰＵＣＣＨ伝送のためのスロットを決定する。端末は、ＲＲＣメッセージと動的シグナリング（ｅ．ｇ．ＰＲＩ）を介してどのスロットのどのシンボルでＰＵＣＣＨが伝送されるべきなのかを知る。もしＰＵＣＣＨの伝送が指示されたシンボルのうち少なくとも一つのシンボルが半静的ＤＬ／ＵＬ割当情報でフレキシブルシンボルと重なり、ＰＵＣＣＨが伝送が指示されたシンボルのすぐ前のシンボルにＰＤＣＣＨモニタリングが構成（または割当）されていなければ、端末は該当スロットをＰＵＣＣＨ伝送のためのスロットと決定し、該当スロットでＰＵＣＣＨを伝送する。それに対し、もしＰＵＣＣＨが伝送されるシンボルのすぐ前のシンボルにＰＤＣＣＨモニタリングが構成（または割当）されていれば、端末は該当スロットでＰＵＣＣＨを伝送せず、利用可能な次のスロットにＰＵＣＣＨ伝送を延期する。言い換えれば、端末はＲＲＣメッセージ及び／または動的シグナリング（ｅ．ｇ．ＰＲＩ）からスロットごとでＰＵＣＣＨが伝送されるシンボルを知り、そのシンボルのうち少なくとも一つのシンボルでも半静的ＤＬ／ＵＬ割当情報のＤＬシンボルと重なるか、ＰＵＣＣＨが伝送されるシンボルのすぐ前のシンボルにＰＤＣＣＨモニタリングが構成されていれば、端末は該当スロットでＰＵＣＣＨを伝送せず、そうでなければ端末は該当スロットでＰＵＣＣＨを伝送する。これは、ＤＬとＵＬとの間のスイッチングギャップが必要なためである。ここで伝送できなかったＰＵＣＣＨは、利用可能な次のスロットで伝送されるように延期される。
【０３３４】
更に他の例として、端末は、ＲＲＣメッセージと動的シグナリング（ｅ．ｇ．ＰＲＩ）を介してどのスロットのどのシンボルでＰＵＣＣＨが伝送されるべきなのかを知る。もしＰＵＣＣＨの伝送が指示されたシンボルのうち少なくとも一つのシンボルが半静的ＤＬ／ＵＬ割当情報で指示されたフレキシブルシンボルと重なり、ＰＵＣＣＨが伝送が指示されたシンボルのすぐ前のシンボルがＳＳ／ＰＢＣＨブロックと重ならなければ、端末は該当スロットをＰＵＣＣＨ伝送のためのスロットと決定し、該当スロットでＰＵＣＣＨを伝送する。それに対し、もしＰＵＣＣＨが伝送されるシンボルのすぐ前のシンボルがＳＳ／ＰＢＣＨブロックと重なれば、端末は該当スロットでＰＵＣＣＨを伝送せず、利用可能な次のスロットにＰＵＣＣＨ伝送を延期する。言い換えれば、端末はＲＲＣメッセージ及び／または動的シグナリング（ｅ．ｇ．ＰＲＩ）からスロットごとでＰＵＣＣＨが伝送されるシンボルを知り、そのシンボルのうち少なくとも一つのシンボルでも半静的ＤＬ／ＵＬ割当情報のＤＬシンボルと重なるか、ＰＵＣＣＨが伝送されるシンボルのすぐ前のシンボルがＳＳ／ＰＢＣＨブロックと重なれば、端末は該当スロットでＰＵＣＣＨを伝送せず、そうでなければ端末は該当スロットでＰＵＣＣＨを伝送する。これは、ＤＬとＵＬとの間のスイッチングギャップが必要なためである。ここで伝送できなかったＰＵＣＣＨは、利用可能な次のスロットで伝送されるように延期される。
【０３３６】
本実施例において、一つのスロットで動的シグナリング（Ｄｙｎａｍｉｃ  ＳＦＩ）によってＤＬシンボルで指示されたシンボルが、反復ＰＵＣＣＨ伝送のためのシンボルのすぐ前のシンボルで終わり、次のシンボルから反復ＰＵＣＣＨのための伝送が行われるようにそのＰＵＣＣＨ資源が設定されれば、端末はそのスロットでＰＵＣＣＨを伝送せずに以降のスロットに延期する。延期されたスロットは、前記ＰＵＣＣＨが伝送されるスロットのうち最も先のスロットである。
【０３３７】
以下、端末がスロット内でＰＤＳＣＨの割当可否に応じてＰＵＣＣＨ伝送のためのスロットを決定する方法をより具体的な例示を介して説明する。ここで、一つのスロットは１４個のシンボルを含んでいると仮定する。
【０３３８】
例えば、ＰＵＣＣＨのためのＵＬシンボル資源として最後の１２個のシンボルで設定されており、特定スロットが２つのＤＬシンボル、２つのフレキシブルシンボル、１０個のＵＬシンボルを順次に含む場合を仮定する。前記２つのフレキシブルシンボルのすぐ前の２つのＤＬシンボルにＰＤＳＣＨが割り当てられていれば、端末は黙示的に最初のフレキシブルシンボルをＤＬとＵＬのスイッチングギャップとみなす。そして、端末は最初のフレキシブルシンボルを除いた残りの一つのフレキシブルシンボルと１０個のＵＬシンボルをＰＵＣＣＨ資源として選定可能であるのかを判断する。しかし、ＰＵＣＣＨのためのＵＬシンボル資源がスロットの最後の１２個のシンボルで設定されているため、端末は前記スロットをＰＵＣＣＨ伝送のためのスロット資源から排除する。前記例示において、もしＰＵＣＣＨのためのＵＬシンボル資源がスロットの最後の１１個のシンボルで設定されていれば、端末は前記スロットをＰＵＣＣＨ伝送のためのスロット資源として決定する。
また、例えば、ＰＵＣＣＨのためのＵＬシンボル資源が最後の６つのシンボルで設定されており、特定スロットが８つのＤＬシンボル、２つのフレキシブルシンボル、４つのＵＬシンボルを順次に含む場合を仮定する。先の８つのＤＬシンボルにＰＤＳＣＨが割り当てられていれば、端末は黙示的に最初のフレキシブルシンボルをＤＬとＵＬのスイッチングギャップとみなす。そして、端末は最初のフレキシブルシンボルを除いた残りの一つのフレキシブルシンボルと４つのＵＬシンボルをＰＵＣＣＨ資源として選定可能であるのかを判断する。しかし、ＰＵＣＣＨのためのＵＬシンボル資源がスロットの最後の６つのシンボルで設定されているため、端末は前記スロットをＰＵＣＣＨ伝送のためのスロット資源から排除する。前記例示において、もしＰＵＣＣＨのためのＵＬシンボル資源がスロットの最後の５つのシンボルで設定されていれば、端末は前記スロットをＰＵＣＣＨ伝送のためのスロット資源として決定する。
【０３３９】
［更に他の実施例］
本明細書において、更に他の実施例は、ＰＵＳＣＨのカバレッジを向上させるために複数のスロットにわたってＰＵＳＣＨを繰り返し伝送する方法と判断手順以外にも、多数のスロットのうちどのスロットを介してＰＵＳＣＨ反復伝送を行うのかを決定する方法を開示する。
【０３４０】
一方、ＰＵＳＣＨを伝送するスロットの決定は、スロット内でＰＤＳＣＨの割当可否、スロット内でＤＬシンボルにＰＤＣＣＨモニタリングのための制御資源集合の割当可否、スロット内でＣＳＩ−ＲＳの割当可否、スロット内でＳＳ／ＰＢＣＨブロックの割当可否、及び半静的ＤＬ／ＵＬ割当情報のうち少なくとも一つを基盤に行われる。
【０３４１】
一例として、端末は半静的ＤＬ／ＵＬ割当情報を利用してＰＵＳＣＨ伝送のためのスロットを決定する。端末は、ＲＲＣメッセージと動的シグナリング（ｅ．ｇ．ＰＲＩ）を介してどのスロットのどのシンボルでＰＵＳＣＨが伝送されるべきなのかを知る。もしＰＵＳＣＨが伝送が指示されたシンボルが半静的ＤＬ／ＵＬ割当情報で指示されたフレキシブルシンボルと重なり、ＰＵＳＣＨが伝送が指示されたシンボルのすぐ前のシンボルが半静的ＤＬ／ＵＬ割当情報で指示されたＤＬシンボルではなければ、端末は該当スロットをＰＵＳＣＨ伝送のためのスロットと決定し、該当スロットでＰＵＳＣＨを伝送する。それに対し、もしＰＵＳＣＨが伝送されるシンボルのすぐ前のシンボルが半静的ＤＬ／ＵＬ割当情報で指示されたＤＬシンボルであれば、端末は該当スロットでＰＵＳＣＨを伝送せず、利用可能な次のスロットにＰＵＳＣＨ伝送を延期する。言い換えれば、端末はＲＲＣメッセージ及び／または動的シグナリング（ｅ．ｇ．ＰＲＩ）からスロットごとでＰＵＳＣＨが伝送されるシンボルを知り、そのシンボルのうち少なくとも一つのシンボルでも半静的ＤＬ／ＵＬ割当情報のＤＬシンボルと重なるか、ＰＵＳＣＨが伝送されるシンボルのすぐ前のシンボルが半静的ＤＬ／ＵＬ割当情報のＤＬシンボルであれば、端末は該当スロットでＰＵＳＣＨを伝送せず、そうでなければ端末は該当スロットでＰＵＳＣＨを伝送する。これは、ＤＬとＵＬとの間のスイッチングギャップが必要なためである。ここで伝送できなかったＰＵＳＣＨは、利用可能な次のスロットで伝送されるように延期される。
【０３４２】
他の例として、端末は端末にスケジューリングされた情報を利用してＰＵＳＣＨ伝送のためのスロットを決定する。端末は、ＲＲＣメッセージと動的シグナリング（ｅ．ｇ．ＰＲＩ）を介してどのスロットのどのシンボルでＰＵＳＣＨが伝送されるべきなのかを知る。もしＰＵＳＣＨの伝送が指示されたシンボルのうち少なくとも一つのシンボルが半静的ＤＬ／ＵＬ割当情報で指示されたフレキシブルシンボルと重なり、ＰＵＳＣＨが伝送が指示されたシンボルのすぐ前のシンボルにＰＤＳＣＨがスケジューリングされていなければ、端末は該当スロットをＰＵＳＣＨ伝送のためのスロットと決定し、該当スロットでＰＵＳＣＨを伝送する。それに対し、もしＰＵＳＣＨが伝送されるシンボルのすぐ前のシンボルにＰＤＳＣＨがスケジューリングされていれば、端末は該当スロットでＰＵＳＣＨを伝送せず、利用可能な次のスロットにＰＵＳＣＨ伝送を延期する。言い換えれば、端末はＲＲＣメッセージ及び／または動的シグナリング（ｅ．ｇ．ＰＲＩ）からスロットごとでＰＵＳＣＨが伝送されるシンボルを知り、そのシンボルのうち少なくとも一つのシンボルでも半静的ＤＬ／ＵＬ割当情報のＤＬシンボルと重なるか、ＰＵＳＣＨが伝送されるシンボルのすぐ前のシンボルにＰＤＳＣＨがスケジューリングされていれば、端末は該当スロットでＰＵＳＣＨを伝送せず、そうでなければ端末は該当スロットでＰＵＳＣＨを伝送する。これは、ＤＬとＵＬとの間のスイッチングギャップが必要なためである。ここで伝送できなかったＰＵＳＣＨは、利用可能な次のスロットで伝送されるように延期される。
【０３４３】
また他の例として、端末は端末に構成されたＣＳＩ−ＲＳ情報を利用してＰＵＳＣＨ伝送のためのスロットを決定する。端末は、ＲＲＣメッセージと動的シグナリング（ｅ．ｇ．ＰＲＩ）を介してどのスロットのどのシンボルでＰＵＳＣＨが伝送されるべきなのかを知る。もしＰＵＳＣＨの伝送が指示されたシンボルのうち少なくとも一つのシンボルが半静的ＤＬ／ＵＬ割当情報で指示されたフレキシブルシンボルと重なり、ＰＵＳＣＨが伝送が指示されたシンボルのすぐ前のシンボルにＣＳＩ−ＲＳ受信が構成されていなければ、端末は該当スロットをＰＵＳＣＨ伝送のためのスロットと決定し、該当スロットでＰＵＳＣＨを伝送する。それに対し、ＰＵＳＣＨが伝送されるシンボルのすぐ前のシンボルにＣＳＩ−ＲＳ受信が構成されていれば、端末は該当スロットでＰＵＳＣＨを伝送しない。言い換えれば、端末はＲＲＣメッセージ及び／または動的シグナリング（ｅ．ｇ．ＰＲＩ）からスロットごとでＰＵＳＣＨが伝送されるシンボルを知り、そのシンボルのうち少なくとも一つのシンボルでも半静的ＤＬ／ＵＬ割当情報のＤＬシンボルと重なるか、ＰＵＳＣＨが伝送されるシンボルのすぐ前のシンボルにＣＳＩ−ＲＳの受信が構成されていれば、端末は該当スロットでＰＵＳＣＨを伝送せず、そうでなければ端末は該当スロットでＰＵＳＣＨを伝送する。これは、ＤＬとＵＬとの間のスイッチングギャップが必要なためである。ここで伝送できなかったＰＵＳＣＨは、利用可能な次のスロットで伝送されるように延期される。
【０３４４】
更に他の例として、端末は端末に構成されたＰＤＣＣＨモニタリング情報を利用してＰＵＳＣＨ伝送のためのスロットを決定する。端末は、ＲＲＣメッセージと動的シグナリング（ｅ．ｇ．ＰＲＩ）を介してどのスロットのどのシンボルでＰＵＳＣＨが伝送されるべきなのかを知る。もしＰＵＳＣＨの伝送が指示されたシンボルのうち少なくとも一つのシンボルが半静的ＤＬ／ＵＬ割当情報で指示されたフレキシブルシンボルと重なり、ＰＵＳＣＨが伝送が指示されたシンボルのすぐ前のシンボルにＰＤＣＣＨモニタリングが構成（または割当）されていなければ、端末は該当スロットをＰＵＳＣＨ伝送のためのスロットと決定し、該当スロットでＰＵＳＣＨを伝送する。それに対し、ＰＵＳＣＨが伝送されるシンボルのすぐ前のシンボルにＰＤＣＣＨモニタリングが構成（または割当）されていれば、端末は該当スロットでＰＵＳＣＨを伝送しない。言い換えれば、端末はＲＲＣメッセージ及び／または動的シグナリング（ｅ．ｇ．ＰＲＩ）からスロットごとでＰＵＳＣＨが伝送されるシンボルを知り、そのシンボルのうち少なくとも一つのシンボルでも半静的ＤＬ／ＵＬ割当情報のＤＬシンボルと重なるか、ＰＵＳＣＨが伝送されるシンボルのすぐ前のシンボルにＰＤＣＣＨモニタリングが構成されていれば、端末は該当スロットでＰＵＳＣＨを伝送せず、そうでなければ端末は該当スロットでＰＵＳＣＨを伝送する。これは、ＤＬとＵＬとの間のスイッチングギャップが必要なためである。ここで伝送できなかったＰＵＳＣＨは、利用可能な次のスロットで伝送されるように延期される。
【０３４５】
更に他の例として、端末は、ＲＲＣメッセージと動的シグナリング（ｅ．ｇ．ＰＲＩ）を介してどのスロットのどのシンボルでＰＵＳＣＨが伝送されるべきなのかを知る。もしＰＵＳＣＨの伝送が指示されたシンボルのうち少なくとも一つのシンボルが半静的ＤＬ／ＵＬ割当情報で指示されたフレキシブルシンボルと重なり、ＰＵＳＣＨが伝送が指示されたシンボルのすぐ前のシンボルがＳＳ／ＰＢＣＨブロックと重ならなければ、端末は該当スロットをＰＵＳＣＨ伝送のためのスロットと決定し、該当スロットでＰＵＳＣＨを伝送する。それに対し、ＰＵＳＣＨが伝送されるシンボルのすぐ前のシンボルがＳＳ／ＰＢＣＨブロックと重なれば、端末は該当スロットでＰＵＳＣＨを伝送しない。言い換えれば、端末はＲＲＣメッセージ及び／または動的シグナリング（ｅ．ｇ．ＰＲＩ）からスロットごとでＰＵＳＣＨが伝送されるシンボルを知り、そのシンボルのうち少なくとも一つのシンボルでも半静的ＤＬ／ＵＬ割当情報のＤＬシンボルと重なるか、ＰＵＳＣＨが伝送されるシンボルのすぐ前のシンボルがＳＳ／ＰＢＣＨブロックと重なれば、端末は該当スロットでＰＵＳＣＨを伝送せず、そうでなければ端末は該当スロットでＰＵＳＣＨを伝送する。これは、ＤＬとＵＬとの間のスイッチングギャップが必要なためである。ここで伝送できなかったＰＵＳＣＨは、利用可能な次のスロットで伝送されるように延期される。
【０３４７】
［更に他の実施例］
本明細書において、更に他の実施例は、ＰＤＳＣＨのカバレッジを向上させるために複数のスロットにわたってＰＤＳＣＨを繰り返し伝送する方法と判断手順以外にも、多数のスロットのうちどのスロットを介してＰＤＳＣＨ反復伝送を行うのかを決定する方法を開示する。
【０３４８】
一方、ＰＤＳＣＨを受信するスロットの決定は、スロット内でＰＵＳＣＨの割当可否、ＰＵＣＣＨの割当可否、ＳＲＳ伝送の割当可否、ＰＲＡＣＨ伝送の割当可否、及び半静的ＤＬ／ＵＬ割当情報のうち少なくとも一つを基盤に行われる。
【０３４９】
一例として、端末は半静的ＤＬ／ＵＬ割当情報を利用してＰＤＳＣＨを受信するスロットを決定する。端末は、ＲＲＣメッセージと動的シグナリング（ｅ．ｇ．ＰＲＩ）を介してどのスロットのどのシンボルでＰＤＳＣＨが受信されるべきなのかを知る。もしＰＤＳＣＨの受信が指示されたシンボルのうち少なくとも一つのシンボルが半静的ＤＬ／ＵＬ割当情報で指示されたフレキシブルシンボルと重なり、ＰＤＳＣＨが受信が指示されたシンボルのすぐ後のシンボルが半静的ＤＬ／ＵＬ割当情報で指示されたＵＬシンボルではなければ、端末は該当スロットをＰＤＳＣＨ受信のためのスロットと決定し、該当スロットでＰＤＳＣＨを受信する。それに対し、もしＰＤＳＣＨが受信されるシンボルのすぐ後のシンボルが半静的ＤＬ／ＵＬ割当情報で指示されたＵＬシンボルであれば、端末は該当スロットでＰＤＳＣＨを受信しない。言い換えれば、端末はＲＲＣメッセージ及び／または動的シグナリング（ｅ．ｇ．ＰＲＩ）からスロットごとでＰＤＳＣＨが受信されるシンボルを知り、そのシンボルのうち少なくとも一つのシンボルでも半静的ＤＬ／ＵＬ割当情報のＵＬシンボルと重なるか、ＰＤＳＣＨが伝送されるシンボルのすぐ後のシンボルが半静的ＤＬ／ＵＬ割当情報のＵＬシンボルであれば、端末は該当スロットでＰＤＳＣＨを受信せず、そうでなければ端末は該当スロットでＰＤＳＣＨを受信する。
【０３５０】
他の例として、端末は端末にスケジューリングされた上りリンク情報（ＰＵＳＣＨ、ＰＵＣＣＨ、ＰＲＡＣＨ、ＳＲＳなど）を利用してＰＤＳＣＨ受信のためのスロットを決定する。端末は、ＲＲＣメッセージと動的シグナリング（ｅ．ｇ．ＰＲＩ）を介してどのスロットのどのシンボルでＰＤＳＣＨが受信されるべきなのかを知る。もしＰＤＳＣＨの受信が指示されたシンボルのうち少なくとも一つのシンボルが半静的ＤＬ／ＵＬ割当情報で指示されたフレキシブルシンボルと重なり、ＰＤＳＣＨが受信が指示されたシンボルのすぐ後のシンボルにＰＵＳＣＨ、ＰＵＣＣＨ、ＰＲＡＣＨ、またはＳＲＳがスケジューリングされていなければ、端末は該当スロットをＰＤＳＣＨ受信のためのスロットと決定し、該当スロットでＰＤＳＣＨを受信する。それに対し、もしＰＤＳＣＨが受信されるシンボルのすぐ後のシンボルにＰＵＳＣＨ、ＰＵＣＣＨ、ＰＲＡＣＨ、またはＳＲＳがスケジューリングされていれば、端末は該当スロットでＰＤＳＣＨを受信しない。言い換えれば、端末はＲＲＣメッセージ及び／または動的シグナリング（ｅ．ｇ．ＰＲＩ）からスロットごとでＰＤＳＣＨが受信されるシンボルを知り、そのシンボルのうち少なくとも一つのシンボルでも半静的ＤＬ／ＵＬ割当情報のＵＬシンボルと重なるか、ＰＤＳＣＨが伝送されるシンボルのすぐ後のシンボルにＰＵＳＣＨ、ＰＵＣＣＨ、ＰＲＡＣＨ、またはＳＲＳがスケジューリングされていれば、端末は該当スロットでＰＤＳＣＨを受信せず、そうでなければ端末は該当スロットでＰＤＳＣＨを受信する。ここで、ＰＵＣＣＨはＨＡＲＱ−ＡＣＫを伝送するＰＵＣＣＨである。または、ＰＵＣＣＨはＳＲ（ｓｃｈｅｄｕｌｉｎｇ  ｒｅｑｕｅｓｔ）を伝送するＰＵＣＣＨであってもよい。
【０３５１】
また他の例として、端末は端末に構成されたＣＳＩ−ＲＳ情報を利用してＰＤＳＣＨ伝送のためのスロットを決定する。端末は、ＲＲＣメッセージと動的シグナリング（ｅ．ｇ．ＰＲＩ）を介してどのスロットのどのシンボルでＰＤＳＣＨが伝送されるべきなのかを知る。もしＰＤＳＣＨの受信が指示されたシンボルのうち少なくとも一つのシンボルが半静的ＤＬ／ＵＬ割当情報で指示されたフレキシブルシンボルと重なり、ＰＤＳＣＨが受信が指示されたシンボルのすぐ前のシンボルにＣＳＩ−ＲＳ受信が構成されていなければ、端末は該当スロットをＰＤＳＣＨ伝送のためのスロットと決定し、該当スロットでＰＤＳＣＨを伝送する。それに対し、もしＰＤＣＣＨが伝送されるシンボルのすぐ前のシンボルにＣＳＩ−ＲＳ受信が構成されていれば、端末は該当スロットでＰＤＳＣＨを伝送せず、利用可能な次のスロットにＰＤＳＣＨ伝送を延期する。言い換えれば、端末はＲＲＣメッセージ及び／または動的シグナリング（ｅ．ｇ．ＰＲＩ）からスロットごとでＰＤＳＣＨが伝送されるシンボルを知り、そのシンボルのうち少なくとも一つのシンボルでも半静的ＤＬ／ＵＬ割当情報のＤＬシンボルと重なるか、ＰＤＳＣＨが伝送されるシンボルのすぐ前のシンボルにＣＳＩ−ＲＳの受信が構成されていれば、端末は該当スロットでＰＤＳＣＨを伝送せず、そうでなければ端末は該当スロットでＰＤＳＣＨを伝送する。これは、ＤＬとＵＬとの間のスイッチングギャップが必要なためである。ここで伝送できなかったＰＤＳＣＨは、利用可能な次のスロットで伝送されるように延期される。
【０３５２】
更に他の例として、端末は端末に構成されたＰＤＣＣＨモニタリング情報を利用してＰＤＳＣＨ伝送のためのスロットを決定する。端末は、ＲＲＣメッセージと動的シグナリング（ｅ．ｇ．ＰＲＩ）を介してどのスロットのどのシンボルでＰＤＳＣＨが伝送されるべきなのかを知る。もしＰＤＳＣＨの受信が指示されたシンボルのうち少なくとも一つのシンボルが半静的ＤＬ／ＵＬ割当情報で指示されたフレキシブルシンボルと重なり、ＰＤＳＣＨが伝送されるシンボルのすぐ前のシンボルにＰＤＣＣＨモニタリングが構成（または割当）されていなければ、端末は該当スロットをＰＤＳＣＨ伝送のためのスロットと決定し、該当スロットでＰＤＳＣＨを伝送する。それに対し、もしＰＤＳＣＨが伝送されるシンボルのすぐ前のシンボルにＰＤＣＣＨモニタリングが構成（または割当）されていれば、端末は該当スロットでＰＤＳＣＨを伝送せず、利用可能な次のスロットにＰＤＳＣＨ伝送を延期する。言い換えれば、端末はＲＲＣメッセージ及び／または動的シグナリング（ｅ．ｇ．ＰＲＩ）からスロットごとでＰＤＳＣＨが伝送されるシンボルを知り、そのシンボルのうち少なくとも一つのシンボルでも半静的ＤＬ／ＵＬ割当情報のＤＬシンボルと重なるか、ＰＤＳＣＨが伝送されるシンボルのすぐ前のシンボルにＰＤＣＣＨモニタリングが構成されていれば、端末は該当スロットでＰＤＳＣＨを伝送せず、そうでなければ端末は該当スロットでＰＤＳＣＨを伝送する。これは、ＤＬとＵＬとの間のスイッチングギャップが必要なためである。ここで伝送できなかったＰＤＳＣＨは、利用可能な次のスロットで伝送されるように延期される。
【０３５３】
更に他の例として、ＳＳ／ＰＢＣＨブロックは、端末に関する半静的ＤＬ／ＵＬ割当情報のＤＬシンボル、フレキシブルシンボル、ＵＬシンボルと重なるように構成される。この際、端末はＳＳ／ＰＢＣＨブロックと重なるシンボルを半静的ＤＬシンボルとみなす。つまり、端末に半静的ＤＬシンボルが構成され、そのシンボルにＳＳ／ＰＢＣＨブロックが重なれば、端末はそのシンボルを半静的ＤＬシンボルで構成されていると仮定する。追加に、ＳＳ／ＰＢＣＨブロックと重なるシンボルのすぐ次のシンボルが半静的ＵＬシンボルであれば、端末はその半静的ＵＬシンボルを半静的フレキシブルシンボルと仮定する。
【０３５５】
［更に他の実施例］
本明細書の更に他の実施例は、下りリンク受信が要求されるＤＬシンボルと上りリンク送信が要求されるＵＬシンボルとの間の間隔が十分ではなく、端末が下りリンク受信と上りリンク伝送を行うことができない状況に関する。端末の下りリンク受信と上りリンク伝送との間に少なくともＤＬ−ＵＬスイッチングギャップが必要である。ここで、ＤＬ−ＵＬスイッチングギャップはスイッチングギャップ、または単にギャップと混用されてもよく、これらは表現のみ異なるだけであって、いずれも同等な意味を有する。
【０３５６】
ＤＬ−ＵＬスイッチングギャップは搬送波周波数によってその長さが異なり得る。例えば、搬送波の周波数が６ＧＨｚ以下（以下、周波数範囲（ｆｒｅｑｕｅｎｃｙ  ｒａｎｇｅ：ＦＲ１）１と称する）でＤＬ−ＵＬスイッチングギャップは１３ｕｓが必要である。または、搬送波の周波数が６ＧＨｚ以上（以下、ＦＲ２と称する）でＤＬ−ＵＬスイッチングギャップは７ｕｓが必要である。
【０３５７】
ＤＬ−ＵＬスイッチングギャップはタイミングアドバンス（ＴＡ）値とＴＡオフセット（ＴＡ  ｏｆｆｓｅｔ）値にも影響を受ける。また、ＤＬ−ＵＬスイッチングギャップは副搬送波間隔（ｓｕｂｃａｒｒｉｅｒ  ｓｐａｃｉｎｇ）にも影響を受ける。つまり、ＤＬ−ＵＬスイッチングギャップはＴＡ値とＴＡオフセット値及び／または副搬送波間隔に基づいて決定される。例えば、一つのシンボル長（ｄｕｒａｔｉｏｎ）がＸｕｓであれば、ＤＬ−ＵＬスイッチングギャップで必要なシンボル（Ｇ）はＧ＝ｃｅｉｌ（（Ｒｘ２Ｔｘ＋Ｔａ＋ＴＡ＿ｏｆｆｓｅｔ）／Ｘ）で与えられる。ここで、Ｒｘ２Ｔｘは搬送波の周波数によってその値が異なり得る。例えば、搬送波の周波数が６ＧＨｚ以下（ＦＲ１）でＲｘ２Ｔｘは１３ｕｓであり、６ＧＨｚ以上（ＦＲ２）でＲｘ２Ｔｘは７ｕｓである。ＴＡは端末が基地局から構成されたＴＡ値または端末が基地局に構成可能なＴＡ値のうち最大値である。ＴＡ＿ｏｆｆｓｅｔはＦＲ１で３９９３６＊Ｔｃであるか２５６００＊Ｔｃであり、ＦＲ２で１３７９２＊Ｔｃである。ここで、Ｔｃ＝１／（４８０＊１０３＊４０９６）である。ここで、スイッチングギャップはＲＦ干渉時間（ｉｎｔｅｒｒｕｐｔｉｏｎ  ｔｉｍｅ）である。
【０３５８】
表５は、副搬送波間隔によるＤＬ−ＵＬスイッチングギャップに必要なシンボル数の一例である。
【０３５９】
【表５】
0006980317.tif 000017
【０３６０】
表６は、副搬送波間隔によるＤＬ−ＵＬスイッチングギャップに必要なシンボル数の他の例である。
【０３６１】
【表６】
0006980317.tif 000018
【０３６２】
以下、端末が受信する下りリンク信号とＤＬ−ＵＬスイッチングギャップ（Ｇ）に基づいて上りリンクチャネルまたは上りリンク信号を処理する方法について開示する。本実施例において、下りリンク信号はＳＳ／ＰＢＣＨブロック、ＰＤＳＣＨ、ＰＤＣＣＨ、周期的信号、測定信号などを含む。また、本実施例において、上りリンクチャネルはＰＵＳＣＨ、ＰＵＣＣＨ、ＰＲＡＣＨなどを含み、上りリンク信号はＳＲＳ，周期的信号、測定信号などを含む。
【０３６３】
ＳＳ／ＰＢＣＨブロック伝送のためのシンボルと上りリンク伝送
一側面において、端末が上りリンク伝送を処理する方法は、端末が上りリンクチャネルの伝送や上りリンク信号の伝送が指示されたシンボルのうち少なくとも一つのシンボルがＳＳ／ＰＢＣＨブロックを基地局から受信するように指示されたシンボル（またはＳＳ／ＰＢＣＨブロック伝送のためのシンボル）と重なるように（つまり、矛盾するように）設定されたのかを判断するステップ、及び前記判断に基づいて上りリンクチャネルまたは上りリンク信号を伝送するステップを含む。ここで、もしＳＳ／ＰＢＣＨブロックが受信されるシンボルのうち少なくとも一部が上りリンクチャネルの伝送や上りリンク信号の伝送と重なるように設定されていれば端末は前記上りリンクチャネルや上りリンク信号を伝送せず、そうでなければ上りリンク信号を伝送する。
【０３６４】
他の側面において、端末が上りリンク伝送を処理する方法は、端末が上りリンクチャネルの伝送や上りリンク信号の伝送が指示されたシンボルのうち少なくとも一つのシンボルが基地局から受信するように指示されたＳＳ／ＰＢＣＨブロックが割り当てられたシンボル（ら）と重なるように設定されたのかを判断するステップ、及び前記判断に基づいて上りリンクチャネルまたは上りリンク信号を伝送するステップを含む。ここで、もしＧシンボル（ら）のうち少なくとも一部が上りリンクチャネルの伝送や上りリンク信号の伝送と重なるように設定されていれば端末は前記上りリンクチャネルや上りリンク信号を伝送せず、そうでなければ上りリンク信号を伝送する。
【０３６５】
下りリンク伝送のためのシンボルと上りリンク伝送
また他の側面において、端末が上りリンク伝送を処理する方法は、端末が上りリンクチャネルの伝送や上りリンク信号の伝送が指示されたシンボルのうち少なくとも一つのシンボルが基地局から下りリンク伝送を受信するように指示されたシンボル（または下りリンク伝送のためのシンボル）と重なるように設定されたのかを判断するステップ、及び前記判断に基づいて上りリンクチャネルまたは上りリンク信号を伝送するステップを含む。ここで、もし上りリンク伝送が受信されるシンボルのうち少なくとも一部が上りリンクチャネルの伝送や上りリンク信号の伝送と重なるように設定されていれば端末は前記上りリンクチャネルや上りリンク信号を伝送せず、そうでなければ上りリンク信号を伝送する。
【０３６６】
更に他の側面において、端末が上りリンク伝送を処理する方法は、端末が上りリンクチャネルの伝送や上りリンク信号の伝送が指示されたシンボルのうち少なくとも一つのシンボルが基地局から下りリンク伝送を受信するように指示されたシンボル（ら）の後のＧシンボル（ら）と重なるように設定されたのかを判断するステップ、及び前記判断に基づいて上りリンクチャネルまたは上りリンク信号を伝送するステップを含む。ここで、もしＧシンボル（ら）のうち少なくとも一部が上りリンクチャネルの伝送や上りリンク信号の伝送と重なるように設定されていれば端末は前記上りリンクチャネルや上りリンク信号を伝送せず、そうでなければ上りリンク信号を伝送する。
【０３６７】
一方、本実施例は、基地局が下りリンク伝送のためのシンボルと上りリンク伝送のためのシンボルが重ならないようにスケジューリング（ｉ．ｇ  ｌａｙｅｒ  １（Ｌ１）の動的スケジューリング）を行うステップを含む。つまり、基地局が端末のためのスケジューリング行う際、Ｇシンボル基盤の上りリンク伝送を設定する。この場合、端末はＧシンボル内で基地局が端末の上りリンク伝送を設定することを期待しない。
【０３６８】
また、本実施例は、Ｌ１の動的スケジューリングではないＲＲＣ構成基盤の上りリンク伝送が設定されれば、端末がＲＲＣで構成された上りリンク伝送とＧシンボルが重なるのか判断するステップと、端末が前記判断を基盤に上りリンクチャネルまたは信号の伝送を行うか行わないステップを含む。
【０３６９】
以下、ＤＬ−ＵＬスイッチングギャップ（Ｇ）に基づいて端末が下りリンク受信と上りリンクチャネル（または上りリンク信号）の伝送を処理する方法が開示する。本実施例において、下りリンク信号はＳＳ／ＰＢＣＨブロック、ＰＤＳＣＨ、ＰＤＣＣＨ、ＣＳＩ−ＲＳなどを含む。また、本実施例において、上りリンクチャネルはＰＵＳＣＨ、ＰＵＣＣＨ、ＰＲＡＣＨなどを含み、上りリンク信号はＳＲＳなどを含む。
【０３７０】
フレキシブルシンボルと上りリンク信号の重畳可否による下りリンク信号の処理
端末は、半静的ＤＬ／ＵＬ割当情報によってフレキシブルシンボルで構成されたシンボルまたは半静的ＤＬ／ＵＬ割当情報によって構成されていないシンボルで、端末特定ＲＲＣメッセージによって構成された下りリンク信号（ｉ．ｇ．下りリンク周期的信号（ｐｅｒｉｏｄｉｃ  ｓｉｇｎａｌ））または測定信号（ｍｅａｓｕｒｅｍｅｎｔ  ｓｉｇｎａｌ））を受信するか受信できない。この場合、端末が前記構成された下りリンク受信を処理する方法は、ＤＬ−ＵＬスイッチングギャップと上りリンク信号との間の配置関係（例えば、重畳関係）に基づく。
【０３７１】
一側面において、端末が前記構成された下りリンク受信を処理する方法は、端末が前記構成された下りリンク信号の最後のシンボル以降のＧ個のシンボル（ら）以内に端末が上りリンク信号を伝送するように構成されたのか判断するステップと、前記判断に基づいて前記構成された下りリンク信号を受信するステップを含む。ここで、前記判断結果、前記構成された下りリンク信号の最後のシンボル以降のＧ個のシンボル（ら）内で上りリンク信号と重ならなければ、端末は前記構成された下りリンク信号を受信する。逆に、Ｇ個のシンボル（ら）内で上りリンク信号と重なれば、端末は前記構成された下りリンク信号を受信しない。つまり、一つのスロット内で半静的ＤＬ／ＵＬ割当情報によって構成された最後のＤＬシンボルと上りリンク信号で割り当てられた最初のシンボルとの間に少なくともＧ個のギャップシンボルがなければ、端末は下りリンク信号をドロップする。
【０３７２】
ここで、上りリンク信号はセル特定ＲＲＣメッセージによって構成された上りリンク信号を含む。例えば、セル特定ＲＲＣメッセージによって構成された上りリンク信号はＰＲＡＣＨを含む。
【０３７３】
または、上りリンク信号はＬ１シグナリングで指示された上りリンク信号を含む。一例として、Ｌ１シグナリングで指示された上りリンク信号は、ＤＣＩフォーマット０＿０または０＿１でスケジューリングされたＰＵＳＣＨを含む。他の例として、Ｌ１シグナリングで指示された上りリンク信号は、ＤＣＩフォーマット１＿０または１＿１でスケジューリングされたＰＵＳＣＨのＨＡＲＱ−ＡＣＫ応答を含むＰＵＣＣＨを含む。また他の例として、Ｌ１シグナリングで指示された上りリンク信号はＤＣＩで指示されたＳＲＳ信号を含む。更に他の例として、Ｌ１シグナリングで指示された上りリンク信号は、ＣＳ−ＲＮＴＩでスクランブリングされたＤＣＩで指示された上りリンクＳＰＳ（ｓｅｍｉ−ｐｅｒｓｉｓｔｅｎｔ  ｓｃｈｅｄｕｌｅｄ）  ＰＤＳＣＨ伝送のうち最初の伝送を含む。
【０３７４】
また、下りリンク信号は端末特定ＲＲＣメッセージによって構成されたＣＳＩ−ＲＳを含む。一例として、下りリンク信号は端末特定ＲＲＣメッセージによって構成されたＰＤＣＣＨモニタリングのためのＣＯＲＥＳＥＴを含む。他の例として、下りリンク信号はＣＳ−ＲＮＴＩでスクランブリングされた下りリンクＳＰＳ  ＰＤＳＣＨ伝送（最初の伝送を除く）を含む。
【０３７５】
他の側面において、端末が前記下りリンク受信を処理する方法は、端末が前記下りリンク信号の最後のシンボル以降のＧ個のシンボル（ら）内で半静的ＤＬ／ＵＬ割当情報によって構成されたＵＬシンボルと重なるのか判断するステップと、前記判断に基づいて下りリンク信号を受信するステップを含む。前記判断の結果、Ｇ個のシンボル（ら）内で半静的ＤＬ／ＵＬ割当情報によって構成されたＵＬシンボルと重なれば端末は下りリンク信号を受信せず、そうでなければ下りリンク信号を受信する。つまり、一つのスロット内で半静的ＤＬ／ＵＬ割当情報によって構成された最後のＤＬシンボルと上りリンク信号で割り当てられた最初のシンボルとの間に少なくともＧ個のギャップシンボルがなければ、端末は下りリンク信号をドロップする。
【０３７６】
また他の側面において、端末が前記構成された下りリンク受信を処理する方法は、端末が前記構成された下りリンク信号の最後のシンボル以降のＧ個のシンボル（ら）内で動的ＳＦＩによって指示されたＵＬシンボルと重なるのか判断するステップと、前記判断に基づいて前記構成された下りリンク信号を受信するステップを含む。前記判断の結果、Ｇ個のシンボル（ら）内で動的ＳＦＩによって指示されたＵＬシンボルと重なれば端末は前記構成された下りリンク信号を受信せず、そうでなければ下りリンク信号を受信する。つまり、一つのスロット内で半静的ＤＬ／ＵＬ割当情報によって構成された最後のＤＬシンボルと上りリンク信号で割り当てられた最初のシンボルとの間に少なくともＧ個のギャップシンボルがなければ、端末は下りリンク信号をドロップする。
【０３７７】
更に他の側面において、端末が前記構成された下りリンク受信を処理する方法は、端末が上りリンク信号の最初のシンボル以前のＧ個のシンボル（ら）内で半静的ＤＬ／ＵＬ割当情報によって構成されたＵＬシンボルと重なるのか判断するステップと、前記判断に基づいて端末が前記構成された下りリンク信号を受信するステップを含む。前記判断の結果、Ｇ個のシンボル（ら）内で半静的ＤＬ／ＵＬ割当情報によって構成されたＤＬシンボルと重なれば端末は前記構成された下りリンク信号を受信せず、そうでなければ前記構成された下りリンク信号を受信する。つまり、一つのスロット内で半静的ＤＬ／ＵＬ割当情報によって構成された最後のＤＬシンボルと上りリンク信号で割り当てられた最初のシンボルとの間に少なくともＧ個のギャップシンボルがなければ、端末は下りリンク信号をドロップする。
【０３７８】
更に他の側面において、端末が前記構成された下りリンク受信を処理する方法は、端末が上りリンク信号の最初のシンボル以前のＧ個のシンボル（ら）内で動的ＳＦＩで指示したＤＬシンボルと重なるのか判断するステップと、前記判断に基づいて端末が前記構成された下りリンク信号を受信するステップを含む。前記判断の結果、Ｇ個のシンボル（ら）内で動的ＳＦＩによって指示されたＤＬシンボルと重なれば端末は前記構成された下りリンク信号を受信せず、そうでなければ前記構成された下りリンク信号を受信する。つまり、一つのスロット内で半静的ＤＬ／ＵＬ割当情報によって構成された最後のＤＬシンボルと上りリンク信号で割り当てられた最初のシンボルとの間に少なくともＧ個のギャップシンボルがなければ、端末は下りリンク信号をドロップする。
【０３７９】
ここで、端末が上りリンク伝送を処理する方法は、半静的ＤＬ／ＵＬ割当情報によってフレキシブルシンボルで構成されたシンボルまたは半静的ＤＬ／ＵＬ割当情報によって構成されていないシンボルにおいて、端末が端末特定ＲＲＣメッセージによって構成された下りリンク信号（下りリンク周期的信号または測定信号）以降のＧ個のシンボルの間に上りリンク信号が構成されるか、Ｌ１信号で指示されることを期待しない動作を含む。
【０３８０】
フレキシブルシンボルと下りリンク信号の重畳可否による上りリンク信号の処理
端末は、半静的ＤＬ／ＵＬ割当情報によってフレキシブルシンボルで構成されたシンボルまたは半静的ＤＬ／ＵＬ割当情報によって構成されていないシンボルで、端末特定ＲＲＣメッセージによって構成された上りリンク信号（ｉ．ｇ．上りリンク周期的信号または測定信号）を伝送するか伝送できない。この場合、端末が前記構成された上りリンク伝送を処理する方法は、ＤＬ−ＵＬスイッチングギャップと上りリンク信号との間の配置関係（例えば、重畳関係）に基づいて判断する。
【０３８１】
一側面において、端末が前記構成された上りリンク伝送を処理する方法は、端末が前記構成された上りリンク信号の最後のシンボル以前のＧ個のシンボル（ら）以内に下りリンク信号を受信するのかに基づいて、前記構成された上りリンク信号を伝送するステップを含む。つまり、前記構成された上りリンク信号の最初のシンボル以前のＧ個のシンボル（ら）内で下りリンク信号と重ならなければ、端末は前記構成された上りリンク信号を伝送する。逆に、Ｇ個のシンボル（ら）内で下りリンク信号と重なれば、端末は前記構成された上りリンク信号を伝送しない。つまり、一つのスロット内で半静的ＤＬ／ＵＬ割当情報によって構成された最初のＤＬシンボルと下りリンク信号で割り当てられた最後のシンボルとの間に少なくともＧ個のギャップシンボルがなければ、端末は上りリンク信号をドロップする。
【０３８２】
ここで、下りリンク信号はセル特定ＲＲＣメッセージによって構成された下りリンク信号を含む。一例として、セル特定ＲＲＣメッセージによって構成された下りリンク信号はＳＳ／ＰＢＣＨブロックを含む。他の例として、セル特定ＲＲＣメッセージによって構成された下りリンク信号タイプ−０共用検索空間（ｔｙｐｅ−０  ｃｏｍｍｏｎ  ｓｅａｒｃｈ  ｓｐａｃｅ）を含む。ここで、タイプ−０共用検索空間はＲＭＳＩ（ｒｅｍａｉｎｉｎｇ  ｍｉｎｉｍｕｍ  ｓｃｈｅｄｕｌｉｎｇ  ｉｎｆｏｒｍａｉｔｏｎ）を受信するための探索空間である。また他の例として、セル特定ＲＲＣメッセージによって構成された下りリンク信号はタイプ-０Ａ共用検索空間（ｔｙｐｅ-０Ａ  ｃｏｍｍｏｎ  ｓｅａｒｃｈ  ｓｐａｃｅ）を含む。ここで、タイプ−０Ａ共用検索空間は、ランダムアクセス（ｒａｎｄｏｍ  ａｃｃｅｓｓ）過程でＰＲＡＣＨの応答を受信するための探索空間である。
【０３８３】
または、下りリンク信号はＬ１シグナリングによって指示された下りリンク信号を含む。一例として、Ｌ１シグナリングで指示された上りリンク信号は、ＤＣＩフォーマット１＿０または１＿１でスケジューリングされたＰＤＳＣＨを含む。また他の例として、Ｌ１シグナリングで指示された上りリンク信号はＤＣＩで指示された非周期的ＣＳＩ−ＲＳを含む。更に他の例として、Ｌ１シグナリングで指示された上りリンク信号は、ＣＳ−ＲＮＴＩでスクランブリングされたＤＣＩで指示された上りリンクＳＰＳ  ＰＤＳＣＨ伝送のうち最初の伝送を含む。
【０３８４】
また、上りリンク信号は端末特定ＲＲＣメッセージによって構成されたＳＲＳを含む。一例として、上りリンク信号は端末特定ＲＲＣメッセージによって構成された周期的ＰＵＣＣＨとＰＵＳＣＨを含む。他の例として、上りリンク信号は端末特定ＲＲＣメッセージによって構成されＳＲを含む。
【０３８５】
他の側面において、端末が前記構成された上りリンク伝送を処理する方法は、前記構成された上りリンク信号の最初のシンボル以前のＧ個のシンボル（ら）内で半静的ＤＬ／ＵＬ割当情報によって構成されたＵＬシンボルと重なるのか判断するステップと、前記判断に基づいて端末が前記構成された上りリンク信号を伝送するステップを含む。前記判断の結果、Ｇ個のシンボル（ら）内で半静的ＤＬ／ＵＬ割当情報によって構成されたＤＬシンボルと重ならなければ端末は前記構成された上りリンク信号を伝送し、そうでなければ前記構成された上りリンク信号を伝送しない。つまり、一つのスロット内で半静的ＤＬ／ＵＬ割当情報によって構成された最初のＤＬシンボルと下りリンク信号で割り当てられた最後のシンボルとの間に少なくともＧ個のギャップシンボルがなければ、端末は上りリンク信号をドロップする。
【０３８６】
ここで、端末が下りリンク受信を処理する方法は、半静的ＤＬ／ＵＬ割当情報によってフレキシブルシンボルで構成されたシンボルまたは半静的ＤＬ／ＵＬ割当情報によって構成されていないシンボルにおいて、端末が端末特定ＲＲＣメッセージによって構成された下りリンク信号（下りリンク周期的信号または測定信号）以降のＧ個のシンボルの間に下りリンク信号が構成されるか、Ｌ１シグナリングによって指示されることを期待しない動作を含む。
【０３８７】
半静的ＤＬ／ＵＬ割当情報によってフレキシブルシンボルで構成されたシンボルまたは半静的ＤＬ／ＵＬ割当情報によって構成されていないシンボルにおいて、セル特定ＲＲＣメッセージによって構成されるかＬ１シグナリングによって指示された下りリンク信号の最後のシンボルと、セル特定ＲＲＣメッセージによって構成されるかＬ１シグナリングによって指示された上りリンク信号の最初のシンボルとの間のシンボル数がＧより小さい場合、端末の動作は以下のようである。
【０３８８】
一例として、端末はセル特定ＲＲＣメッセージよって構成された下りリンク信号を受信するが、セル特定ＲＲＣメッセージによって構成されるかＬ１シグナリングによって指示された上りリンク信号を伝送しない。
【０３８９】
他の例として、端末はセル特定ＲＲＣメッセージよって構成された上りリンク信号を伝送し、セル特定ＲＲＣメッセージによって構成されるかＬ１シグナリングによって指示された下りリンク信号を受信しない。
【０３９０】
また他の例として、端末はＬ１シグナリングによって動作する。つまり、Ｌ１シグナリングが下りリンク受信を指示し、セル特定ＲＲＣメッセージが上りリンク伝送を構成すれば、端末は下りリンク受信を行って上りリンク伝送は行わない。逆に、Ｌ１シグナリングが上りリンク受信を指示し、セル特定ＲＲＣメッセージが下りリンク伝送を構成すれば、端末は上りリンク伝送を行って下りリンク受信は行わない。
【０３９１】
図１７は、本発明の一実施例による端末と基地局の構成をそれぞれ示すブロック図である。本発明の一実施例において、端末は携帯性と移動性が保障される多様な種類の無線通信装置、またはコンピューティング装置で具現される。端末はＵＥ（Ｕｓｅｒ  Ｅｑｕｉｐｍｅｎｔ）、ＳＴＡ（Ｓｔａｔｉｏｎ）、ＭＳ（Ｍｏｂｉｌｅ  Ｓｕｂｓｃｒｉｂｅｒ）などと称される。また、本発明の実施例において、基地局はサービス地域に当たるセル（例えば、マクロセル、フェムトセル、ピコセルなど）を制御及び管掌し、信号の送り出し、チャネルの指定、チャネルの監視、自己診断、中継などの機能を行う。基地局は、ｇＮＢ（ｎｅｘｔ  Ｇｅｎｅｒａｔｉｏｎ  ＮｏｄｅＢ）またはＡＰ（Ａｃｃｅｓｓ  Ｐｏｉｎｔ）などと称される。
【０３９２】
図示したように、本発明の一実施例による端末１００は、プロセッサ１１０、通信部１２０、メモリ１３０、ユーザインタフェース部１４０、及びディスプレイユニット１５０を含む。端末１００は本明細書の実施例で説明された端末であって、本明細書の各実施例による動作と手順を行う。詳しくは、通信モジュール１２０は本明細書の各実施例によって端末が目的物（ｏｂｊｅｃｔ）を伝送するか受信する動作を行い、プロセッサ１１０はそれ以外の目的物の生成、判断、決定などの動作を行う。
【０３９３】
まず、プロセッサ１１０は多様な命令またはプログラムを実行し、端末１００内部のデータを処理する。また、プロセッサ１１００は端末１００の各ユニットを含む全体動作を制御し、ユニット間のデータの送受信を制御する。ここで、プロセッサ１１０は、本発明で説明した実施例による動作を行うように構成される。例えば、プロセッサ１１０はスロット構成情報を受信し、それに基づいてスロットの構成を判断して、判断したスロット構成に応じて通信を行う。
【０３９４】
次に、通信モジュール１２０は、無線通信網を利用した無線通信、及び無線ＬＡＮを利用した無線ＬＡＮ接続を行う統合モジュールである。そのために、通信モジュール１２０は、セルラー通信インターフェースカード１２１、１２２、及び非免許帯域通信インターフェースカード１２３のような複数のネットワークインターフェースカード（ｎｅｔｗｏｒｋ  ｉｎｔｅｒｆａｃｅ  ｃａｒｄ、ＮＩＣ）を内蔵または外装の形に備える。図面において、通信モジュール１２０は一体型統合モジュールと図示されているが、それぞれのネットワークインターフェースカードは図面とは異なって、回路構成または用途に応じて独立して配置されてもよい。
【０３９５】
セルラー通信インターフェースカード１２１は、移動通信網を介して基地局２００、外部ディバイス、サーバのうち少なくとも一つと無線信号を送受信し、プロセッサ１１０の命令に基づいて第１周波数帯域によるセルラー通信サービスを提供する。一実施例によると、セルラー通信インターフェースカード１２１は、６ＧＨｚ未満の周波数帯域を利用する少なくとも一つのＮＩＣモジュールを含む。セルラー通信インターフェースカード１２１の少なくとも一つのＮＩＣモジュールは、該当ＮＩＣモジュールが支援する６ＧＨｚ未満の周波数帯域のセルラー通信規格またはプロトコールに応じて、独立して基地局２００、外部ディバイス、サーバのうち少なくとも一つとセルラー通信を行う。
【０３９６】
セルラー通信インターフェースカード１２２は、移動通信網を介して基地局２００、外部ディバイス、サーバのうち少なくとも一つと無線信号を送受信し、プロセッサ１１０の命令に基づいて第２周波数帯域によるセルラー通信サービスを提供する。一実施例によると、セルラー通信インターフェースカード１２２は、６ＧＨｚ以上の周波数帯域を利用する少なくとも一つのＮＩＣモジュールを含む。セルラー通信インターフェースカード１２２の少なくとも一つのＮＩＣモジュールは、該当ＮＩＣモジュールが支援する６ＧＨｚ以上の周波数帯域のセルラー通信規格またはプロトコールに応じて、独立して基地局２００、外部ディバイス、サーバのうち少なくとも一つとセルラー通信を行う。
【０３９７】
非免許帯域通信インターフェースカード１２３は、非免許帯域である第３周波数帯域を介して基地局２００、外部ディバイス、サーバのうち少なくとも一つと無線信号を送受信し、プロセッサ１１０の命令に基づいて非免許帯域の通信サービスを提供する。非免許帯域通信インターフェースカード１２３は、非免許帯域を利用する少なくとも一つのＮＩＣモジュールを含む。例えば、非免許帯域は２．４ＧＨｚまたは５ＧＨｚの帯域であってもよい。非免許帯域通信インターフェースカード１２３の少なくとも一つのＮＩＣモジュールは、該当ＮＩＣモジュールが支援する周波数帯域の非免許帯域通信規格またはプロトコールに応じて、独立してまたは従属して基地局２００、外部ディバイス、サーバのうち少なくとも一つと無線通信を行う。
【０３９８】
次に、メモリ１３０は、端末１００で使用される制御プログラム及びそれによる各種データを貯蔵する。このような制御プログラムには、端末１００が基地局２００、外部ディバイス、サーバのうち少なくとも一つと無線通信を行うのに必要な所定のプログラムが含まれる。
【０３９９】
次に、ユーザインタフェース１４０は、端末１００に備えられた多様な形態の入／出力手段を含む。つまり、ユーザインタフェース部１４０は多様な入力手段を利用してユーザの入力を受信し、プロセッサ１１０は受信されたユーザ入力に基づいて端末１００を制御する。また、ユーザインタフェース１４０は、多様な出力手段を利用してプロセッサ１１０の命令に基づく出力を行う。
【０４００】
次に、ディスプレイユニット１５０は、ディスプレイ画面に多様なイメージを出力する。前記ディスプレイユニット１５０は、プロセッサ１１０によって実行されるコンテンツ、またはプロセッサ１１０の制御命令に基づいたユーザインタフェースなどの多様なディスプレイオブジェクトを出力する。
【０４０１】
また、本発明の実施例による基地局２００は、プロセッサ２１０、通信モジュール２２０、及びメモリ２３０を含む。基地局２００は本明細書の各実施例で説明された基地局であって、本明細書の各実施例による端末の動作と手順に対応する基地局の動作と手順を行う。詳しくは、通信モジュール２２０は本明細書の各実施例によって基地局が目的物を受信するか伝送する動作を行い、プロセッサ２１０はそれ以外の目的物の生成、判断、決定などの動作を行う。
【０４０２】
まず、プロセッサ２１０は多様な命令またはプログラムを実行し、基地局２００内部のデータをプロセッシングする。また、プロセッサ２１０は基地局２００の各ユニットを含む全体動作を制御し、ユニット間のデータの送受信を制御する。ここで、プロセッサ２１０は、本開示で説明した実施例による動作を行うように構成される。例えば、プロセッサ２１０はスロット構成情報をシグナリングし、シグナリングしたスロット構成に応じて通信を行ってもよい。
【０４０３】
次に、通信モジュール２２０は、無線通信網を利用した無線通信、及び無線ＬＡＮを利用した無線ＬＡＮアクセスを行う統合モジュールである。そのために、通信モジュール１２０は、セルラー通信インターフェースカード２２１、２２２、及び非免許帯域通信インターフェースカード２２３のような複数のネットワークインターフェースカードを内蔵または外装の形に備える。図面において、通信モジュール２２０は一体型統合モジュールと図示されているが、それぞれのネットワークインターフェースカードは図面とは異なって、回路構成または用途に応じて独立して配置されてもよい。
【０４０４】
セルラー通信インターフェースカード２２１は、移動通信網を介して上述した端末１００、外部ディバイス、サーバのうち少なくとも一つと無線信号を送受信し、プロセッサ210の命令に基づいて第１周波数帯域によるセルラー通信サービスを提供する。一実施例によると、セルラー通信インターフェースカード２２１は、６ＧＨｚ未満の周波数帯域を利用する少なくとも一つのＮＩＣモジュールを含む。セルラー通信インターフェースカード２２１の少なくとも一つのＮＩＣモジュールは、該当ＮＩＣモジュールが支援する６ＧＨｚ未満の周波数帯域のセルラー通信規格またはプロトコールに応じて、独立して端末１００、外部ディバイス、サーバのうち少なくとも一つとセルラー通信を行う。
【０４０５】
セルラー通信インターフェースカード２２２は、移動通信網を介してした端末１００、外部ディバイス、サーバのうち少なくとも一つと無線信号を送受信し、プロセッサ２１０の命令に基づいて第２周波数帯域によるセルラー通信サービスを提供する。一実施例によると、セルラー通信インターフェースカード２２２は、６ＧＨｚ以上の周波数帯域を利用する少なくとも一つのＮＩＣモジュールを含む。セルラー通信インターフェースカード２２２の少なくとも一つのＮＩＣモジュールは、該当ＮＩＣモジュールが支援する６ＧＨｚ以上の周波数帯域のセルラー通信規格またはプロトコールに応じて、独立して端末１００、外部ディバイス、サーバのうち少なくとも一つとセルラー通信を行う。
【０４０６】
非免許帯域通信インターフェースカード２２３は、非免許帯域である第３周波数帯域を介して端末１００、外部ディバイス、サーバのうち少なくとも一つと無線信号を送受信し、プロセッサ２１０の命令に基づいて非免許帯域の通信サービスを提供する。非免許帯域通信インターフェースカード２２３は、非免許帯域を利用する少なくとも一つのＮＩＣモジュールを含む。例えば、非免許帯域は２．４ＧＨｚまたは５ＧＨｚの帯域であってもよい。非免許帯域通信インターフェースカード２２３の少なくとも一つのＮＩＣモジュールは、該当ＮＩＣモジュールが支援する周波数帯域の非免許帯域通信規格またはプロトコールに応じて、独立してまたは従属して端末１００、外部ディバイス、サーバのうち少なくとも一つと無線通信を行う。
【０４０７】
図１７に示した端末１００及び基地局２００は本発明の一実施例によるブロック図であって、分離して示したブロックはディバイスのエレメントを論理的に区別して示すものである。よって、上述したディバイスのエレメントは、ディバイスの設計に応じて一つのチップまたは複数のチップで取り付けられる。また、端末１００の一部の構成、例えば、ユーザインタフェース部１４０及びディスプレイユニット１５０などは端末１００に選択的に備えられてもよい。また、ユーザインタフェース１４０及びディスプレイユニット１５０などは、基地局２００に必要によって追加に備えられてもよい。
【０４０８】
上述した本発明の説明は例示のためのものであって、本発明が属する技術分野における通常の知識を有する者は、本発明の技術的思想や必須的特徴を変更せずに他の具体的な形態に容易に変更可能であることを理解できるはずである。よって、上述した実施例は全ての面で例示的なものであり、限定的なものであると理解すべきである。例えば、単一型として説明されている各構成要素は分散されて実施されてもよく、同じく分散されていると説明されている構成要素も結合された形態で実施されてもよい。
【０４０９】
本発明の範囲は、上述した詳細な説明よりは後述する特許請求の範囲によって示され、特許請求の範囲の意味及び範囲、そしてその均等概念から導き出される全ての変更または変形された形態が本発明の範囲に含まれると解釈すべきである。
【符号の説明】
【０４１０】
110  プロセッサ
121  セルラー通信インターフェースカード（第１周波数バンド）
122  セルラー通信インターフェースカード（第２周波数バンド）
123  非免許帯域通信インターフェースカード（第３周波数バンド）
130  メモリ
140  ユーザインタフェース
150  ディスプレイユニット
210  プロセッサ
221  セルラー通信インターフェースカード（第１周波数バンド）
222  セルラー通信インターフェースカード（第２周波数バンド）
223  非免許帯域通信インターフェースカード（第３周波数バンド）
230  メモリ
【図１】
0006980317.tif 000019
【図２】
0006980317.tif 000020
【図３】
0006980317.tif 000021
【図４ａ】
0006980317.tif 000022
【図４ｂ】
0006980317.tif 000023
【図５ａ】
0006980317.tif 000024
【図５ｂ】
0006980317.tif 000025
【図６】
0006980317.tif 000026
【図７】
0006980317.tif 000027
【図８】
0006980317.tif 000028
【図９】
0006980317.tif 000029
【図１０】
0006980317.tif 000030
【図１１】
0006980317.tif 000031
【図１２ａ】
0006980317.tif 000032
【図１２ｂ】
0006980317.tif 000033
【図１２ｃ】
0006980317.tif 000034
【図１３】
0006980317.tif 000035
【図１４ａ】
0006980317.tif 000036
【図１４ｂ】
0006980317.tif 000037
【図１５ａ】
0006980317.tif 000038
【図１５ｂ】
0006980317.tif 000039
【図１５ｃ】
0006980317.tif 000040
【図１６ａ】
0006980317.tif 000041
【図１６ｂ】
0006980317.tif 000042
【図１７】
0006980317.tif 000043